(57)【特許請求の範囲】
【請求項１】
時分割複信（ＴＤＤ）システムにおけるデータ送信装置であって、
端末デバイスとのデータ送信を実行する送信時間間隔（ＴＴＩ）を決定する処理モジュールと、
前記処理モジュールによって決定された前記ＴＴＩを用いることによって、前記端末デバイスとのデータ送信を実行する送信モジュールと、
を備え、
前記ＴＴＩは、１ｍｓより短く、
前記処理モジュールは、無線フレームのＴＤＤ構成及び特別サブフレーム（Ｓサブフレーム）構成をさらに決定し、
前記送信モジュールは、前記処理モジュールによって決定された前記ＴＴＩならびに前記無線フレームの前記ＴＤＤ構成及び前記Ｓサブフレーム構成を用いることによって、前記端末デバイスとのデータ送信を実行し、
前記Ｓサブフレーム構成は、
セルカバレッジ半径が事前設定されたカバレッジ半径閾値より大きい場合に、前記無線フレームにおけるＳサブフレームがＭ個の連続するサブフレームを含むことと、前記Ｓサブフレームにおけるガード期間（ＧＰ）の長さが、前記セルカバレッジ半径に従って決定されることと、
を含み、
Ｍは、１より大きい整数である、装置。
【請求項２】
前記処理モジュールは、ブロードキャストチャネルが無線フレームの第２のサブフレームにおいて最初の２つのシンボルを占める場合に、前記無線フレームの前記第２のサブフレームにおける前記最初の２つのシンボルにおいて、物理ダウンリンク制御チャネル（ＰＤＣＣＨ）の送信をスキップすることをさらに決定し、
前記送信モジュールは、前記無線フレームの前記第２のサブフレームにおける前記最初の２つのシンボルにおいて、前記ＰＤＣＣＨの前記端末デバイスへの送信をスキップする、
請求項１に記載の装置。
【請求項３】
前記処理モジュールは、前記送信モジュールによって前記端末デバイスとのデータ送信を実行するハイブリッド自動再送要求（ＨＡＲＱ）処理の時系列をさらに決定し、
前記送信モジュールは、前記処理モジュールによって決定された前記ＨＡＲＱ処理の前記時系列を用いることによって、前記端末デバイスとのデータ送信を実行し、
前記ＨＡＲＱ処理の前記時系列は、
アップリンクスケジューリングに用いられるダウンリンク制御情報（ＤＣＩ）を送信する各ダウンリンクサブフレームと、アップリンクデータを送信し、かつ、前記ダウンリンクサブフレームに対応するアップリンクサブフレームとの間の第１の時間間隔、
物理ハイブリッド自動再送インジケータチャネル（ＰＨＩＣＨ）を送信する各ダウンリンクサブフレームと、再送信されたアップリンクデータを送信し、かつ、前記ダウンリンクサブフレームに対応するアップリンクサブフレームとの間の第２の時間間隔、
アップリンクデータを送信する各アップリンクサブフレームと、ＰＨＩＣＨを送信し、かつ、前記アップリンクサブフレームに対応する各ダウンリンクサブフレームとの間の第３の時間間隔、又は、
ダウンリンクデータを送信する各ダウンリンクサブフレームと、アップリンクフィードバックを送信し、かつ、前記ダウンリンクサブフレームに対応する各アップリンクサブフレームとの間の第４の時間間隔
の時系列の少なくとも１つを含み、
前記第１の時間間隔は、ｎ１によって乗算されたＴＴＩであり、ｎ１がＮ以上であることと、１つのアップリンクＨＡＲＱ処理が１つのダウンリンクサブフレームによってスケジューリングされた場合に、アップリンクデータを送信し、かつ、アップリンクスケジューリングに用いられる前記ＤＣＩを送信する各ダウンリンクサブフレームからの時間間隔が最も長いアップリンクサブフレームに対応する第１の時間間隔が最も短いこととを満たし、ｎ１及びＮは正の整数であり、Ｎによって乗算されたＴＴＩは、アップリンクスケジューリングに用いられる前記ＤＣＩの送信における遅延と、アップリンクスケジューリングに用いられる前記ＤＣＩの受信処理における遅延と、アップリンクデータパケットアセンブリにおける遅延との合計であり、
前記第２の時間間隔は、ｎ２によって乗算されたＴＴＩであり、ｎ２がＱ以上であることと、再送信されたアップリンクデータを送信し、かつ、前記ＰＨＩＣＨを送信する各ダウンリンクサブフレームからの時間間隔が最も長いアップリンクサブフレームに対応する第２の時間間隔が最も短いこととを満たし、ｎ２及びＱは正の整数であり、Ｑによって乗算されたＴＴＩは、前記ＰＨＩＣＨの送信における遅延と、前記ＰＨＩＣＨの受信処理における遅延と、再送信されたアップリンクデータパケットアセンブリにおける遅延との合計であり、
前記第３の時間間隔は、ｎ３によって乗算されたＴＴＩであり、アップリンクデータを送信する対応アップリンクサブフレームと、アップリンクスケジューリングに用いられるＤＣＩを送信し、かつ、前記アップリンクサブフレームに対応するダウンリンクサブフレームとの間の第１の時間間隔に従って設定され、ｎ３は正の整数であり、前記第３の時間間隔は、前記アップリンクデータの送信における遅延と、前記アップリンクデータの受信処理における遅延と、ＰＨＩＣＨデータパケットアセンブリにおける遅延との合計以上であり、
前記第４の時間間隔は、ｎ４によって乗算されたＴＴＩであり、ｎ４がＷ以上であることと、アップリンクフィードバックを送信し、かつ、前記ダウンリンクデータを送信する各ダウンリンクサブフレームからの時間間隔が最も長いアップリンクサブフレームに対応する第４の時間間隔が最も短いこととを満たし、ｎ４及びＷは正の整数であり、Ｗによって乗算されたＴＴＩは、前記ダウンリンクデータの送信における遅延と、前記ダウンリンクデータの受信処理における遅延と、アップリンクフィードバックパケットアセンブリにおける遅延との合計である、
請求項１又は２に記載の装置。
【請求項４】
時分割複信（ＴＤＤ）システムにおけるデータ送信装置であって、
ネットワークとのデータ送信を実行する送信時間間隔（ＴＴＩ）を決定する処理モジュールと、
前記処理モジュールによって決定された前記ＴＴＩを用いることによって、前記ネットワークとのデータ送信を実行する送信モジュールと、
を備え、
前記ＴＴＩは、１ｍｓより短く、
前記処理モジュールは、無線フレームのＴＤＤ構成及び特別サブフレームＳサブフレーム構成をさらに決定し、
前記送信モジュールは、前記処理モジュールによって決定された前記ＴＴＩならびに前記無線フレームの前記ＴＤＤ構成及び前記Ｓサブフレーム構成を用いることによって、前記ネットワークとのデータ送信を実行し、
前記Ｓサブフレーム構成は、
セルカバレッジ半径が事前設定されたカバレッジ半径閾値より大きい場合に、前記無線フレームにおけるＳサブフレームがＭ個の連続するサブフレームを含むことと、前記Ｓサブフレームにおけるガード期間（ＧＰ）の長さが、前記セルカバレッジ半径に従って決定されることと、
を含み、
Ｍは、１より大きい整数である、装置。
【請求項５】
前記ＴＤＤ構成は、前記無線フレームにおいて、ダウンリンクからアップリンクへのスイッチポイントの周期が、前記無線フレームの長さの２分の１以下であることを含む、請求項４に記載の装置。
【請求項６】
前記Ｓサブフレーム構成は、
１つの無線フレームが複数のＳサブフレームを含む場合に、いくつかのＳサブフレームがサウンディング参照信号（ＳＲＳ）信号を含み、他のＳサブフレームがＳＲＳ信号を含まない
ことを含む、請求項４に記載の装置。
【請求項７】
前記処理モジュールは、ブロードキャストチャネルが無線フレームの第２のサブフレームにおいて最初の２つのシンボルを占める場合に、物理ダウンリンク制御チャネル（ＰＤＣＣＨ）が前記無線フレームの前記第２のサブフレームにおける前記最初の２つのシンボルにおいて送信されないことをさらに決定し、
前記送信モジュールは、前記無線フレームの前記第２のサブフレームにおける前記最初の２つのシンボルにおいて、前記ネットワークによって送信された前記ＰＤＣＣＨの受信をスキップする、請求項４に記載の装置。
【請求項８】
前記処理モジュールは、ブロードキャストチャネルが無線フレームの第１のサブフレームを占めることをさらに決定し、
前記送信モジュールは、前記無線フレームの前記第１のサブフレームにおいて、前記ネットワークによって送信された前記ブロードキャストチャネルを受信する、請求項４に記載の装置。
【請求項９】
前記処理モジュールは、物理ランダムアクセスチャネル（ＰＲＡＣＨ）の長さを決定し、前記ＰＲＡＣＨの前記決定された長さがサブフレームの長さより大きい場合に、前記ＰＲＡＣＨがＣ個の連続するアップリンクサブフレームを占めることをさらに決定し、Ｃは正の整数であり、
前記送信モジュールは、前記処理モジュールによって決定された前記ＰＲＡＣＨを用いることによって、アップリンクランダムアクセスプリアンブルを前記ネットワークに送信する、請求項４に記載の装置。
【請求項１０】
前記処理モジュールは、Ｓサブフレーム及び／又はＰ個のダウンリンクサブフレームが、前記ＰＲＡＣＨによって占められた前記Ｃ個の連続するアップリンクサブフレームの間に含まれることを決定し、Ｐは正の整数である、請求項９に記載の装置。
【請求項１１】
前記処理モジュールは、前記送信モジュールによって前記ネットワークとのデータ送信を実行するために、ハイブリッド自動再送要求（ＨＡＲＱ）処理の時系列をさらに決定し、
前記送信モジュールは、前記処理モジュールによって決定された前記ＨＡＲＱ処理の前記時系列を用いることによって、前記ネットワークとのデータ送信を実行し、
前記ＨＡＲＱ処理の前記時系列は、
アップリンクスケジューリングに用いられるダウンリンク制御情報（ＤＣＩ）を送信する各ダウンリンクサブフレームと、アップリンクデータを送信し、かつ、前記ダウンリンクサブフレームに対応するアップリンクサブフレームとの間の第１の時間間隔、
物理ハイブリッド自動再送インジケータチャネル（ＰＨＩＣＨ）を送信する各ダウンリンクサブフレームと、再送信されたアップリンクデータを送信し、かつ、前記ダウンリンクサブフレームに対応するアップリンクサブフレームとの間の第２の時間間隔、
アップリンクデータを送信する各アップリンクサブフレームと、ＰＨＩＣＨを送信し、かつ、前記アップリンクサブフレームに対応する各ダウンリンクサブフレームとの間の第３の時間間隔、又は、
ダウンリンクデータを送信する各ダウンリンクサブフレームと、アップリンクフィードバックを送信し、かつ、前記ダウンリンクサブフレームに対応する各アップリンクサブフレームとの間の第４の時間間隔
の時系列の少なくとも１つを含み、
前記第１の時間間隔は、ｎ１によって乗算されたＴＴＩであり、ｎ１がＮ以上であることと、１つのアップリンクＨＡＲＱ処理が１つのダウンリンクサブフレームによってスケジューリングされた場合に、アップリンクデータを送信し、かつ、アップリンクスケジューリングに用いられる前記ＤＣＩを送信する各ダウンリンクサブフレームからの時間間隔が最も長いアップリンクサブフレームに対応する第１の時間間隔が最も短いこととを満たし、ｎ１及びＮは正の整数であり、Ｎによって乗算されたＴＴＩは、アップリンクスケジューリングに用いられる前記ＤＣＩの送信における遅延と、アップリンクスケジューリングに用いられる前記ＤＣＩの受信処理における遅延と、アップリンクデータパケットアセンブリにおける遅延との合計であり、
前記第２の時間間隔は、ｎ２によって乗算されたＴＴＩであり、ｎ２がＱ以上であることと、再送信されたアップリンクデータを送信し、かつ、前記ＰＨＩＣＨを送信する各ダウンリンクサブフレームからの時間間隔が最も長いアップリンクサブフレームに対応する第２の時間間隔が最も短いこととを満たし、ｎ２及びＱは正の整数であり、Ｑによって乗算されたＴＴＩは、前記ＰＨＩＣＨの送信における遅延と、前記ＰＨＩＣＨの受信処理における遅延と、再送信されたアップリンクデータパケットアセンブリの実行における遅延との合計であり、
前記第３の時間間隔は、ｎ３によって乗算されたＴＴＩであり、アップリンクデータを送信する対応アップリンクサブフレームと、アップリンクスケジューリングに用いられるＤＣＩを送信し、かつ、前記アップリンクサブフレームに対応するダウンリンクサブフレームとの間の第１の時間間隔に従って設定され、ｎ３は正の整数であり、前記第３の時間間隔は、前記アップリンクデータの送信における遅延と、前記アップリンクデータの受信処理における遅延と、ＰＨＩＣＨデータパケットアセンブリにおける遅延との合計以上であり、
前記第４の時間間隔は、ｎ４によって乗算されたＴＴＩであり、ｎ４がＷ以上であることと、アップリンクフィードバックを送信し、かつ、前記ダウンリンクデータを送信する各ダウンリンクサブフレームからの時間間隔が最も長いアップリンクサブフレームに対応する第４の時間間隔が最も短いこととを満たし、ｎ４及びＷは正の整数であり、Ｗによって乗算されたＴＴＩは、前記ダウンリンクデータの送信における遅延と、前記ダウンリンクデータの受信処理における遅延と、アップリンクフィードバックパケットアセンブリの実行における遅延との合計である、
請求項４から１０のいずれか１項に記載の装置。
【請求項１２】
時分割複信（ＴＤＤ）システムにおけるデータ送信方法であって、
ネットワークとのデータ送信を実行する送信時間間隔（ＴＴＩ）を決定する段階と、
前記決定されたＴＴＩを用いることによって、前記ネットワークとのデータ送信を実行する段階と、
を備え、
前記ＴＴＩは、１ｍｓより短く、
前記ネットワークとのデータ送信を実行するＴＴＩを決定する前記段階の後であって、前記ネットワークとのデータ送信を実行する前記段階の前に、前記方法は、無線フレームのＴＤＤ構成及び特別サブフレームＳサブフレーム構成を決定する段階をさらに備え、
前記決定されたＴＴＩを用いることによって、前記ネットワークとのデータ送信を実行する前記段階は、前記ＴＴＩと、決定された前記無線フレームの前記ＴＤＤ構成及び前記Ｓサブフレーム構成とを用いることによって、前記ネットワークとのデータ送信を実行する段階を含み、
前記Ｓサブフレーム構成は、
セルカバレッジ半径が事前設定されたカバレッジ半径閾値より大きい場合に、前記無線フレームにおけるＳサブフレームがＭ個の連続するサブフレームを含むことと、前記Ｓサブフレームにおけるガード期間（ＧＰ）の長さが、前記セルカバレッジ半径に従って決定されることと、
を含み、
Ｍは、１より大きい整数である、方法。
【請求項１３】
前記ネットワークとのデータ送信を実行するＴＴＩを決定する前記段階の後であって、前記ネットワークとのデータ送信を実行する前記段階の前に、前記方法は、ブロードキャストチャネルが無線フレームの第２のサブフレームにおいて最初の２つのシンボルを占める場合に、物理ダウンリンク制御チャネル（ＰＤＣＣＨ）が、前記無線フレームの前記第２のサブフレームにおける前記最初の２つのシンボルにおいて送信されないことを決定する段階をさらに備え、
前記ネットワークとのデータ送信を実行する前記段階は、前記無線フレームの前記第２のサブフレームにおける前記最初の２つのシンボルにおいて、前記ネットワークによって送信された前記ＰＤＣＣＨの受信をスキップする段階を含む、
請求項１２に記載の方法。
【請求項１４】
前記ネットワークとのデータ送信を実行するＴＴＩを決定する前記段階の後であって、前記ネットワークとのデータ送信を実行する前記段階の前に、前記方法は、前記ネットワークとのデータ送信を実行するハイブリッド自動再送要求（ＨＡＲＱ）処理の時系列を決定する段階をさらに備え、
前記ネットワークとのデータ送信を実行する前記段階は、前記ＨＡＲＱ処理の前記決定された時系列を用いることによって、前記ネットワークとのデータ送信を実行する段階を含み、
前記ＨＡＲＱ処理の前記時系列は、
アップリンクスケジューリングに用いられるダウンリンク制御情報（ＤＣＩ）を送信する各ダウンリンクサブフレームと、アップリンクデータを送信し、かつ、前記ダウンリンクサブフレームに対応するアップリンクサブフレームとの間の第１の時間間隔、
物理ハイブリッド自動再送インジケータチャネル（ＰＨＩＣＨ）を送信する各ダウンリンクサブフレームと、再送信されたアップリンクデータを送信し、かつ、前記ダウンリンクサブフレームに対応するアップリンクサブフレームとの間の第２の時間間隔、
アップリンクデータを送信する各アップリンクサブフレームと、ＰＨＩＣＨを送信し、かつ、前記アップリンクサブフレームに対応する各ダウンリンクサブフレームとの間の第３の時間間隔、又は、
ダウンリンクデータを送信する各ダウンリンクサブフレームと、アップリンクフィードバックを送信し、かつ、前記ダウンリンクサブフレームに対応する各アップリンクサブフレームとの間の第４の時間間隔
の時系列の少なくとも１つを含み、
前記第１の時間間隔は、ｎ１によって乗算されたＴＴＩであり、ｎ１がＮ以上であることと、１つのアップリンクＨＡＲＱ処理が１つのダウンリンクサブフレームによってスケジューリングされた場合に、アップリンクデータを送信し、かつ、アップリンクスケジューリングに用いられる前記ＤＣＩを送信する各ダウンリンクサブフレームからの時間間隔が最も長いアップリンクサブフレームに対応する第１の時間間隔が最も短いこととを満たし、ｎ１及びＮは正の整数であり、Ｎによって乗算されたＴＴＩは、アップリンクスケジューリングに用いられる前記ＤＣＩの送信における遅延と、アップリンクスケジューリングに用いられる前記ＤＣＩの受信処理における遅延と、アップリンクデータパケットアセンブリにおける遅延との合計であり、
前記第２の時間間隔は、ｎ２によって乗算されたＴＴＩであり、ｎ２がＱ以上であることと、再送信されたアップリンクデータを送信し、かつ、前記ＰＨＩＣＨを送信する各ダウンリンクサブフレームからの時間間隔が最も長いアップリンクサブフレームに対応する第２の時間間隔が最も短いこととを満たし、ｎ２及びＱは正の整数であり、Ｑによって乗算されたＴＴＩは、前記ＰＨＩＣＨの送信における遅延と、前記ＰＨＩＣＨの受信処理における遅延と、再送信されたアップリンクデータパケットアセンブリにおける遅延との合計であり、
前記第３の時間間隔は、ｎ３によって乗算されたＴＴＩであり、アップリンクデータを送信する対応アップリンクサブフレームと、アップリンクスケジューリングに用いられるＤＣＩを送信し、かつ、前記アップリンクサブフレームに対応するダウンリンクサブフレームとの間の第１の時間間隔に従って設定され、ｎ３は正の整数であり、前記第３の時間間隔は、前記アップリンクデータの送信における遅延と、前記アップリンクデータの受信処理における遅延と、ＰＨＩＣＨデータパケットアセンブリにおける遅延との合計以上であり、
前記第４の時間間隔は、ｎ４によって乗算されたＴＴＩであり、ｎ４がＷ以上であることと、アップリンクフィードバックを送信し、かつ、前記ダウンリンクデータを送信する各ダウンリンクサブフレームからの時間間隔が最も長いアップリンクサブフレームに対応する第４の時間間隔が最も短いこととを満たし、ｎ４及びＷは正の整数であり、Ｗによって乗算されたＴＴＩは、前記ダウンリンクデータの送信における遅延と、前記ダウンリンクデータの受信処理における遅延と、アップリンクフィードバックパケットアセンブリの実行における端末デバイスの遅延との合計である、請求項１２又は１３に記載の方法。
【発明の詳細な説明】
【技術分野】
【０００１】
本発明は、無線通信技術分野に関し、詳細には、データ送信装置及び方法に関する。
【背景技術】
【０００２】
ラウンドトリップタイム（ＲＴＴ）は、無線通信システムの性能を測定するための重要なインジケータであり、概して、送信側によるデータ送信開始から、受信側からの肯定応答の送信側による受信までの時間を指す。
【０００３】
時分割複信（ＴＤＤ）システムにおいて、ハイブリッド自動再送要求（ＨＡＲＱ）モードは、概して、データスケジューリングに用いられる。同じＨＡＲＱ処理において、データ送信後、送信側は、事前設定された最大フィードバック時間が経過する前には、次のデータパケットを送信しない。従って、ＡＣＫが可能な限り迅速に受信可能な場合、同じＨＡＲＱ処理において複数のデータパケットを送信する時間間隔の短縮、ＲＴＴの減少、及びデータ送信効率の向上が可能である。
【０００４】
データスケジューリングのためにＨＡＲＱモードを用いるＴＤＤシステムにおいて、ダウンリンクＨＡＲＱ  ＲＴＴに関して図１が参照されてよく、アップリンクＨＡＲＱ  ＲＴＴに関して図２が参照されてよい。図１及び図２において、「Ｄ」はダウンリンクサブフレームを表し、「Ｓ」はスペシャルサブフレーム（Ｓサブフレーム）を表し、「Ｕ」はアップリンクサブフレームを表す。
【０００５】
図１から、ダウンリンクＨＡＲＱ  ＲＴＴは以下の４つの部分、すなわち、ダウンリンク送信遅延、ユーザ機器（ＵＥ）処理遅延（ＵＥデコード及びパケットアセンブリのような処理における遅延を含む）、アップリンク送信遅延、ならびに基地局処理及びスケジューリング遅延（基地局デコード、スケジューリング、及びパケットアセンブリのような処理における遅延を含む）を含むことが理解されよう。
【０００６】
図２から、アップリンクＨＡＲＱ  ＲＴＴは以下の４つの部分、すなわち、アップリンク送信遅延、基地局処理及びスケジューリング遅延（基地局デコード、スケジューリング、及びパケットアセンブリのような処理における遅延を含む）、ダウンリンク送信遅延、ならびにＵＥ処理遅延（ＵＥデコード及びパケットアセンブリのような処理における遅延を含む）を含むことが理解されよう。
【０００７】
現在、ＴＤＤ通信システムにおいて効果的にＲＴＴを減少させ、データ送信効率を向上させることが可能な方法は存在しない。
【発明の概要】
【０００８】
本発明の複数の実施形態は、効果的にＲＴＴを減少させ、データ送信効率を向上させるために用いられるデータ送信装置及び方法を提供する。
【０００９】
第１の態様によれば、本発明の実施形態は、時分割複信ＴＤＤシステムにおけるデータ送信装置を提供する。装置は、
ユーザ機器ＵＥとのデータ送信を実行する送信時間間隔ＴＴＩを決定するように構成される処理モジュールと、
処理モジュールによって決定されたＴＴＩを用いることによって、ＵＥとのデータ送信を実行するように構成される送信モジュールと、
を含み、
ＴＴＩは、１ｍｓより短い。
【００１０】
この解決手段では、既存のＴＤＤシステムのものより短いＴＴＩを用いることによって、データスケジューリングの最小単位が短縮される。特に、利用可能なアップリンクサブフレームを待つことにおける遅延は、ＵＥがアップリンクデータを送信する場合に減少し、及び／又は、利用可能なダウンリンクサブフレームを待つことにおける遅延は、基地局がダウンリンクデータを送信する場合に減少する。従って、ＴＤＤシステムにおけるＲＴＴが減少する。
【００１１】
第１の態様を参照すると、第１の可能な実装態様において、処理モジュールは、無線フレームのＴＤＤ構成及びスペシャルサブフレームＳサブフレーム構成を決定するようにさらに構成され、
送信モジュールは、処理モジュールによって決定されたＴＴＩならびに無線フレームのＴＤＤ構成及びＳサブフレーム構成を用いることによって、ＵＥとのデータ送信を実行するように具体的に構成される。
【００１２】
第１の態様の第１の可能な実装態様を参照すると、第２の可能な実装態様において、Ｓサブフレーム構成は、
セルカバレッジ半径が事前設定されたカバレッジ半径閾値より大きい場合に、無線フレームにおけるＳサブフレームがＭ個の連続するサブフレームを含むことと、Ｓサブフレームにおけるガード期間ＧＰの長さが、セルカバレッジ半径に従って決定されることと、を含む。  Ｍは、１より大きい整数である。
【００１３】
第１の態様の第１の可能な実装態様を参照すると、第３の可能な実装態様において、ＴＤＤ構成は、無線フレームにおいて、ダウンリンクからアップリンクへのスイッチポイントの周期が、無線フレームの長さの２分の１以下であることを含む。
【００１４】
第１の態様の第１の可能な実装態様を参照すると、第４の可能な実装態様において、Ｓサブフレーム構成は、
１つの無線フレームが複数のＳサブフレームを含む場合に、いくつかのＳサブフレームはサウンディング参照信号ＳＲＳ信号を含み、他のＳサブフレームはＳＲＳ信号を含まないことを含む。
【００１５】
第１の態様を参照すると、第５の可能な実装態様において、
処理モジュールは、ブロードキャストチャネルが無線フレームの第２のサブフレームにおいて最初の２つのシンボルを占有する場合に、無線フレームの第２のサブフレームにおける最初の２つのシンボルにおいて、物理ダウンリンク制御チャネルＰＤＣＣＨの送信をスキップすることを決定するようにさらに構成され、
送信モジュールは、無線フレームの第２のサブフレームにおける最初の２つのシンボルにおいて、ＰＤＣＣＨのＵＥへの送信をスキップするように具体的に構成される。
【００１６】
第１の態様を参照すると、第６の可能な実装態様において、
処理モジュールは、ブロードキャストチャネルが無線フレームの第１のサブフレームを占有することを決定するようにさらに構成され、
送信モジュールは、無線フレームの第１のサブフレームにおいてブロードキャストチャネルをＵＥに送信するように具体的に構成される。
【００１７】
第１の態様を参照すると、第７の可能な実装態様において、
処理モジュールは、物理ランダムアクセスチャネルＰＲＡＣＨの長さを決定し、ＰＲＡＣＨの決定された長さがサブフレームの長さより大きい場合に、ＰＲＡＣＨがＣ個の連続するアップリンクサブフレームを占有することを決定するようにさらに構成され、Ｃは正の整数であり、
送信モジュールは、処理モジュールによって決定されたＰＲＡＣＨを用いることによって、ＵＥによって送信されたアップリンクランダムアクセスプリアンブルを受信するように具体的に構成される。
【００１８】
第１の態様の第７の可能な実装態様を参照すると、第８の可能な実装態様において、処理モジュールは、Ｓサブフレーム及び／又はＰ個のダウンリンクサブフレームが、ＰＲＡＣＨによって占有されるＣ個の連続するアップリンクサブフレームの間に含まれることを決定するように具体的に構成され、Ｐは正の整数である。
【００１９】
第１の態様の第１の可能な実装態様、第１の態様の第２の可能な実装態様、第１の態様の第３の可能な実装態様、又は第１の態様の第４の可能な実装態様を参照すると、第９の可能な実装態様において、送信モジュールは、第１のブロードキャストメッセージ又は無線リソース制御ＲＲＣメッセージを用いることによって、処理モジュールによって決定されたＴＤＤ構成及びＳサブフレーム構成をＵＥに送信するようにさらに構成される。
【００２０】
第１の態様の第１の可能な実装態様、第１の態様の第２の可能な実装態様、第１の態様の第３の可能な実装態様、又は第１の態様の第４の可能な実装態様を参照すると、第１０の可能な実装態様において、無線フレームのＴＤＤ構成及びＳサブフレーム構成は、処理モジュールによってＵＥとの間で規定される。
【００２１】
第１の態様、第１の態様の第１の可能な実装態様、第１の態様の第２の可能な実装態様、第１の態様の第３の可能な実装態様、第１の態様の第４の可能な実装態様、第１の態様の第５の可能な実装態様、第１の態様の第６の可能な実装態様、第１の態様の第７の可能な実装態様、第１の態様の第８の可能な実装態様、第１の態様の第９の可能な実装態様、又は第１の態様の第１０の可能な実装態様を参照すると、第１１の可能な実装態様において、送信モジュールは、第２のブロードキャストメッセージ又はＲＲＣメッセージを用いることによって、処理モジュールによって決定されたＴＴＩをＵＥに送信するようにさらに構成される。
【００２２】
第１の態様、第１の態様の第１の可能な実装態様、第１の態様の第２の可能な実装態様、第１の態様の第３の可能な実装態様、第１の態様の第４の可能な実装態様、第１の態様の第５の可能な実装態様、第１の態様の第６の可能な実装態様、第１の態様の第７の可能な実装態様、第１の態様の第８の可能な実装態様、第１の態様の第９の可能な実装態様、又は第１の態様の第１０の可能な実装態様を参照すると、第１２の可能な実装態様において、ＴＴＩは、ＵＥとの間で規定される。
【００２３】
第１の態様、第１の態様の第１の可能な実装態様、第１の態様の第２の可能な実装態様、第１の態様の第３の可能な実装態様、第１の態様の第４の可能な実装態様、第１の態様の第５の可能な実装態様、第１の態様の第６の可能な実装態様、第１の態様の第７の可能な実装態様、第１の態様の第８の可能な実装態様、第１の態様の第９の可能な実装態様、第１の態様の第１０の可能な実装態様、第１の態様の第１１の可能な実装態様、第１の態様の第１２の可能な実装態様を参照すると、第１３の可能な実装態様において、処理モジュールは、送信モジュールによってＵＥとのデータ送信を実行するハイブリッド自動再送要求ＨＡＲＱ処理の時系列を決定するようにさらに構成され、
送信モジュールは、処理モジュールによって決定されたＨＡＲＱ処理の時系列を用いることによって、ＵＥとのデータ送信を実行するように具体的に構成され、
ＨＡＲＱ処理の時系列は、以下の時系列の少なくとも１つを含む。  アップリンクスケジューリングに用いられるダウンリンク制御情報ＤＣＩを送信する各ダウンリンクサブフレームと、アップリンクデータを送信し、かつ、ダウンリンクサブフレームに対応するアップリンクサブフレームとの間の第１の時間間隔。第１の時間間隔は、ｎ１によって乗算されたＴＴＩであり、ｎ１がＮ以上であることと、１つのアップリンクＨＡＲＱ処理が１つのダウンリンクサブフレームによってスケジューリングされた場合に、アップリンクデータを送信し、かつ、アップリンクスケジューリングに用いられるＤＣＩを送信する各ダウンリンクサブフレームからの時間間隔が最も長いアップリンクサブフレームに対応する第１の時間間隔が最も短いこととを満たす。ｎ１及びＮは正の整数であり、Ｎによって乗算されたＴＴＩは、アップリンクスケジューリングに用いられるＤＣＩの送信における遅延と、アップリンクスケジューリングに用いられるＤＣＩの受信処理における遅延と、アップリンクデータパケットアセンブリにおける遅延との合計である。  物理ハイブリッド自動再送インジケータチャネルＰＨＩＣＨを送信する各ダウンリンクサブフレームと、再送信されたアップリンクデータを送信し、かつ、ダウンリンクサブフレームに対応するアップリンクサブフレームとの間の第２の時間間隔。第２の時間間隔は、ｎ２によって乗算されたＴＴＩであり、ｎ２がＱ以上であることと、再送信されたアップリンクデータを送信し、かつ、ＰＨＩＣＨを送信する各ダウンリンクサブフレームからの時間間隔が最も長いアップリンクサブフレームに対応する第２の時間間隔が最も短いこととを満たす。ｎ２及びＱは正の整数であり、Ｑによって乗算されたＴＴＩは、ＰＨＩＣＨの送信における遅延と、ＰＨＩＣＨの受信処理における遅延と、再送信されたアップリンクデータパケットアセンブリにおける遅延との合計である。  アップリンクデータを送信する各アップリンクサブフレームと、ＰＨＩＣＨを送信し、かつ、アップリンクサブフレームに対応する各ダウンリンクサブフレームとの間の第３の時間間隔。第３の時間間隔は、ｎ３によって乗算されたＴＴＩであり、アップリンクデータを送信する対応アップリンクサブフレームと、アップリンクスケジューリングに用いられるＤＣＩを送信し、かつ、アップリンクサブフレームに対応するダウンリンクサブフレームとの間の第１の時間間隔に従って設定され、ｎ３は正の整数であり、第３の時間間隔は、アップリンクデータの送信における遅延と、アップリンクデータの受信処理における遅延と、ＰＨＩＣＨデータパケットアセンブリにおける遅延との合計以上である。又は、
ダウンリンクデータを送信する各ダウンリンクサブフレームと、アップリンクフィードバックを送信し、かつ、ダウンリンクサブフレームに対応する各アップリンクサブフレームとの間の第４の時間間隔。第４の時間間隔は、ｎ４によって乗算されたＴＴＩであり、ｎ４がＷ以上であることと、アップリンクフィードバックを送信し、かつ、ダウンリンクデータを送信する各ダウンリンクサブフレームからの時間間隔が最も長いアップリンクサブフレームに対応する第４の時間間隔が最も短いこととを満たす。ｎ４及びＷは正の整数であり、Ｗによって乗算されたＴＴＩは、ダウンリンクデータの送信における遅延と、ダウンリンクデータの受信処理における遅延と、アップリンクフィードバックパケットアセンブリの実行における遅延との合計である。
【００２４】
第２の態様によれば、本発明の実施形態は、時分割複信ＴＤＤシステムにおけるデータ送信装置を提供する。装置は、
ネットワークとのデータ送信を実行する送信時間間隔ＴＴＩを決定するように構成される処理モジュールと、
処理モジュールによって決定されたＴＴＩを用いることによって、ネットワークとのデータ送信を実行するように構成される送信モジュールと、
を含み、
ＴＴＩは、１ｍｓより短い。
【００２５】
この解決手段によれば、既存のＴＤＤシステムにおける１ｍｓのＴＴＩは短縮され、短縮されたＴＴＩは、データ送信を実行するために用いられる。データ送信は、ＴＤＤシステムにおける単位としてＴＴＩを用いることによって実行されるので、ＴＴＩの長さが減少し、データスケジューリングの最小単位が短縮される。特に、利用可能なアップリンクサブフレームを待つことにおける遅延は、ＵＥがアップリンクデータを送信する場合に減少し、及び／又は、利用可能なダウンリンクサブフレームを待つことにおける遅延は、基地局がダウンリンクデータを送信する場合に減少する。従って、ＴＤＤシステムにおけるＲＴＴが減少する。
【００２６】
第２の態様を参照すると、第１の可能な実装態様において、
処理モジュールは、無線フレームのＴＤＤ構成及びスペシャルサブフレームＳサブフレーム構成を決定するようにさらに構成され、
送信モジュールは、処理モジュールによって決定されたＴＴＩならびに無線フレームのＴＤＤ構成及びＳサブフレーム構成を用いることによって、ネットワークとのデータ送信を実行するように具体的に構成される。
【００２７】
第２の態様の第１の可能な実装態様を参照すると、第２の可能な実装態様において、Ｓサブフレーム構成は、
セルカバレッジ半径が事前設定されたカバレッジ半径閾値より大きい場合に、無線フレームにおけるＳサブフレームがＭ個の連続するサブフレームを含むことと、Ｓサブフレームにおけるガード期間ＧＰの長さが、セルカバレッジ半径に従って決定されることと、を含む。  Ｍは、１より大きい整数である。
【００２８】
第２の態様の第１の可能な実装態様を参照すると、第３の可能な実装態様において、ＴＤＤ構成は、無線フレームにおいて、ダウンリンクからアップリンクへのスイッチポイントの周期が、無線フレームの長さの２分の１以下であることを含む。
【００２９】
第２の態様の第１の可能な実装態様を参照すると、第４の可能な実装態様において、Ｓサブフレーム構成は、
１つの無線フレームが複数のＳサブフレームを含む場合に、いくつかのＳサブフレームはサウンディング参照信号ＳＲＳ信号を含み、他のＳサブフレームはＳＲＳ信号を含まないことを含む。
【００３０】
第２の態様を参照すると、第５の可能な実装態様において、
処理モジュールは、ブロードキャストチャネルが無線フレームの第２のサブフレームにおいて最初の２つのシンボルを占有する場合に、物理ダウンリンク制御チャネルＰＤＣＣＨが無線フレームの第２のサブフレームにおける最初の２つのシンボルにおいて送信されないことを決定するようにさらに構成され、
送信モジュールは、無線フレームの第２のサブフレームにおける最初の２つのシンボルにおいて、ネットワークによって送信されたＰＤＣＣＨの受信をスキップするように具体的に構成される。
【００３１】
第２の態様を参照すると、第６の可能な実装態様において、
処理モジュールは、ブロードキャストチャネルが無線フレームの第１のサブフレームを占有することを決定するようにさらに構成され、
送信モジュールは、無線フレームの第１のサブフレームにおいて、ネットワークによって送信されたブロードキャストチャネルを受信するように具体的に構成される。
【００３２】
第２の態様を参照すると、第７の可能な実装態様において、
処理モジュールは、物理ランダムアクセスチャネルＰＲＡＣＨの長さを決定し、ＰＲＡＣＨの決定された長さがサブフレームの長さより大きい場合に、ＰＲＡＣＨがＣ個の連続するアップリンクサブフレームを占有することを決定するようにさらに構成され、Ｃは正の整数であり、
送信モジュールは、処理モジュールによって決定されたＰＲＡＣＨを用いることによって、アップリンクランダムアクセスプリアンブルをネットワークに送信するように具体的に構成される。
【００３３】
第２の態様の第７の可能な実装態様を参照すると、第８の可能な実装態様において、処理モジュールは、Ｓサブフレーム及び／又はＰ個のダウンリンクサブフレームが、ＰＲＡＣＨによって占有されるＣ個の連続するアップリンクサブフレームの間に含まれることを決定するように具体的に構成され、Ｐは正の整数である。
【００３４】
第２の態様の第１の可能な実装態様、第２の態様の第２の可能な実装態様、第２の態様の第３の可能な実装態様、第２の態様の第４の可能な実装態様を参照すると、第９の可能な実装態様において、
送信モジュールは、第１のブロードキャストメッセージ又は無線リソース制御ＲＲＣメッセージを用いることによって、ネットワークによって送信された無線フレームのＴＤＤ構成及びＳサブフレーム構成を受信するようにさらに構成され、
処理モジュールは、送信モジュールによって受信された無線フレームのＴＤＤ構成及びＳサブフレーム構成を、決定された無線フレームのＴＤＤ構成及びＳサブフレーム構成として用いるように具体的に構成される。
【００３５】
第２の態様の第１の可能な実装態様、第２の態様の第２の可能な実装態様、第２の態様の第３の可能な実装態様、第２の態様の第４の可能な実装態様を参照すると、第１０の可能な実装態様において、
無線フレームのＴＤＤ構成及びＳサブフレーム構成は、処理モジュールによってネットワークとの間で規定される。
【００３６】
第２の態様、第２の態様の第１の可能な実装態様、第２の態様の第２の可能な実装態様、第２の態様の第３の可能な実装態様、第２の態様の第４の可能な実装態様、第２の態様の第５の可能な実装態様、第２の態様の第６の可能な実装態様、第２の態様の第７の可能な実装態様、第２の態様の第８の可能な実装態様、第２の態様の第９の可能な実装態様、又は第２の態様の第１０の可能な実装態様を参照すると、第１１の可能な実装態様において、
送信モジュールは、第２のブロードキャストメッセージ又は無線リソース制御メッセージを用いることによって、ネットワークによって送信されたＴＴＩを受信するようにさらに構成され、
処理モジュールは、送信モジュールによって受信されたＴＴＩを、決定されたＴＴＩとして用いるように具体的に構成される。
【００３７】
第２の態様、第２の態様の第１の可能な実装態様、第２の態様の第２の可能な実装態様、第２の態様の第３の可能な実装態様、第２の態様の第４の可能な実装態様、第２の態様の第５の可能な実装態様、第２の態様の第６の可能な実装態様、第２の態様の第７の可能な実装態様、第２の態様の第８の可能な実装態様、第２の態様の第９の可能な実装態様、又は第２の態様の第１０の可能な実装態様を参照すると、第１２の可能な実装態様において、ＴＴＩは、処理モジュールによってネットワークとの間で規定される。
【００３８】
第２の態様、第２の態様の第１の可能な実装態様、第２の態様の第２の可能な実装態様、第２の態様の第３の可能な実装態様、第２の態様の第４の可能な実装態様、第２の態様の第５の可能な実装態様、第２の態様の第６の可能な実装態様、第２の態様の第７の可能な実装態様、第２の態様の第８の可能な実装態様、第２の態様の第９の可能な実装態様、第２の態様の第１０の可能な実装態様、第２の態様の第１１の可能な実装態様、第２の態様の第１２の可能な実装態様を参照すると、第１３の可能な実装態様において、処理モジュールは、送信モジュールによってネットワークとのデータ送信を実行するハイブリッド自動再送要求ＨＡＲＱ処理の時系列を決定するようにさらに構成され、
送信モジュールは、処理モジュールによって決定されたＨＡＲＱ処理の時系列を用いることによって、ネットワークとのデータ送信を実行するように具体的に構成され、
ＨＡＲＱ処理の時系列は、以下の時系列の少なくとも１つを含む。  アップリンクスケジューリングに用いられるダウンリンク制御情報ＤＣＩを送信する各ダウンリンクサブフレームと、アップリンクデータを送信し、かつ、ダウンリンクサブフレームに対応するアップリンクサブフレームとの間の第１の時間間隔。第１の時間間隔は、ｎ１によって乗算されたＴＴＩであり、ｎ１がＮ以上であることと、１つのアップリンクＨＡＲＱ処理が１つのダウンリンクサブフレームによってスケジューリングされた場合に、アップリンクデータを送信し、かつ、アップリンクスケジューリングに用いられるＤＣＩを送信する各ダウンリンクサブフレームからの時間間隔が最も長いアップリンクサブフレームに対応する第１の時間間隔が最も短いこととを満たす。ｎ１及びＮは正の整数であり、Ｎによって乗算されたＴＴＩは、アップリンクスケジューリングに用いられるＤＣＩの送信における遅延と、アップリンクスケジューリングに用いられるＤＣＩの受信処理における遅延と、アップリンクデータパケットアセンブリにおける遅延との合計である。  物理ハイブリッド自動再送インジケータチャネルＰＨＩＣＨを送信する各ダウンリンクサブフレームと、再送信されたアップリンクデータを送信し、かつ、ダウンリンクサブフレームに対応するアップリンクサブフレームとの間の第２の時間間隔。第２の時間間隔は、ｎ２によって乗算されたＴＴＩであり、ｎ２がＱ以上であることと、再送信されたアップリンクデータを送信し、かつ、ＰＨＩＣＨを送信する各ダウンリンクサブフレームからの時間間隔が最も長いアップリンクサブフレームに対応する第２の時間間隔が最も短いこととを満たす。ｎ２及びＱは正の整数であり、Ｑによって乗算されたＴＴＩは、ＰＨＩＣＨの送信における遅延と、ＰＨＩＣＨの受信処理における遅延と、再送信されたアップリンクデータパケットアセンブリの実行における遅延との合計である。  アップリンクデータを送信する各アップリンクサブフレームと、ＰＨＩＣＨを送信し、かつ、アップリンクサブフレームに対応する各ダウンリンクサブフレームとの間の第３の時間間隔。第３の時間間隔は、ｎ３によって乗算されたＴＴＩであり、アップリンクデータを送信する対応アップリンクサブフレームと、アップリンクスケジューリングに用いられるＤＣＩを送信し、かつ、アップリンクサブフレームに対応するダウンリンクサブフレームとの間の第１の時間間隔に従って設定され、ｎ３は正の整数であり、第３の時間間隔は、アップリンクデータの送信における遅延と、アップリンクデータの受信処理における遅延と、ＰＨＩＣＨデータパケットアセンブリにおける遅延との合計以上である。又は、
ダウンリンクデータを送信する各ダウンリンクサブフレームと、アップリンクフィードバックを送信し、かつ、ダウンリンクサブフレームに対応する各アップリンクサブフレームとの間の第４の時間間隔。第４の時間間隔は、ｎ４によって乗算されたＴＴＩであり、ｎ４がＷ以上であることと、アップリンクフィードバックを送信し、かつ、ダウンリンクデータを送信する各ダウンリンクサブフレームからの時間間隔が最も長いアップリンクサブフレームに対応する第４の時間間隔が最も短いこととを満たす。ｎ４及びＷは正の整数であり、Ｗによって乗算されたＴＴＩは、ダウンリンクデータの送信における遅延と、ダウンリンクデータの受信処理における遅延と、アップリンクフィードバックパケットアセンブリの実行における遅延との合計である。
【００３９】
第３の態様によれば、本発明の実施形態は、時分割複信ＴＤＤシステムにおけるデータ送信方法を提供する。方法は、
ユーザ機器ＵＥとのデータ送信を実行する送信時間間隔ＴＴＩを決定する段階と、
決定されたＴＴＩを用いることによって、ＵＥとのデータ送信を実行する段階と、
を含み、
ＴＴＩは、１ｍｓより短い。
【００４０】
この解決手段によれば、既存のＴＤＤシステムにおける１ｍｓのＴＴＩは短縮され、短縮されたＴＴＩは、データ送信を実行するために用いられる。データ送信は、ＴＤＤシステムにおける単位としてＴＴＩを用いることによって実行されるので、ＴＴＩの長さが減少し、データスケジューリングの最小単位が短縮される。特に、利用可能なアップリンクサブフレームを待つことにおける遅延は、ＵＥがアップリンクデータを送信する場合に減少し、及び／又は、利用可能なダウンリンクサブフレームを待つことにおける遅延は、基地局がダウンリンクデータを送信する場合に減少する。従って、ＴＤＤシステムにおけるＲＴＴが減少する。
【００４１】
第３の態様を参照すると、第１の可能な実装態様において、
ＵＥとのデータ送信を実行するＴＴＩを決定する段階の後であって、ＵＥとのデータ送信を実行する段階の前に、方法は、無線フレームのＴＤＤ構成及びスペシャルサブフレームＳサブフレーム構成を決定する段階をさらに含み、
決定されたＴＴＩを用いることによってＵＥとのデータ送信を実行する段階は、決定されたＴＴＩならびに無線フレームのＴＤＤ構成及びＳサブフレーム構成を用いることによって、ＵＥとのデータ送信を実行する段階を含む。
【００４２】
第３の態様の第１の可能な実装態様を参照すると、第２の可能な実装態様において、Ｓサブフレーム構成は、
セルカバレッジ半径が事前設定されたカバレッジ半径閾値より大きい場合に、無線フレームにおけるＳサブフレームがＭ個の連続するサブフレームを含むことと、Ｓサブフレームにおけるガード期間ＧＰの長さが、セルカバレッジ半径に従って決定されることと、を含む。  Ｍは、１より大きい整数である。
【００４３】
第３の態様の第１の可能な実装態様を参照すると、第３の可能な実装態様において、ＴＤＤ構成は、無線フレームにおいて、ダウンリンクからアップリンクへのスイッチポイントの周期が、無線フレームの長さの２分の１以下であることを含む。
【００４４】
第３の態様の第１の可能な実装態様を参照すると、第４の可能な実装態様において、Ｓサブフレーム構成は、
１つの無線フレームが複数のＳサブフレームを含む場合に、いくつかのＳサブフレームはサウンディング参照信号ＳＲＳ信号を含み、他のＳサブフレームはＳＲＳ信号を含まないことを含む。
【００４５】
第３の態様を参照すると、第５の可能な実装態様において、
ＵＥとのデータ送信を実行するＴＴＩを決定する段階の後であって、ＵＥとのデータ送信を実行する段階の前に、方法は、
ブロードキャストチャネルが無線フレームの第２のサブフレームにおいて最初の２つのシンボルを占有する場合に、無線フレームの第２のサブフレームにおける最初の２つのシンボルにおいて、物理ダウンリンク制御チャネルＰＤＣＣＨの送信をスキップすることを決定する段階をさらに含み、
ＵＥとのデータ送信を実行する段階は、無線フレームの第２のサブフレームにおける最初の２つのシンボルにおいて、ＰＤＣＣＨのＵＥへの送信をスキップする段階を含む。
【００４６】
第３の態様を参照すると、第６の可能な実装態様において、
ＵＥとのデータ送信を実行するＴＴＩを決定する段階の後であって、ＵＥとのデータ送信を実行する段階の前に、方法は、ブロードキャストチャネルが無線フレームの第１のサブフレームを占有することを決定する段階をさらに含み、
ＵＥとのデータ送信を実行する段階は、無線フレームの第１のサブフレームにおいて、ブロードキャストチャネルをＵＥに送信する段階を含む。
【００４７】
第３の態様を参照すると、第７の可能な実装態様において、ＵＥとのデータ送信を実行する段階の前に、方法は、
物理ランダムアクセスチャネルＰＲＡＣＨの長さを決定する段階と、
ＰＲＡＣＨの決定された長さがサブフレームの長さより大きい場合に、ＰＲＡＣＨがＣ個の連続するアップリンクサブフレームを占有することを決定する段階と、をさらに含み、Ｃは正の整数であり、
ＵＥとのデータ送信を実行する段階は、決定されたＰＲＡＣＨを用いることによって、ＵＥによって送信されたアップリンクランダムアクセスプリアンブルを受信する段階を含む。
【００４８】
第３の態様の第７の可能な実装態様を参照すると、第８の可能な実装態様において、ＰＲＡＣＨがＣ個の連続するアップリンクサブフレームを占有することを決定する段階の後であって、ＵＥとのデータ送信を実行する段階の前に、方法は、Ｓサブフレーム及び／又はＰ個のダウンリンクサブフレームが、ＰＲＡＣＨによって占有されたＣ個の連続するアップリンクサブフレームの間に含まれることを決定する段階をさらに含み、Ｐは正の整数である。
【００４９】
第３の態様の第１の可能な実装態様、第３の態様の第２の可能な実装態様、第３の態様の第３の可能な実装態様、又は第３の態様の第４の可能な実装態様を参照すると、第９の可能な実装態様において、
ＴＤＤ構成及びＳサブフレーム構成を決定する段階の後であって、ＵＥとのデータ送信を実行する段階の前に、方法は、
第１のブロードキャストメッセージ又は無線リソース制御ＲＲＣメッセージを用いることによって、決定されたＴＤＤ構成及びＳサブフレーム構成をＵＥに送信する段階をさらに含む。
【００５０】
第３の態様の第１の可能な実装態様、第３の態様の第２の可能な実装態様、第３の態様の第３の可能な実装態様、又は第３の態様の第４の可能な実装態様を参照すると、第１０の可能な実装態様において、
無線フレームのＴＤＤ構成及びＳサブフレーム構成は、ＵＥとの間で規定される。
【００５１】
第３の態様、第３の態様の第１の可能な実装態様、第３の態様の第２の可能な実装態様、第３の態様の第３の可能な実装態様、第３の態様の第４の可能な実装態様、第３の態様の第５の可能な実装態様、第３の態様の第６の可能な実装態様、第３の態様の第７の可能な実装態様、第３の態様の第８の可能な実装態様、第３の態様の第９の可能な実装態様、又は第３の態様の第１０の可能な実装態様を参照すると、第１１の可能な実装態様において、
ＵＥとのデータ送信を実行するＴＴＩを決定する段階の後であって、ＵＥとのデータ送信を実行する段階の前に、方法は、
第２のブロードキャストメッセージ又はＲＲＣメッセージを用いることによって、決定されたＴＴＩをＵＥに送信する段階をさらに含む。
【００５２】
第３の態様、第３の態様の第１の可能な実装態様、第３の態様の第２の可能な実装態様、第３の態様の第３の可能な実装態様、第３の態様の第４の可能な実装態様、第３の態様の第５の可能な実装態様、第３の態様の第６の可能な実装態様、第３の態様の第７の可能な実装態様、第３の態様の第８の可能な実装態様、第３の態様の第９の可能な実装態様、又は第３の態様の第１０の可能な実装態様を参照すると、第１２の可能な実装態様において、ＴＴＩは、ＵＥとの間で規定される。
【００５３】
第３の態様、第３の態様の第１の可能な実装態様、第３の態様の第２の可能な実装態様、第３の態様の第３の可能な実装態様、第３の態様の第４の可能な実装態様、第３の態様の第５の可能な実装態様、第３の態様の第６の可能な実装態様、第３の態様の第７の可能な実装態様、第３の態様の第８の可能な実装態様、第３の態様の第９の可能な実装態様、第３の態様の第１０の可能な実装態様、第３の態様の第１１の可能な実装態様、又は第３の態様の第１２の可能な実装態様を参照すると、第１３の可能な実装態様において、
ＵＥとのデータ送信を実行するＴＴＩを決定する段階の後であって、ＵＥとのデータ送信を実行する段階の前に、方法は、
ＵＥとのデータ送信を実行するハイブリッド自動再送要求ＨＡＲＱ処理の時系列を決定する段階をさらに含み、
ＵＥとのデータ送信を実行する段階は、ＨＡＲＱ処理の決定された時系列を用いることによって、ＵＥとのデータ送信を実行を実行する段階を含み、
ＨＡＲＱ処理の時系列は、以下の時系列の少なくとも１つを含む。  アップリンクスケジューリングに用いられるダウンリンク制御情報ＤＣＩを送信する各ダウンリンクサブフレームと、アップリンクデータを送信し、かつ、ダウンリンクサブフレームに対応するアップリンクサブフレームとの間の第１の時間間隔。第１の時間間隔は、ｎ１によって乗算されたＴＴＩであり、ｎ１がＮ以上であることと、１つのアップリンクＨＡＲＱ処理が１つのダウンリンクサブフレームによってスケジューリングされた場合に、アップリンクデータを送信し、かつ、アップリンクスケジューリングに用いられるＤＣＩを送信する各ダウンリンクサブフレームからの時間間隔が最も長いアップリンクサブフレームに対応する第１の時間間隔が最も短いこととを満たす。ｎ１及びＮは正の整数であり、Ｎによって乗算されたＴＴＩは、アップリンクスケジューリングに用いられるＤＣＩの送信における遅延と、アップリンクスケジューリングに用いられるＤＣＩの受信処理における遅延と、アップリンクデータパケットアセンブリにおける遅延との合計である。  物理ハイブリッド自動再送インジケータチャネルＰＨＩＣＨを送信する各ダウンリンクサブフレームと、再送信されたアップリンクデータを送信し、かつ、ダウンリンクサブフレームに対応するアップリンクサブフレームとの間の第２の時間間隔。第２の時間間隔は、ｎ２によって乗算されたＴＴＩであり、ｎ２がＱ以上であることと、再送信されたアップリンクデータを送信し、かつ、ＰＨＩＣＨを送信する各ダウンリンクサブフレームからの時間間隔が最も長いアップリンクサブフレームに対応する第２の時間間隔が最も短いこととを満たす。ｎ２及びＱは正の整数であり、Ｑによって乗算されたＴＴＩは、ＰＨＩＣＨの送信における遅延と、ＰＨＩＣＨの受信処理における遅延と、再送信されたアップリンクデータパケットアセンブリにおける遅延との合計である。  アップリンクデータを送信する各アップリンクサブフレームと、ＰＨＩＣＨを送信し、かつ、アップリンクサブフレームに対応する各ダウンリンクサブフレームとの間の第３の時間間隔。第３の時間間隔は、ｎ３によって乗算されたＴＴＩであり、アップリンクデータを送信する対応アップリンクサブフレームと、アップリンクスケジューリングに用いられるＤＣＩを送信し、かつ、アップリンクサブフレームに対応するダウンリンクサブフレームとの間の第１の時間間隔に従って設定され、ｎ３は正の整数であり、第３の時間間隔は、アップリンクデータの送信における遅延と、アップリンクデータの受信処理における遅延と、ＰＨＩＣＨデータパケットアセンブリにおける遅延との合計以上である。又は、
ダウンリンクデータを送信する各ダウンリンクサブフレームと、アップリンクフィードバックを送信し、かつ、ダウンリンクサブフレームに対応する各アップリンクサブフレームとの間の第４の時間間隔。第４の時間間隔は、ｎ４によって乗算されたＴＴＩであり、ｎ４がＷ以上であることと、アップリンクフィードバックを送信し、かつ、ダウンリンクデータを送信する各ダウンリンクサブフレームからの時間間隔が最も長いアップリンクサブフレームに対応する第４の時間間隔が最も短いこととを満たす。ｎ４及びＷは正の整数であり、Ｗによって乗算されたＴＴＩは、ダウンリンクデータの送信における遅延と、ダウンリンクデータの受信処理における遅延と、アップリンクフィードバックパケットアセンブリにおける遅延との合計である。
【００５４】
第４の態様によれば、本発明の実施形態は、時分割複信ＴＤＤシステムにおけるデータ送信方法を提供する。方法は、
ネットワークとのデータ送信を実行する送信時間間隔ＴＴＩを決定する段階と、
決定されたＴＴＩを用いることによって、ネットワークとのデータ送信を実行する段階と、
を含み、
ＴＴＩは、１ｍｓより短い。
【００５５】
この解決手段によれば、既存のＴＤＤシステムにおける１ｍｓのＴＴＩは短縮され、短縮されたＴＴＩは、データ送信を実行するために用いられる。データ送信は、ＴＤＤシステムにおける単位としてＴＴＩを用いることによって実行されるので、ＴＴＩの長さが減少し、データスケジューリングの最小単位が短縮される。特に、利用可能なアップリンクサブフレームを待つことにおける遅延は、ＵＥがアップリンクデータを送信する場合に減少し、及び／又は、利用可能なダウンリンクサブフレームを待つことにおける遅延は、基地局がダウンリンクデータを送信する場合に減少する。従って、ＴＤＤシステムにおけるＲＴＴが減少する。
【００５６】
第４の態様を参照すると、第１の可能な実装態様において、
ネットワークとのデータ送信を実行するＴＴＩを決定する段階の後であって、ネットワークとのデータ送信を実行する段階の前に、方法は、無線フレームのＴＤＤ構成及びスペシャルサブフレームＳサブフレーム構成を決定する段階をさらに含み、
決定されたＴＴＩを用いることによってネットワークとのデータ送信を実行する段階は、決定されたＴＴＩならびに無線フレームのＴＤＤ構成及びＳサブフレーム構成を用いることによって、ネットワークとのデータ送信を実行する段階を含む。
【００５７】
第４の態様の第１の可能な実装態様を参照すると、第２の可能な実装態様において、Ｓサブフレーム構成は、
セルカバレッジ半径が事前設定されたカバレッジ半径閾値より大きい場合に、無線フレームにおけるＳサブフレームがＭ個の連続するサブフレームを含むことと、Ｓサブフレームにおけるガード期間ＧＰの長さが、セルカバレッジ半径に従って決定されることと、を含む。  Ｍは、１より大きい整数である。
【００５８】
第４の態様の第１の可能な実装態様を参照すると、第３の可能な実装態様において、ＴＤＤ構成は、無線フレームにおいて、ダウンリンクからアップリンクへのスイッチポイントの周期が、無線フレームの長さの２分の１以下であることを含む。
【００５９】
第４の態様の第１の可能な実装態様を参照すると、第４の可能な実装態様において、Ｓサブフレーム構成は、
１つの無線フレームが複数のＳサブフレームを含む場合に、いくつかのＳサブフレームはサウンディング参照信号ＳＲＳ信号を含み、他のＳサブフレームはＳＲＳ信号を含まないことを含む。
【００６０】
第４の態様を参照すると、第５の可能な実装態様において、
ネットワークとのデータ送信を実行するＴＴＩを決定する段階の後であって、ネットワークとのデータ送信を実行する段階の前に、方法は、ブロードキャストチャネルが無線フレームの第２のサブフレームにおいて最初の２つのシンボルを占有する場合に、物理ダウンリンク制御チャネルＰＤＣＣＨが、無線フレームの第２のサブフレームにおける最初の２つのシンボルにおいて送信されないことを決定する段階をさらに含み、
ネットワークとのデータ送信を実行する段階は、無線フレームの第２のサブフレームにおける最初の２つのシンボルにおいて、ネットワークによって送信されたＰＤＣＣＨの受信をスキップする段階を含む。
【００６１】
第４の態様を参照すると、第６の可能な実装態様において、
ネットワークとのデータ送信を実行するＴＴＩを決定する段階の後であって、ネットワークとのデータ送信を実行する段階の前に、方法は、ブロードキャストチャネルが無線フレームの第１のサブフレームを占有することを決定する段階をさらに含み、
ネットワークとのデータ送信を実行する段階は、無線フレームの第１のサブフレームにおいて、ネットワークによって送信されたブロードキャストチャネルを受信する段階を含む。
【００６２】
第４の態様を参照すると、第７の可能な実装態様において、
ネットワークとのデータ送信を実行するＴＴＩを決定する段階の後であって、ネットワークとのデータ送信を実行する段階の前に、方法は、物理ランダムアクセスチャネルＰＲＡＣＨの長さを決定する段階と、
ＰＲＡＣＨの決定された長さがサブフレームの長さより大きい場合に、ＰＲＡＣＨが、Ｃ個の連続するアップリンクサブフレームを占有することを決定する段階と、
をさらに含み、
Ｃは正の整数であり、
ネットワークとのデータ送信を実行する段階は、決定されたＰＲＡＣＨを用いることによって、アップリンクランダムアクセスプリアンブルをネットワークに送信する段階を含む。
【００６３】
第４の態様の第７の可能な実装態様を参照すると、第８の可能な実装態様において、ＰＲＡＣＨがＣ個の連続するアップリンクサブフレームを占有することを決定する段階の後であって、ネットワークとのデータ送信を実行する段階の前に、方法は、Ｓサブフレーム及び／又はＰ個のダウンリンクサブフレームが、ＰＲＡＣＨによって占有されたＣ個の連続するアップリンクサブフレームの間に含まれることを決定する段階をさらに含み、Ｐは正の整数である。
【００６４】
第４の態様の第１の可能な実装態様、第４の態様の第２の可能な実装態様、第４の態様の第３の可能な実装態様、又は第４の態様の第４の可能な実装態様を参照すると、第９の可能な実装態様において、
無線フレームのＴＤＤ構成及びスペシャルサブフレームＳサブフレーム構成を決定する段階は、
ネットワークによって送信された無線フレームのＴＤＤ構成及びスペシャルサブフレームＳサブフレーム構成を、第１のブロードキャストメッセージ又は無線リソース制御ＲＲＣを用いることによって受信する段階と、
受信されたＴＤＤ構成及びＳサブフレーム構成を、決定されたＴＤＤ構成又はＳサブフレーム構成として用いる段階と、
を含む。
【００６５】
第４の態様の第１の可能な実装態様、第４の態様の第２の可能な実装態様、第４の態様の第３の可能な実装態様、又は第４の態様の第４の可能な実装態様を参照すると、第１０の可能な実装態様において、
ＴＤＤ構成及びＳサブフレーム構成は、ネットワークとの間で規定される。
【００６６】
第４の態様、第４の態様の第１の可能な実装態様、第４の態様の第２の可能な実装態様、第４の態様の第３の可能な実装態様、第４の態様の第４の可能な実装態様、第４の態様の第５の可能な実装態様、第４の態様の第６の可能な実装態様、第４の態様の第７の可能な実装態様、第４の態様の第８の可能な実装態様、第４の態様の第９の可能な実装態様、又は第４の態様の第１０の可能な実装態様を参照すると、第１１の可能な実装態様において、
ネットワークとのデータ送信を実行するＴＴＩを決定する段階は、第２のブロードキャストメッセージ又はＲＲＣメッセージを用いることによって、ネットワークによって送信されたＴＴＩを受信する段階と、受信されたＴＴＩを決定されたＴＴＩとしてデータ送信に用いる段階と、
を含む。
【００６７】
第４の態様、第４の態様の第１の可能な実装態様、第４の態様の第２の可能な実装態様、第４の態様の第３の可能な実装態様、第４の態様の第４の可能な実装態様、第４の態様の第５の可能な実装態様、第４の態様の第６の可能な実装態様、第４の態様の第７の可能な実装態様、第４の態様の第８の可能な実装態様、第４の態様の第９の可能な実装態様、又は第４の態様の第１０の可能な実装態様を参照すると、第１２の可能な実装態様において、ＴＴＩは、ネットワークとの間で規定される。
【００６８】
第４の態様、第４の態様の第１の可能な実装態様、第４の態様の第２の可能な実装態様、第４の態様の第３の可能な実装態様、第４の態様の第４の可能な実装態様、第４の態様の第５の可能な実装態様、第４の態様の第６の可能な実装態様、第４の態様の第７の可能な実装態様、第４の態様の第８の可能な実装態様、第４の態様の第９の可能な実装態様、第４の態様の第１０の可能な実装態様、第４の態様の第１１の可能な実装態様、又は第４の態様の第１２の可能な実装態様を参照すると、第１３の可能な実装態様において、
ネットワークとのデータ送信を実行するＴＴＩを決定する段階の後であって、ネットワークとのデータ送信を実行する段階の前に、方法は、
ネットワークとのデータ送信を実行するハイブリッド自動再送要求ＨＡＲＱ処理の時系列を決定する段階をさらに含み、
ネットワークとのデータ送信を実行する段階は、ＨＡＲＱ処理の決定された時系列を用いることによって、ネットワークとのデータ送信を実行する段階を含み、
ＨＡＲＱ処理の時系列は、以下の時系列の少なくとも１つを含む。  アップリンクスケジューリングに用いられるダウンリンク制御情報ＤＣＩを送信する各ダウンリンクサブフレームと、アップリンクデータを送信し、かつ、ダウンリンクサブフレームに対応するアップリンクサブフレームとの間の第１の時間間隔。第１の時間間隔は、ｎ１によって乗算されたＴＴＩであり、ｎ１がＮ以上であることと、１つのアップリンクＨＡＲＱ処理が１つのダウンリンクサブフレームによってスケジューリングされた場合に、アップリンクデータを送信し、かつ、アップリンクスケジューリングに用いられるＤＣＩを送信する各ダウンリンクサブフレームからの時間間隔が最も長いアップリンクサブフレームに対応する第１の時間間隔が最も短いこととを満たす。ｎ１及びＮは正の整数であり、Ｎによって乗算されたＴＴＩは、アップリンクスケジューリングに用いられるＤＣＩの送信における遅延と、アップリンクスケジューリングに用いられるＤＣＩの受信処理における遅延と、アップリンクデータパケットアセンブリにおける遅延との合計である。  物理ハイブリッド自動再送インジケータチャネルＰＨＩＣＨを送信する各ダウンリンクサブフレームと、再送信されたアップリンクデータを送信し、かつ、ダウンリンクサブフレームに対応するアップリンクサブフレームとの間の第２の時間間隔。第２の時間間隔は、ｎ２によって乗算されたＴＴＩであり、ｎ２がＱ以上であることと、再送信されたアップリンクデータを送信し、かつ、ＰＨＩＣＨを送信する各ダウンリンクサブフレームからの時間間隔が最も長いアップリンクサブフレームに対応する第２の時間間隔が最も短いこととを満たす。ｎ２及びＱは正の整数であり、Ｑによって乗算されたＴＴＩは、ＰＨＩＣＨの送信における遅延と、ＰＨＩＣＨの受信処理における遅延と、再送信されたアップリンクデータパケットアセンブリにおける遅延との合計である。  アップリンクデータを送信する各アップリンクサブフレームと、ＰＨＩＣＨを送信し、かつ、アップリンクサブフレームに対応する各ダウンリンクサブフレームとの間の第３の時間間隔。第３の時間間隔は、ｎ３によって乗算されたＴＴＩであり、アップリンクデータを送信する対応アップリンクサブフレームと、アップリンクスケジューリングに用いられるＤＣＩを送信し、かつ、アップリンクサブフレームに対応するダウンリンクサブフレームとの間の第１の時間間隔に従って設定され、ｎ３は正の整数であり、第３の時間間隔は、アップリンクデータの送信における遅延と、アップリンクデータの受信処理における遅延と、ＰＨＩＣＨデータパケットアセンブリにおける遅延との合計以上である。又は、
ダウンリンクデータを送信する各ダウンリンクサブフレームと、アップリンクフィードバックを送信し、かつ、ダウンリンクサブフレームに対応する各アップリンクサブフレームとの間の第４の時間間隔。第４の時間間隔は、ｎ４によって乗算されたＴＴＩであり、ｎ４がＷ以上であることと、アップリンクフィードバックを送信し、かつ、ダウンリンクデータを送信する各ダウンリンクサブフレームからの時間間隔が最も長いアップリンクサブフレームに対応する第４の時間間隔が最も短いこととを満たす。ｎ４及びＷは正の整数であり、Ｗによって乗算されたＴＴＩは、ダウンリンクデータの送信における遅延と、ダウンリンクデータの受信処理における遅延と、アップリンクフィードバックパケットアセンブリの実行におけるＵＥの遅延との合計である。
【００６９】
第５の態様によれば、本発明の実施形態は、時分割複信ＴＤＤシステムにおけるデータ送信装置を提供する。装置は、
ユーザ機器ＵＥの処理遅延に従って、ＵＥとのデータ送信を実行するハイブリッド自動再送要求ＨＡＲＱ処理の時系列を決定するように構成される処理モジュールと、
処理モジュールによって決定されたＨＡＲＱ処理の時系列に従って、ＵＥとのデータ送信を実行するように構成される送信モジュールと、
を含む。
【００７０】
この解決手段によれば、ＵＥの処理遅延が短くなる場合に、ＨＡＲＱ処理の時系列は、ＵＥの短処理遅延に従ってリセットされてよく、ＨＡＲＱ処理全体が時間的に圧縮され、従って、ＲＴＴが効果的に短縮される。
【００７１】
第５の態様を参照すると、第１の可能な実装態様において、
ＵＥの処理遅延は、ダウンリンクデータ又はダウンリンクシグナリングの受信処理におけるＵＥの遅延と、アップリンクデータパケットアセンブリ、再送信されたアップリンクデータパケットアセンブリ、又はアップリンクシグナリングパケットアセンブリの実行におけるＵＥの遅延とを含む。
【００７２】
第５の態様の第１の可能な実装態様を参照すると、第２の可能な実装態様において、
ＨＡＲＱ処理の時系列は、
アップリンクスケジューリングに用いられるダウンリンク制御情報ＤＣＩを送信する各ダウンリンクサブフレームと、アップリンクデータを送信し、かつ、ダウンリンクサブフレームに対応するアップリンクサブフレームとの間の第１の時間間隔、
物理ハイブリッド自動再送インジケータチャネルＰＨＩＣＨを送信する各ダウンリンクサブフレームと、再送信されたアップリンクデータを送信し、かつ、ダウンリンクサブフレームに対応するアップリンクサブフレームとの間の第２の時間間隔、又は、
ダウンリンクデータを送信する各ダウンリンクサブフレームと、アップリンクフィードバックを送信し、かつ、ダウンリンクサブフレームに対応する各アップリンクサブフレームとの間の第４の時間間隔
の時系列の１つ又は複数を含む。
第１の時間間隔は、ｎ１によって乗算されたＴＴＩであり、ｎ１がＮ以上であることと、１つのアップリンクＨＡＲＱ処理が１つのダウンリンクサブフレームによってスケジューリングされた場合に、アップリンクデータを送信し、かつ、アップリンクスケジューリングに用いられるＤＣＩを送信する各ダウンリンクサブフレームからの時間間隔が最も長いアップリンクサブフレームに対応する第１の時間間隔が最も短いこととを満たす。ｎ１及びＮは正の整数であり、Ｎによって乗算されたＴＴＩは、アップリンクスケジューリングに用いられるＤＣＩの送信における遅延と、アップリンクスケジューリングに用いられるＤＣＩの受信処理におけるＵＥの遅延と、アップリンクデータパケットアセンブリの実行におけるＵＥの遅延との合計である。
第２の時間間隔は、ｎ２によって乗算されたＴＴＩであり、ｎ２がＱ以上であることと、再送信されたアップリンクデータを送信し、かつ、ＰＨＩＣＨを送信する各ダウンリンクサブフレームからの時間間隔が最も長いアップリンクサブフレームに対応する第２の時間間隔が最も短いこととを満たす。ｎ２及びＱは正の整数であり、Ｑによって乗算されたＴＴＩは、ＰＨＩＣＨの送信における遅延と、ＰＨＩＣＨの受信処理におけるＵＥの遅延と、再送信されたアップリンクデータパケットアセンブリの実行におけるＵＥの遅延との合計である。
第４の時間間隔は、ｎ４によって乗算されたＴＴＩであり、ｎ４がＷ以上であることと、アップリンクフィードバックを送信し、かつ、ダウンリンクデータを送信する各ダウンリンクサブフレームからの時間間隔が最も長いアップリンクサブフレームに対応する第４の時間間隔が最も短いこととを満たす。ｎ４及びＷは正の整数であり、Ｗによって乗算されたＴＴＩは、ダウンリンクデータの送信における遅延と、ダウンリンクデータの受信処理におけるＵＥの遅延と、アップリンクフィードバックパケットアセンブリの実行におけるＵＥの遅延との合計である。
【００７３】
第５の態様、第５の態様の第１の可能な実装態様、又は第５の態様の第２の可能な実装態様を参照すると、第５の態様の第３の可能な実装態様において、
無線フレームにおいて、ダウンリンクからアップリンクへのスイッチポイントの周期は、無線フレームの長さの２分の１以下である。
【００７４】
第５の態様、第５の態様の第１の可能な実装態様、第５の態様の第２の可能な実装態様、又は第５の態様の第３の可能な実装態様を参照すると、第５の態様の第４の可能な実装態様において、
処理モジュールは、送信モジュールがＵＥとのデータ送信を実行する前に、ＵＥとのデータ送信を実行する送信時間間隔ＴＴＩを決定するようにさらに構成され、
送信モジュールは、処理モジュールによって決定されたＴＴＩ及びＨＡＲＱ処理の時系列を用いることによって、ＵＥとのデータ送信を実行するように具体的に構成され、
ＴＴＩは、１ｍｓより短い。
【００７５】
第６の態様によれば、本発明の実施形態は、時分割複信ＴＤＤシステムにおけるデータ送信装置を提供する。装置は、
ネットワークの処理遅延に従って、ネットワークとのデータ送信を実行するハイブリッド自動再送要求ＨＡＲＱ処理の時系列を決定するように構成される処理モジュールと、
処理モジュールによって決定されたＨＡＲＱ処理の時系列に従って、ネットワークとのデータ送信を実行するように構成される送信モジュールと、
を含む。
【００７６】
この解決手段によれば、ネットワークの処理遅延が短くなる場合に、ＨＡＲＱ処理の時系列は、ネットワークの短処理遅延に従ってリセットされてよく、ＨＡＲＱ処理全体が時間的に圧縮され、従って、ＲＴＴが効果的に短縮される。
【００７７】
第６の態様を参照すると、第１の可能な実装態様において、ネットワークの処理遅延は、
アップリンクデータ又はアップリンクシグナリングの受信処理におけるネットワークの遅延は、ダウンリンクデータパケットアセンブリ、再送信されたダウンリンクデータパケットアセンブリ、又はアップリンクシグナリングパケットアセンブリの実行におけるネットワークの遅延
を含む。
【００７８】
第６の態様の第１の可能な実装態様を参照すると、第２の可能な実装態様において、
ＨＡＲＱ処理の時系列は、アップリンクデータを送信する各アップリンクサブフレームと、ＰＨＩＣＨを送信し、かつ、アップリンクサブフレームに対応する各ダウンリンクサブフレームとの間の第３の時間間隔を含む。各第３の時間間隔は、アップリンクデータを送信する対応アップリンクサブフレームと、ＤＣＩを送信し、かつ、アップリンクサブフレームに対応するダウンリンクサブフレームとの間の第１の時間間隔に従って設定され、第３の時間間隔が、アップリンクデータの送信における遅延と、受信されたアップリンクデータの受信処理におけるネットワークの遅延と、ＰＨＩＣＨデータパケットアセンブリの実行におけるネットワークの遅延との合計以上であることを満たす。
第１の時間間隔は、ｎ１によって乗算されたＴＴＩであり、ｎ１がＮ以上であることと、１つのアップリンクＨＡＲＱ処理が１つのダウンリンクサブフレームによってスケジューリングされた場合に、アップリンクデータを送信し、かつ、アップリンクスケジューリングに用いられるＤＣＩを送信する各ダウンリンクサブフレームからの時間間隔が最も長いアップリンクサブフレームに対応する第１の時間間隔が最も短いこととを満たす。ｎ１及びＮは正の整数であり、Ｎによって乗算されたＴＴＩは、アップリンクスケジューリングに用いられるＤＣＩの送信における遅延と、アップリンクスケジューリングに用いられるＤＣＩの受信処理におけるＵＥの遅延と、アップリンクデータパケットアセンブリの実行におけるＵＥの遅延との合計である。
【００７９】
第６の態様、第６の態様の第１の可能な実装態様、又は第６の態様の第２の可能な実装態様を参照すると、第６の態様の第３の可能な実装態様において、
無線フレームにおいて、ダウンリンクからアップリンクへのスイッチポイントの周期は、無線フレームの長さの２分の１以下である。
【００８０】
第６の態様、第６の態様の第１の可能な実装態様、第６の態様の第２の可能な実装態様、又は第６の態様の第３の可能な実装態様を参照すると、第６の態様の第４の可能な実装態様において、
処理モジュールは、送信モジュールがネットワークとのデータ送信を実行する前に、ネットワークとのデータ送信を実行する送信時間間隔ＴＴＩを決定するようにさらに構成され、
送信モジュールは、処理モジュールによって決定されたＴＴＩを用いることによって、ネットワークとのデータ送信を実行するように具体的に構成され、
ＴＴＩは、１ｍｓより短い。
【００８１】
第７の態様によれば、本発明の実施形態は、時分割複信ＴＤＤシステムにおけるデータ送信方法を提供する。方法は、
ユーザ機器ＵＥの処理遅延に従って、ＵＥとのデータ送信を実行するハイブリッド自動再送要求ＨＡＲＱ処理の時系列を決定する段階と、
ＨＡＲＱ処理の決定された時系列に従って、ＵＥとのデータ送信を実行する段階と、
を含む。
【００８２】
この解決手段によれば、ＵＥのデバイス処理遅延が短くなる場合に、ＨＡＲＱ処理の時系列は、ＵＥの短処理遅延に従ってリセットされてよく、ＨＡＲＱ処理全体が時間的に圧縮され、従って、ＲＴＴが効果的に短縮される。
【００８３】
第７の態様を参照すると、第１の可能な実装態様において、
ＵＥの処理遅延は、ダウンリンクデータ又はダウンリンクシグナリングの受信処理におけるＵＥの遅延と、アップリンクデータパケットアセンブリ、再送信されたアップリンクデータパケットアセンブリ、又はアップリンクシグナリングパケットアセンブリの実行におけるＵＥの遅延とを含む。
【００８４】
第７の態様の第１の可能な実装態様を参照すると、第２の可能な実装態様において、ＨＡＲＱ処理の時系列は、
アップリンクスケジューリングに用いられるダウンリンク制御情報ＤＣＩを送信する各ダウンリンクサブフレームと、アップリンクデータを送信し、かつ、ダウンリンクサブフレームに対応するアップリンクサブフレームとの間の第１の時間間隔、
物理ハイブリッド自動再送インジケータチャネルＰＨＩＣＨを送信する各ダウンリンクサブフレームと、再送信されたアップリンクデータを送信し、かつ、ダウンリンクサブフレームに対応するアップリンクサブフレームとの間の第２の時間間隔、又は、
ダウンリンクデータを送信する各ダウンリンクサブフレームと、アップリンクフィードバックを送信し、かつ、ダウンリンクサブフレームに対応する各アップリンクサブフレームとの間の第４の時間間隔
の時系列の１つ又は複数を含む。
第１の時間間隔は、ｎ１によって乗算されたＴＴＩであり、ｎ１がＮ以上であることと、１つのアップリンクＨＡＲＱ処理が１つのダウンリンクサブフレームによってスケジューリングされた場合に、アップリンクデータを送信し、かつ、アップリンクスケジューリングに用いられるＤＣＩを送信する各ダウンリンクサブフレームからの時間間隔が最も長いアップリンクサブフレームに対応する第１の時間間隔が最も短いこととを満たす。ｎ１及びＮは正の整数であり、Ｎによって乗算されたＴＴＩは、アップリンクスケジューリングに用いられるＤＣＩの送信における遅延と、アップリンクスケジューリングに用いられるＤＣＩの受信処理におけるＵＥの遅延と、アップリンクデータパケットアセンブリの実行におけるＵＥの遅延との合計である。
第２の時間間隔は、ｎ２によって乗算されたＴＴＩであり、ｎ２がＱ以上であることと、再送信されたアップリンクデータを送信し、かつ、ＰＨＩＣＨを送信する各ダウンリンクサブフレームからの時間間隔が最も長いアップリンクサブフレームに対応する第２の時間間隔が最も短いこととを満たす。ｎ２及びＱは正の整数であり、Ｑによって乗算されたＴＴＩは、ＰＨＩＣＨの送信における遅延と、ＰＨＩＣＨの受信処理におけるＵＥの遅延と、再送信されたアップリンクデータパケットアセンブリの実行におけるＵＥの遅延との合計である。
第４の時間間隔は、ｎ４によって乗算されたＴＴＩであり、ｎ４がＷ以上であることと、アップリンクフィードバックを送信し、かつ、ダウンリンクデータを送信する各ダウンリンクサブフレームからの時間間隔が最も長いアップリンクサブフレームに対応する第４の時間間隔が最も短いこととを満たす。ｎ４及びＷは正の整数であり、Ｗによって乗算されたＴＴＩは、ダウンリンクデータの送信における遅延と、ダウンリンクデータの受信処理におけるＵＥの遅延と、アップリンクフィードバックパケットアセンブリの実行におけるＵＥの遅延との合計である。
【００８５】
第７の態様、第７の態様の第１の可能な実装態様、又は第７の態様の第２の可能な実装態様を参照すると、第７の態様の第３の可能な実装態様において、
無線フレームにおいて、ダウンリンクからアップリンクへのスイッチポイントの周期は、無線フレームの長さの２分の１以下である。
【００８６】
第７の態様、第７の態様の第１の可能な実装態様、第７の態様の第２の可能な実装態様、又は第７の態様の第３の可能な実装態様を参照すると、第７の態様の第４の可能な実装態様において、ＵＥとのデータ送信を実行する段階の前に、方法は、ＵＥとのデータ送信を実行する送信時間間隔ＴＴＩを決定する段階をさらに含み、
ＵＥとのデータ送信を実行する段階は、決定されたＴＴＩを用いることによって、ＵＥとのデータ送信を実行する段階を含み、
ＴＴＩは、１ｍｓより短い。
【００８７】
第８の態様によれば、本発明の実施形態は、時分割複信ＴＤＤシステムにおけるデータ送信方法を提供する。方法は、
ネットワークの処理遅延に従って、ネットワークとのデータ送信を実行するハイブリッド自動再送要求ＨＡＲＱ処理の時系列を決定する段階と、
ＨＡＲＱ処理の決定された時系列に従って、ネットワークとのデータ送信を実行する段階と、
を含む。
【００８８】
この解決手段によれば、ネットワークの処理遅延が短くなる場合に、ＨＡＲＱ処理の時系列は、ネットワークの短処理遅延に従ってリセットされてよく、ＨＡＲＱ処理全体が時間的に圧縮され、従って、ＲＴＴが効果的に短縮される。
【００８９】
第８の態様を参照すると、第１の可能な実装態様において、ネットワークの処理遅延は、
アップリンクデータ又はアップリンクシグナリングの受信処理におけるネットワークの遅延は、ダウンリンクデータパケットアセンブリ、再送信されたダウンリンクデータパケットアセンブリ、又はアップリンクシグナリングパケットアセンブリの実行におけるネットワークの遅延
を含む。
【００９０】
第８の態様の第１の可能な実装態様を参照すると、第２の可能な実装態様において、
ＨＡＲＱ処理の時系列は、アップリンクデータを送信する各アップリンクサブフレームと、ＰＨＩＣＨを送信し、かつ、アップリンクサブフレームに対応する各ダウンリンクサブフレームとの間の第３の時間間隔を含む。各第３の時間間隔は、アップリンクデータを送信する対応アップリンクサブフレームと、ＤＣＩを送信し、かつ、アップリンクサブフレームに対応するダウンリンクサブフレームとの間の第１の時間間隔に従って設定され、第３の時間間隔が、アップリンクデータの送信における遅延と、受信されたアップリンクデータの受信処理におけるネットワークの遅延と、ＰＨＩＣＨデータパケットアセンブリの実行におけるネットワークの遅延との合計以上であることを満たす。
第１の時間間隔は、ｎ１によって乗算されたＴＴＩであり、ｎ１がＮ以上であることと、１つのアップリンクＨＡＲＱ処理が１つのダウンリンクサブフレームによってスケジューリングされた場合に、アップリンクデータを送信し、かつ、アップリンクスケジューリングに用いられるＤＣＩを送信する各ダウンリンクサブフレームからの時間間隔が最も長いアップリンクサブフレームに対応する第１の時間間隔が最も短いこととを満たす。ｎ１及びＮは正の整数であり、Ｎによって乗算されたＴＴＩは、アップリンクスケジューリングに用いられるＤＣＩの送信における遅延と、アップリンクスケジューリングに用いられるＤＣＩの受信処理におけるＵＥの遅延と、アップリンクデータパケットアセンブリの実行におけるＵＥの遅延との合計である。
【００９１】
第８の態様、第８の態様の第１の可能な実装態様、又は第８の態様の第２の可能な実装態様を参照すると、第８の態様の第３の可能な実装態様において、
無線フレームにおいて、ダウンリンクからアップリンクへのスイッチポイントの周期は、無線フレームの長さの２分の１以下である。
【００９２】
第８の態様、第８の態様の第１の可能な実装態様、第８の態様の第２の可能な実装態様、又は第８の態様の第３の可能な実装態様を参照すると、第８の態様の第４の可能な実装態様において、ネットワークとのデータ送信を実行する段階の前に、方法は、ネットワークとのデータ送信を実行する送信時間間隔ＴＴＩを決定する段階をさらに含み、
ネットワークとのデータ送信を実行する段階は、決定されたＴＴＩを用いることによって、ネットワークとのデータ送信を実行する段階を含み、
ＴＴＩは、１ｍｓより短い。
【図面の簡単な説明】
【００９３】
【図１】ＴＤＤシステムにおけるダウンリンクＨＡＲＱ  ＲＴＴの模式図である。
【００９４】
【図２】ＴＤＤシステムにおけるアップリンクＨＡＲＱ  ＲＴＴの模式図である。
【００９５】
【図３】本発明の実施形態に係るデータ送信のための第１の装置の模式的構造図である。
【００９６】
【図４】本発明の実施形態に係るデータ送信のための第１の装置がＴＤＤシステムにおいて用いられる場合の、小さいカバレッジシナリオにおけるＴＤＤ構成の模式図である。
【００９７】
【図５】本発明の実施形態に係るデータ送信のための第１の装置がＴＤＤシステムにおいて用いられる場合の、大きいカバレッジシナリオにおけるＴＤＤ構成の模式図である。
【００９８】
【図６】本発明の実施形態に係るデータ送信のための第１の装置がＴＤＤシステムにおいて用いられる場合の、小さいカバレッジシナリオにおけるＳサブフレーム構成の模式図である。
【図７】本発明の実施形態に係るデータ送信のための第１の装置がＴＤＤシステムにおいて用いられる場合の、小さいカバレッジシナリオにおけるＳサブフレーム構成の模式図である。
【００９９】
【図８】本発明の実施形態に係るデータ送信のための第１の装置がＴＤＤシステムにおいて用いられる場合の、大きいカバレッジシナリオにおけるＳサブフレーム構成の模式図である。
【０１００】
【図９】本発明の実施形態に係るデータ送信のための第１の装置がＴＤＤシステムにおいて用いられる場合に、図８に示されるＳサブフレーム構成が大きいカバレッジシナリオにおいて用いられる場合の物理チャネル構成の模式図である。
【０１０１】
【図１０】本発明の実施形態に係るデータ送信のための第１の装置がＴＤＤシステムにおいて用いられる場合の、フレキシブルサブフレーム構成モードにおける無線フレームの模式的構造図である。
【０１０２】
【図１１】本発明の実施形態に係るデータ送信のための第１の装置がＴＤＤシステムにおいて用いられる場合の、フレキシブルサブフレーム構成モードにおける無線フレームの模式的構造図である。
【０１０３】
【図１２】本発明の実施形態に係るデータ送信のための第１の装置がＴＤＤシステムにおいて用いられる場合の、大きいカバレッジシナリオにおけるフレキシブルサブフレーム構成モードの模式図である。
【０１０４】
【図１３】本発明の実施形態に係るデータ送信のための第１の装置がＴＤＤシステムにおいて用いられる場合に、フレキシブルサブフレーム構成モードが大きいカバレッジシナリオにおいて用いられる場合の無線フレームの模式的構造図である。
【０１０５】
【図１４】図１１に示される無線フレーム構造がＴＤＤシステムにおいて用いられる場合の、物理チャネル構成の模式図である。
【０１０６】
【図１５】本発明の実施形態に係るデータ送信のための第１の装置がＴＤＤシステムにおいて用いられる場合の無線フレームの模式的構造図である。
【０１０７】
【図１６】本発明の実施形態に係るデータ送信のための第１の装置がＴＤＤシステムにおいて用いられる場合の無線フレームの模式的構造図である。
【０１０８】
【図１７】図１６に示される無線フレーム構造がＴＤＤシステムにおいて用いられる場合の、物理チャネル構成の模式図である。
【０１０９】
【図１８】本発明の実施形態に係るデータ送信のための第２の装置の模式的構造図である。
【０１１０】
【図１９】本発明の実施形態に係るデータ送信のための第３の装置の模式的構造図である。
【０１１１】
【図２０】本発明の実施形態に係るデータ送信のための第４の装置の模式的構造図である。
【０１１２】
【図２１】本発明の実施形態に係るデータ送信のための第１の方法のフローチャートである。
【０１１３】
【図２２】本発明の実施形態に係るデータ送信のための第２の方法のフローチャートである。
【０１１４】
【図２３】本発明の実施形態に係るデータ送信のための第５の装置の模式的構造図である。
【０１１５】
【図２４】本発明の実施形態に係るデータ送信のための第５の装置がＴＤＤシステムにおいて用いられる場合の、ダウンリンクＨＡＲＱ  ＲＴＴの模式図である。
【０１１６】
【図２５】本発明の実施形態に係るデータ送信のための第６の装置の模式的構造図である。
【０１１７】
【図２６】本発明の実施形態に係るデータ送信のための第７の装置の模式的構造図である。
【０１１８】
【図２７】本発明の実施形態に係るデータ送信のための第７の装置がＴＤＤシステムにおいて用いられる場合の、アップリンクＨＡＲＱ  ＲＴＴの模式図である。
【０１１９】
【図２８】本発明の実施形態に係るデータ送信のための第８の装置の模式的構造図である。
【０１２０】
【図２９】本発明の実施形態に係るデータ送信のための第３の方法のフローチャートである。
【０１２１】
【図３０】本発明の実施形態に係るデータ送信のための第４の方法のフローチャートである。
【発明を実施するための形態】
【０１２２】
本発明の複数の実施形態は、効果的にＲＴＴを減少させ、データ送信効率を向上させるために用いられるデータ送信装置及び方法を提供する。
【０１２３】
本発明の実施形態に係るデータ送信のための第１の装置において、既存のＴＤＤシステムにおける１ｍｓの送信時間間隔（Ｔｒａｎｓｍｉｓｓｉｏｎ  Ｔｉｍｅ  Ｉｎｔｅｒｖａｌ、ＴＴＩ）が短縮され、短縮されたＴＴＩがデータ送信を実行するために用いられる。データ送信は、ＴＤＤシステムにおける単位としてＴＴＩを用いることによって実行されるので、ＴＴＩの長さが減少し、データスケジューリングの最小単位が短縮される。特に、利用可能なアップリンクサブフレームを待つことにおける遅延は、ＵＥがアップリンクデータを送信する場合に減少し、及び／又は、利用可能なダウンリンクサブフレームを待つことにおける遅延は、基地局がダウンリンクデータを送信する場合に減少する。従って、ＴＤＤシステムにおけるＲＴＴが減少する。
【０１２４】
本発明の実施形態に係るデータ送信のための第５の装置において、ＨＡＲＱ処理の時系列は、ユーザ機器（ＵＥ）の処理遅延に従って設定される。ＵＥの処理遅延が短くなる場合であって、元のＨＡＲＱ処理の時系列がなおも用いられる場合、ＲＴＴは、効果的に短縮されることができない（なぜなら、ＵＥは、ＵＥのデバイス処理遅延がどれだけ短いかに関わらず、最初に特定された後の時間に、アップリンクデータ又はアップリンクフィードバックをなおも送信するからである）。装置を用いることによって、ＵＥの処理遅延が短くなった場合に、ＨＡＲＱ処理の時系列は、ＵＥの短処理遅延に従ってリセットされてよい（例えば、元の設定では、アップリンクフィードバックは、サブフレームｎ＋４において実行される。本発明の実施形態によって提供される装置及び方法が用いられた後では、ＵＥの短処理遅延に従って、アップリンクフィードバックがサブフレームｎ＋３において実行される設定であってよい）。従って、ＨＡＲＱ処理全体は、時間的に圧縮され、ＲＴＴが効果的に短縮される。
【０１２５】
本発明の実施形態に係るデータ送信のための第７の装置は、データ送信のための第５の装置と同様であり、これらの差異は、ＨＡＲＱ処理の時系列がネットワークの処理遅延に従って設定されることであり、これはさらに、ＲＴＴを効果的に短縮することができる。
【０１２６】
本発明の複数の実施形態の詳細な説明の前に、まず、本発明の複数の実施形態において用いられるいくつかの概念、すなわち、ＴＴＩ、ＴＤＤ構成（アップリンク−ダウンリンク構成）、スペシャルサブフレーム（Ｓサブフレーム）構成（Ｓｐｅｃｉａｌ  ｓｕｂｆｒａｍｅ  ｃｏｎｆｉｇｕｒａｔｉｏｎ）が説明される。
【０１２７】
ＴＴＩ
【０１２８】
概して、無線通信システムにおいて、データスケジューリングは、単位としてＴＴＩを用いることによって実行される。複数のユーザ機器（Ｕｓｅｒ  Ｅｑｕｉｐｍｅｎｔ、ＵＥ）がチャネルを共有する場合、ネットワークデバイス（例えば、基地局又は基地局コントローラ）のスケジューラは、各ＴＴＩにおいて、複数のＵＥのチャネル品質に従って、どのＵＥがスケジューリングされるか、及び、いくつの（電力及びコードのような）リソースがＵＥに割り当てられるかを決定する。
【０１２９】
既存の時分割複信ロングタームエボリューション（ＴＤＤ  ＬＴＥ）システムでは、ＰＤＳＣＨ及びＰＵＳＣＨの両方が共有チャネルであり、ＴＴＩは１ｍｓと定義される。チャネルを共有する複数のＵＥでは、１ｍｓのＴＴＩがスケジューリングの最小スケジューリング単位として用いられる。すなわち、ネットワークは、１ｍｓ毎に１回、ＵＥスケジューリングを実行する。
【０１３０】
ＴＴＩが短縮可能な場合、ネットワークがＵＥをスケジューリングするスケジューリング間隔が短縮され、ＲＴＴは効果的に短縮可能である。本発明の実施形態に係るデータ送信のための第１の装置は、発明の概念に基づいて提供される。
【０１３１】
既存のＴＤＤ−ＬＴＥシステムでは、サブフレームの長さが１ｍｓで、ＴＴＩも１ｍｓであるが、スケジューリングの間に、１つのサブフレームのスケジューリングが複数の回数実行されることができないので、ＴＴＩが短縮される必要がある場合、まずサブフレームの長さが短縮される必要がある。
【０１３２】
任意に、ＴＴＩは、サブフレームの長さに等しくてよく、又は、サブフレームの長さの整数倍であってよい。既存のＴＤＤ  ＬＴＥシステムと比較してＲＴＴを短縮すべく、ＴＴＩは、既存のＴＴＩの長さ（例えば、既存のＴＤＤ  ＬＴＥシステムでは１ｍｓ）より小さくされる必要がある。
【０１３３】
さらに、ＴＴＩが短縮された後、無線フレームのチャネル構成も、適応的に変更される必要がある。従って、本発明の複数の実施形態は、ＴＴＩが短縮された後で、様々な無線フレームのチャネル構成をさらに提供し、当業者による本発明の実装を容易にする。
【０１３４】
ＴＤＤ構成
【０１３５】
本発明の複数の実施形態において、ＴＤＤ  ＬＴＥシステムが説明例として用いられる。しかしながら、これは、本発明の複数の実施形態がＴＤＤ  ＬＴＥシステムのみに適用可能であることを意味するものではない。実際に、ＲＴＴが短縮される必要があるあらゆるＴＤＤシステムは、本発明の複数の実施形態によって提供される解決手段を用いてよい。
【０１３６】
ＴＤＤ  ＬＴＥシステムにおいて、ＴＤＤ構成は、非常に重要な概念である。様々なチャネル構成は、具体的なＴＤＤ構成で全て実装される。従って、本発明の複数の実施形態の説明前に、既存のＴＤＤ  ＬＴＥシステムにおけるＴＤＤ構成の場合が、まず説明される。
【０１３７】
表１は、既存のＴＤＤ  ＬＴＥシステムにおけるＴＤＤ構成の表である。表１に示されるように、既存のＴＤＤ  ＬＴＥシステムには、０−６の合計７つのＴＤＤ構成が存在する。表において、「Ｄ」はダウンリンクサブフレームを表し、「Ｓ」はスペシャルサブフレーム（Ｓサブフレーム）を表し、「Ｕ」はアップリンクサブフレームを表す（以下の説明において、「Ｓ」、「Ｄ」、及び「Ｕ」の意味は、本明細書に定義されるものと同じであり、さらには説明されない）。表１において、ＴＤＤ構成０、１、２および６におけるダウンリンクからアップリンクへのスイッチポイントの周期（Ｄｏｗｎｌｉｎｋ−ｔｏ−Ｕｐｌｉｎｋ  Ｓｗｉｔｃｈ−ｐｏｉｎｔ  ｐｅｒｉｏｄｉｃｉｔｙ）は、５ｍｓであり、ＴＤＤ構成３−５におけるダウンリンクからアップリンクへのスイッチポイントの周期は、１０ｍｓである。
【表１】
0006362118.tif 000002
【０１３８】
Ｓサブフレーム構成
【０１３９】
Ｓサブフレーム構成は、Ｓサブフレームの様々な構成である。表２は、標準サイクリックプレフィクス（Ｎｏｒｍａｌ  Ｃｙｃｌｉｃ  Ｐｒｅｆｉｘ、ＣＰ）が既存のＴＤＤ  ＬＴＥシステムにおいてダウンリンク方向に用いられる場合のＳサブフレーム構成表である。図２に示されるように、標準ＣＰがダウンリンク方向に用いられる場合、合計で９つの異なるＳサブフレーム構成、すなわち０−８が存在する。異なるＳサブフレーム構成では、ダウンリンクパイロットタイムスロット（ＤｗＰＴＳ）の長さと、アップリンクパイロットタイムスロット（ＵｐＰＴＳ）の長さとは異なる。表２において、Ｔｓは、ＴＤＤ  ＬＴＥシステムにおけるＯＦＤＭシンボルの高速フーリエ変換におけるサンプリング間隔であり、１／（１５０００＊２０４８）ｓに等しい。
【表２】
0006362118.tif 000003
【０１４０】
本発明の複数の実施形態が、添付図面を参照して、以下説明される。
【０１４１】
まず、本発明の実施形態に係るデータ送信のための第１の装置が説明される。装置は、ＴＤＤシステムにおけるネットワークデバイスであってよい。
【０１４２】
図３は、本発明の実施形態に係るデータ送信のための第１の装置の模式的構造図である。図３に示されるように、装置は、
ＵＥとのデータ送信を実行するＴＴＩを決定するように構成される処理モジュール３０１と、
処理モジュール３０１によって決定されたＴＴＩを用いることによって、ＵＥとのデータ送信を実行するように構成される送信モジュール３０２と、
を含み、
ＴＴＩは、１ｍｓより短い。
【０１４３】
任意に、ＴＤＤシステムにおいて、無線フレームの長さは変化せず、なおも１０ｍｓである。サブフレームの長さは、元の長さの１／ｎに減少する。ここで、ｎ＞１であり、任意には整数である。ｎ＝２が例として用いられる。サブフレームの長さは、０．５ｍｓである。ＴＴＩの長さは、サブフレームの長さに等しく、０．５ｍｓである。シンボルの長さは、既存のＴＤＤ  ＬＴＥシステムのものと同じである。
【０１４４】
ｎ＝２の場合、複数のＴＤＤ構成モードが存在してよい。以下、例を用いることによって、ＴＤＤ構成モードのうち、３つを説明する。多数のＴＤＤ構成モードが存在し得るので、それらのＴＤＤ構成モードを１つずつ示すことは不可能である。本発明の実施形態に示される３つのモードを参照した後、当業者であれば、本発明の実施形態の発明の概念による具体的な適用シナリオに基づいて、この３つのモードに対するバリエーション及び変形、すなわち、ＴＴＩの長さの短縮をなし得る。しかしながら、これらの変形は本発明の実施形態の同じ発明の概念に基づいているので、これらの変形又はバリエーションも、本発明の特許請求の範囲によって定義される保護範囲に属する。
【０１４５】
本発明の実施形態によって提供される３つの具体的なＴＤＤ構成モードが、以下、１つずつ説明される。
【０１４６】
モード１：ダウンリンクからアップリンクへのスイッチポイントの周期が変化しない。
【０１４７】
モード１のＴＤＤ構成モードが、以下の表３に示される。
【表３】
0006362118.tif 000004
【０１４８】
本発明において、既存のＴＤＤシステムのものと同じ付番の態様が、サブフレームの付番に用いられる。すなわち、無線フレームにおいて、複数のサブフレームは０から付番され、無線フレームにおける第１のサブフレームはサブフレーム０、第２のサブフレームはサブフレーム１等であり、以下、さらには説明されない。
【０１４９】
表１における既存のＴＤＤ  ＬＴＥシステムにおけるＴＤＤ構成と比較して、表３に示されるように、ダウンリンクからアップリンクへのスイッチポイントの周期は変化せず、表３において、１つの元のサブフレームは、２つの連続する同じサブフレームに変更される。
【０１５０】
実際の実装において、異なるカバレッジシナリオを考慮し、表３におけるＳサブフレームの長さは、変更されてよい。例えば、小さいカバレッジシナリオ（すなわち、セルカバレッジ半径が事前設定されたカバレッジ半径閾値以下）では、サブフレーム２のみがＳサブフレームとして設定されてよく、サブフレーム３は、アップリンクサブフレームとして設定される。表３におけるＴＤＤ構成８では、小さいカバレッジシナリオにおいて修正されたＴＤＤ構成が、図４に示されてよい。１０ｍｓの無線フレームにおいて、サブフレーム２及びサブフレーム１２はＳサブフレームであり、サブフレーム３及びサブフレーム１３はアップリンクサブフレームに変更される。
【０１５１】
図４において、Ｓサブフレームは、３つの部分、すなわち、ダウンリンクパイロットタイムスロット（ＤｗＰＴＳ）、ガード期間（ＧＰ）、及びアップリンクパイロットタイムスロット（ＵｐＰＴＳ）を含む。
【０１５２】
大きいカバレッジシナリオ（すなわち、セルカバレッジ半径が事前設定されたカバレッジ半径閾値より大きい）では、長いＧＰが必要とされるので、この場合、Ｓサブフレームは、複数の連続するサブフレームを占有する必要があってよい。例えば、Ｓサブフレームが２つの連続するサブフレームを占有する、表３における構成モードが用いられてよい。同様に、表３におけるＴＤＤ構成８では、ＴＤＤ構成の模式図に関して、図５が参照されてよい。
【０１５３】
図５において前述された２つのＴＤＤ構成から、大きいカバレッジシナリオでは、ＳサブフレームがＭ個の連続するサブフレームを含むことが理解されよう。さらに、セルカバレッジを確保すべく、ＳサブフレームにおけるＧＰの長さは、セルカバレッジ半径に従って決定される必要がある。ここで、Ｍは、１より大きい整数である。
【０１５４】
具体的に、本発明の実施形態に係るデータ送信のための第１の装置では、処理モジュール３０１は、無線フレームのＴＤＤ構成及びＳサブフレーム構成を決定するようにさらに構成される。
【０１５５】
同様に、ＴＤＤ構成のモード２及びモード３では、処理モジュール３０１は、無線フレームのＴＤＤ構成及びＳサブフレーム構成をさらに決定してよい。
【０１５６】
さらに、セルカバレッジ半径が事前設定されたカバレッジ半径閾値より大きい場合に、処理モジュール３０１は、無線フレームにおけるＳサブフレームがＭ個の連続するサブフレームを含むことを決定し、セルカバレッジ半径に従って、Ｓサブフレームにおけるガード期間ＧＰの長さを決定する。ここで、Ｍは、１より大きい正の整数である。
【０１５７】
同様に、ＴＤＤ構成のモード２及びモード３では、処理モジュール３０１は、セルカバレッジ半径に従って、Ｓサブフレームに含まれるサブフレームの数を決定し、セルカバレッジ半径に従って、ＧＰの長さを決定してもよい。
【０１５８】
任意に、Ｓサブフレーム構成が決定される場合、異なる構成モードが、異なるカバレッジシナリオに従って用いられてもよい。
【０１５９】
例えば、小さいカバレッジシナリオでは、任意のＳサブフレーム構成モードが、図６及び図７に示されてよい。図６は、時間におけるＳサブフレーム構成を示し、図７は、Ｓサブフレームの周波数ドメイン位置を示す。
【０１６０】
図６に示されるように、Ｓサブフレームにおいて、第３のシンボルは、主同期信号（ＰＳＳ）を搬送し、最初の１−２シンボルは物理層制御チャネル用であり、既存のＴＤＤ  ＬＴＥシステムにおけるものと同様に、物理ダウンリンク制御チャネル（ＰＤＣＣＨ）、物理制御フォーマットインジケータチャネル（ＰＣＩＦＩＣＨ）、又は物理ハイブリッド自動再送インジケータチャネル（ＰＨＩＣＨ）を搬送してよい。Ｓサブフレームにおける最後のシンボルはＵｐＰＴＳであり、アップリンクにおける測定を実行するために用いられるサウンディング参照信号（ＳＲＳ）を含んでよい。上述されたように、ＧＰの長さは、セルカバレッジ半径によって決定される。ＧＰの複数のシンボルの範囲は、第３のシンボルと最後のシンボルとの間であり、残りの部分は、物理ダウンリンク共有チャネル（ＰＤＳＣＨ）である。
【０１６１】
図６は、可能なＳサブフレーム構成のみを示すことに留意されたい。既存のＴＤＤ  ＬＴＥシステムと同様に、対応するＳサブフレーム構成は、異なる実装シナリオに従って用いられてよい。異なるＳサブフレーム構成では、表２に示されるように、ＤｗＰＴＳとＵｐＰＴＳとが、異なる長さを有してもよい。
【０１６２】
図７に示されるように、ＳサブフレームにおけるＰＳＳの周波数ドメイン位置（斜線で塗りつぶされた部分）は、システム帯域幅の中間に位置し、例えば、既存のＴＤＤ  ＬＴＥシステムのものと同じように、システム帯域幅において、７２個の中間サブキャリアで構成されてよい。
【０１６３】
大きいカバレッジシナリオでは、Ｓサブフレームが２つの連続するサブフレームを占有する場合、Ｓサブフレーム構成が図８に示されてよい。Ｓサブフレームの最初の半分の部分は、ＤｗＰＴＳ（ＰＳＳを含む）とＧＰとを含み、Ｓサブフレームの最後の部分は、ＧＰとＵｐＰＴＳとを含む。
【０１６４】
大きいカバレッジシナリオでは、図８に示されるＳサブフレーム構成が用いられ、可能な物理チャネル構成が図９に示される。図９において、ＳＳＳは副同期信号、ＰＵＳＣＨは物理アップリンク共有チャネル、ＰＢＣＨは物理ブロードキャストチャネル、ＰＵＣＣＨは物理アップリンク制御チャネル、ＰＲＡＣＨは物理ランダムアクセスチャネル、ＳＲＳはサウンディング参照信号、ＰＣＣＨはページング制御チャネルである（ＰＣＣＨは、サブフレーム０、２、１０および１２において構成されてよい）。
【０１６５】
図９に示される物理チャネル構成の解決手段において、既存のシステムとのより良い適合性のために、対応する同期チャネル（ＳＳＳ及びＰＳＳ）ならびにブロードキャストチャネル（ＰＢＣＨ）が元の位置に保留される。
【０１６６】
図９において、ＰＢＣＨはサブフレーム１における最初の２つのシンボルにおいて、いくつかのリソースを占有するので、最初の２つのシンボルにおいて、周波数分割モードがＰＢＣＨ及びＰＤＣＣＨに用いられる。すなわち、異なる周波数のサブバンドが占有される。任意に、時分割モードが、ＰＢＣＨ及びＰＤＣＣＨにさらに用いられてよい。時分割モードが用いられる場合、ＰＤＣＣＨは、サブフレーム１における最初の２つのシンボルにおいて送信されない。
【０１６７】
従って、本発明の実施形態に係るデータ送信のための第１の装置において、処理モジュール３０１は、ブロードキャストチャネルがサブフレーム１において最初の２つのシンボルを占有する場合に、サブフレーム１の最初の２つのシンボルにおけるＰＤＣＣＨの送信をスキップすることを決定するようにさらに構成される。
【０１６８】
同様に、ＴＤＤ構成のモード２及びモード３では、処理モジュール３０１は、ブロードキャストチャネルがサブフレーム１において最初の２つのシンボルを占有する場合に、ＰＢＣＨ及びＰＤＣＣＨのモードを多重化することをさらに決定し、時分割モードが用いられる場合に、サブフレーム１の最初の２つのシンボルにおけるＰＤＣＣＨの送信をスキップすることをさらに決定してよい。
【０１６９】
さらに、既存のＴＤＤ  ＬＴＥシステムと比較して、複数のサブフレームの順序関係が変更されるので、ＨＡＲＱ時系列は、以下を実装するように、適宜さらに変更される必要がある。  １．ＵＥがダウンリンク（ＤＬ）ＤＣＩのフォーマットを受信した後で、ＵＥが、アップリンクデータ送信をいつ実行するかを決定すること、
２．ＵＥがＰＨＩＣＨを受信した後で、ＵＥが、アップリンク（ＵＬ）データ再送信をいつ実行するかを決定すること、
３．ＵＥがＵＬデータを送信した後で、ＵＥが、ＤＬ肯定応答（ＡＣＫ）又は否定応答（ＮＣＫ）をいつ受信するかを決定すること、及び  ４．ＵＥがＤＬデータを受信した後で、ＵＥが、ＵＬ  ＡＣＫ／ＮＣＫフィードバックをいつ実行するかを決定すること。
【０１７０】
従って、任意に、本発明の実施形態に係るデータ送信のための第１の装置において、処理モジュール３０１は、送信モジュール３０２によるＵＥとのデータ送信を実行するＨＡＲＱ処理の時系列を決定するようにさらに構成され、送信モジュール３０２は、処理モジュール３０１によって決定されたＨＡＲＱ処理の時系列を用いることによって、ＵＥとのデータ送信を実行するように具体的に構成される。
【０１７１】
遅延（すなわち、デバイス（ＵＥ又はネットワーク、例えば基地局）の送信遅延と処理遅延との合計）が４つのＴＴＩ（ＨＡＲＱ時系列において、送信側におけるデータ又はインジケーションの送信から受信側における処理完了まで、少なくとも４つのＴＴＩが必要とされることを示し、アップリンク遅延とダウンリンク遅延とは同じとみなされる）である場合、本発明の実施形態におけるモード１のＨＡＲＱ時系列は、
【０１７２】
１．アップリンクスケジューリングに用いられるＤＣＩのネットワークによる送信と、ＵＬデータ送信のＵＥによる実行との間の第１の時間間隔
を含み、
【０１７３】
第１の時間間隔は、ｎ１によって乗算されたＴＴＩであり、ｎ１は正の整数である。
【０１７４】
ｎ１＝４、すなわち、アップリンクスケジューリングに用いられるＤＣＩの送信におけるネットワークの遅延と、ＤＣＩの処理におけるＵＥの遅延との合計が４によって乗算されたＴＴＩである場合、ＵＥがＤＣＩを受信した後、ＵＥは４つのＴＴＩに対して遅延し、ＵＬデータを送信するＵＬサブフレームとＤＣＩを受信する対応ＤＬサブフレームとの間の最長時間間隔を有するＤＬサブフレームに対応する最小オフセットを確保しつつ、ＵＬデータ送信を実行する第１のＵＬサブフレームを検出する。
【０１７５】
モード１における表３に示されるＴＤＤ構成では、ＨＡＲＱ時系列の定義に関して、以下の表４が参照されてよい。以下、表４のＴＤＤ構成１０を、説明例として用いる。表４において、斜線で示されたサブフレームがＤＬサブフレームであり、横線で示されたサブフレームがＳサブフレームであり、線で示されないサブフレームがアップリンクサブフレームである。Ｓサブフレームが２つの連続するサブフレームを含む場合、第２のサブフレームは、ＳＲＳ信号を除くアップリンク信号又はデータの送信に用いることができず、第２のサブフレームも、ダウンリンク信号又はデータの送信に用いることができない。以下の表５から表７、及び表９におけるＤＬサブフレーム、ＵＬサブフレーム、及びＳサブフレームの表現方法は、表４のものと同じであり、さらには説明されない。表４に示される数はｎ１であり、遅延が４つのＴＴＩに対してのものであるシナリオでは、ｎ１は４以上である。
【０１７６】
表４のＴＤＤ構成１０では、サブフレーム９から４つのＴＴＩより多く離れるＤＬサブフレームはサブフレーム３であることから、７によって乗算されたＴＴＩのみがＵＬオフセットに選択可能、すなわち、ｎ１＝７である。さらに、ＤＬサブフレームの数はＵＬサブフレームの数より大きい又はこれに等しいので、ＤＣＩのスケジューリングが確実に可能となる。各ＤＬサブフレームは、１つのＵＬサブフレームをスケジューリングし、スケジューリングは、連続的に遅延する。従って、サブフレーム０、１、２、３、１８および１９に対応するＵＬオフセットは、全て、７によって乗算されたＴＴＩである。
【表４】
0006362118.tif 000005
【０１７７】
例えば、表４のＴＤＤ構成７、８および１３に対して、ＤＬサブフレームの数がＵＬサブフレームの数より小さい場合、２つのＵＬグラント（ＵＬ  ｇｒａｎｔ）が、ＤＬサブフレームにおいて同時に送信される必要がある。従って、ＤＬスケジューリングが各ＵＬサブフレームにおいて実行されることが確実となる。
【０１７８】
要約すると、ＵＥがスケジューリングに用いられるＤＣＩのフォーマットを受信した後で、ＵＬデータ送信を実行するＨＡＲＱ時系列は、
アップリンクスケジューリングに用いられる制御情報ＤＣＩを送信する各ＤＬサブフレームと、ＵＬデータを送信し、かつ、ＤＬサブフレームに対応するＵＬサブフレームとの間の第１の時間間隔
を満たさなければならない。
第１の時間間隔は、ｎ１によって乗算されたＴＴＩであり、ｎ１がＮ以上であることと、１つのアップリンクＨＡＲＱ処理が１つのダウンリンクサブフレームによってスケジューリングされた場合に、アップリンクデータを送信し、かつ、アップリンクスケジューリングに用いられるＤＣＩを送信する各ダウンリンクサブフレームからの時間間隔が最も長いアップリンクサブフレームに対応する第１の時間間隔が最も短いこととを満たす。Ｎは正の整数であり、Ｎによって乗算されたＴＴＩは、アップリンクスケジューリングに用いられるＤＣＩの送信における遅延と、アップリンクスケジューリングに用いられるＤＣＩの受信処理における遅延と、アップリンクデータパケットアセンブリにおける遅延との合計である。
【０１７９】
表４では、Ｎ＝４である。Ｎは、２つの態様で設定されることに留意されたい。
【０１８０】
態様１：ネットワークにおけるセルカバレッジ半径と、本発明の実施形態に係るデータ送信装置と現在通信を行っているＵＥの処理遅延（ＨＡＲＱ時系列は、アップリンクスケジューリングに用いられるＤＣＩの受信処理におけるＵＥの遅延と、アップリンクデータパケットアセンブリの実行におけるＵＥの遅延とを含む）とに従ってＮが決定され、ＵＥの処理遅延のみが考慮される。
【０１８１】
態様２：Ｎは、ネットワークにおけるセルカバレッジ半径と、ネットワークにおける全てのＵＥの処理遅延とに従って決定される。Ｎの設定は、ネットワークにおける全てのＵＥがアップリンクスケジューリングに用いられるＤＣＩを処理し、アップリンクデータパケットアセンブリを実行するために十分な時間を有することを満たさなければならない。この場合、Ｎは、ネットワークにおける全てのＵＥの処理遅延に従って設定される。
【０１８２】
２．ネットワークによるＰＨＩＣＨの送信と、ＵＥによるＰＨＩＣＨに従ってのＵＬデータ再送信の実行との間の第２の時間間隔
【０１８３】
第２の時間間隔は、ｎ２によって乗算されたＴＴＩであり、ｎ２は正の整数である。
【０１８４】
第２の時間間隔は、
ｎ２がＱ以上であることと、再送信されたＵＬデータを送信し、かつ、ＰＨＩＣＨを送信する各ダウンリンクサブフレームからの時間間隔が最も長いアップリンクサブフレームに対応する第２の時間間隔が最も短いことと、
を満たさなければならない。ここで、ｎ２及びＱは正の整数であり、Ｑによって乗算されたＴＴＩは、ＰＨＩＣＨの送信における遅延と、ＰＨＩＣＨの受信処理における遅延と、再送信されたアップリンクデータパケットアセンブリにおける遅延との合計である。
【０１８５】
Ｑ＝４の場合、モード１における表３に示されるＴＤＤ構成では、ＨＡＲＱ時系列の定義に関して、以下の表５が参照されてよい。表５における数は、ｎ２である。本明細書において、前述されたＨＡＲＱ時系列と同様に、２つの態様が、Ｑの設定に関しても考慮されてよい。すなわち、データ送信を現在実行しているＵＥの処理遅延のみが考慮される、又は、ネットワークにおける全てのＵＥの処理遅延が考慮される。
【表５】
0006362118.tif 000006
【０１８６】
３．ＵＬデータを送信する各アップリンクサブフレームと、ＰＨＩＣＨを送信し、かつ、アップリンクサブフレームに対応する各ＤＬサブフレームとの間の第３の時間間隔（すなわち、ＵＬデータのＰＨＩＣＨフィードバック時間）
【０１８７】
第３の時間間隔は、ｎ３によって乗算されたＴＴＩであり、ｎ３は正の整数である。
【０１８８】
第３の時間間隔は、ＵＬデータを送信する対応アップリンクサブフレームと、アップリンクスケジューリングに用いられるＤＣＩを送信し、かつ、ＵＬサブフレームに対応するＤＬサブフレームとの間の第１の時間間隔に従って設定され、第３の時間間隔は、アップリンクデータの送信における遅延と、アップリンクデータの受信処理における遅延と、ＰＨＩＣＨデータパケットアセンブリにおける遅延との合計以上であることを満たす必要がある。
【０１８９】
すなわち、確実にＰＨＩＣＨフィードバックがタイムアウトしないようにすることに加えて、確実にＤＣＩ及びＰＨＩＣＨが同じＤＬサブフレームにおいて送信されるようにする必要がある。
【０１９０】
モード１における表３に示されるＴＤＤ構成では、ＨＡＲＱ時系列の定義に関して表６が参照されてよい。表６における数は、ｎ３である。
【表６】
0006362118.tif 000007
【０１９１】
４．ダウンリンクデータを送信する各ダウンリンクサブフレームと、アップリンクフィードバックを送信し、かつ、ダウンリンクサブフレームに対応する各アップリンクサブフレームとの間の第４の時間間隔（すなわち、ＤＬデータのＵＬ  ＡＣＫ／ＮＣＫフィードバック時間）
【０１９２】
第４の時間間隔は、ｎ４によって乗算されたＴＴＩであり、ｎ４は正の整数である。
【０１９３】
第４の時間間隔は、
ｎ４がＷ以上であることと、ＵＬフィードバックを送信し、かつ、ＤＬデータを送信する各ＤＬサブフレームからの時間間隔が最も長いＵＬサブフレームに対応する第４の時間間隔が最も短いことと、
を満たさなければならない。ここで、ｎ４及びＷは正の整数であり、Ｗによって乗算されたＴＴＩは、ダウンリンクデータの送信における遅延と、ダウンリンクデータの受信処理における遅延と、アップリンクフィードバックパケットアセンブリにおける遅延との合計である。
【０１９４】
Ｗ＝４の場合、モード１における表３に示されるＴＤＤ構成では、ＨＡＲＱ時系列の定義に関して表７が参照されてよい。表７における数は、ｎ４である。本明細書において、ＨＡＲＱ時系列を設定する２つの態様の１つが、Ｗの設定にも用いられてよい。すなわち、データ送信を現在実行しているＵＥの処理遅延のみが考慮される、又は、ネットワークにおける全てのＵＥの処理遅延が考慮される。
【表７】
0006362118.tif 000008
【０１９５】
モード１における表３に示されるＴＤＤ構成でのＨＡＲＱ時系列の実装態様が、上述される。以下、ＨＡＲＱ時系列におけるＤＬ  ＨＡＲＱ処理の最大数とＵＬ  ＨＡＲＱ処理の最大数とを分析する。
【０１９６】
１つのＨＡＲＱのみが各ＴＴＩにおいて許容されるので、ＨＡＲＱ処理の対応最大数は、表８に示される。具体的な分析は以下のとおりである。
【０１９７】
ＤＬを例として用いて、ＤＬデータの１つの部分が送信された後で、ＵＥは、ＵＬサブフレームにおいてｎ４個のＴＴＩの後でフィードバックを送信する。ｎ５個のＴＴＩ（本明細書において、ｎ５がネットワークの処理遅延であり、ネットワークデバイスのアルゴリズム実装に依存する。ｎ５は正の整数である。）の後で、ネットワーク（例えば基地局）は、ＤＬ再送信を実行するＤＬサブフレームを選択する。従って、新たに送信された各ＤＬサブフレームは、再送信されたＤＬサブフレームに対応する。ここで、新たに送信されたＤＬサブフレームと再送信されたＤＬサブフレームとの間に含まれるＤＬサブフレームの最大数に１を加えた数が、この構成におけるＤＬ  ＨＡＲＱ処理の最大数である。ＵＬの場合も同様である。複数の具体的な構成が、表８に示される。
【表８】
0006362118.tif 000009
【０１９８】
前述の内容は、モード１（ダウンリンクからアップリンクへのスイッチポイントの周期が変化しない）が本発明の実施形態に係るデータ送信のための第１の装置におけるＴＤＤ構成に用いられた場合の、チャネル構成、Ｓサブフレーム構成、ＨＡＲＱ時系列等の具体的な実装態様を詳細に説明した。以下、モード２（フレキシブルサブフレームタイプ構成）が本発明の実施形態に係るデータ送信のための第１の装置におけるＴＤＤ構成に用いられる具体的な実装態様を説明する。
【０１９９】
モード２：フレキシブルサブフレームタイプ構成
【０２００】
モード２において、サブフレームタイプは、具体的なシステム実装に基づいてフレキシブルに構成されてよい。任意の構成モードが図１０に示される。
【０２０１】
図１０において、ＴＴＩの長さは０．５ｍｓであり、「Ｘ」は、フレキシブルに構成可能なサブフレームを表し、ＵＬサブフレームとして具体的に構成されてよく、又は、ＤＬサブフレームもしくはＳサブフレームとして構成されてよい。
【０２０２】
１つの実装態様は、サブフレームをフレキシブルに構成することによってアップリンクからダウンリンクへのスイッチポイントを追加し、ＲＴＴをさらに減少させることである。他の実装態様は、既存のシステムとの適合性（後方適合性）を確保することである。
【０２０３】
例えば、フレキシブル構成後のサブフレーム構成が、図１１に示されてよい。図１１に示される構成において、１０ｍｓの無線フレームでは、ＤＬスイッチポイントのグループが５ｍｓ以内に追加され、ＵＬ／ＤＬスイッチングを待ついくつかのサブフレームの時間間隔を減少させる。従って、システムのＲＴＴが減少する。
【０２０４】
従って、任意に、本発明の実施形態に係るデータ送信のための第１の装置において、処理モジュール３０１は、無線フレームにおける各サブフレームのサブフレームタイプを決定するように具体的に構成され、これにより、ダウンリンクからアップリンクへのスイッチポイントの周期は、無線フレームの長さの半分以下となる。
【０２０５】
具体的には、既存のＴＤＤ  ＬＴＥシステムにおけるＴＤＤ構成０、１、２および６（表１参照）と比較して、フレキシブルサブフレーム構成によって、ＴＴＩが短縮された後、ダウンリンクからアップリンクへのスイッチポイントの周期は５ｍｓより小さくなってよい。既存のＴＤＤ  ＬＴＥにおけるＴＤＤ構成３、４および５と比較して、フレキシブルＴＤＤ構成によって、ＴＴＩが短縮された後、ダウンリンクからアップリンクへのスイッチポイントの周期は、１０ｍｓより小さくなってよく、又はさらに、５ｍｓ以下になってよい。
【０２０６】
大きいカバレッジシナリオでは、モード１と同様に、Ｓサブフレームは、複数の連続するサブフレームを占有するように構成されてよい。具体的な構成モードが、図１２に示される。サブフレーム２及びサブフレーム３はＳサブフレームであり、サブフレーム１２及びサブフレーム１３はＳサブフレームである。図１０のものと同じく、「Ｘ」は、フレキシブルに構成可能なサブフレームを表す。
【０２０７】
例えば、フレキシブル構成後のサブフレーム構成が、図１３に示される。図１３から理解され得るように、ＤＬスイッチポイントのグループが、５ｍｓ以内にさらに追加され、ＵＬ／ＤＬスイッチングを待ついくつかのサブフレームの時間間隔を減少させる。従って、ＲＴＴが減少する。
【０２０８】
図１１に示されるＴＤＤ構成では、具体的な物理チャネル構成が図１４に示されてよい。
【０２０９】
図１４から理解され得るように、全てのＳサブフレームは、ＳＲＳ信号を含む。図１４において、サブフレーム２及びサブフレーム１２のみがＳＲＳ信号を含み、サブフレーム７及びサブフレーム１７がＳＲＳ信号を含まない。設定の目的は、ＵＥのためにより多くのリソースを節約し、ＵＬデータ送信を実行することである。
【０２１０】
従って、任意に、本発明の実施形態に係るデータ送信のための第１の装置において、Ｓサブフレーム構成は、１つの無線フレームが複数のＳサブフレームを含む場合に、いくつかのＳサブフレームはＳＲＳ信号を含み、他のＳサブフレームはＳＲＳ信号を含まないことを含む。
【０２１１】
同様に、モード１及びモード３では、Ｓサブフレーム構成が用いられてもよい。１つの無線フレームが複数のＳサブフレームを含む場合、いくつかのＳサブフレームがＳＲＳ信号を含み、他のＳサブフレームがＳＲＳ信号を含まないモードが決定される。
【０２１２】
ＰＲＡＣＨチャネルでは、既存のＴＤＤ  ＬＴＥシステムにおいて、ＰＲＡＣＨチャネルは、１ｍｓの遅延を必要とする。この規定の主な目的は、送信コード（すなわち、プリアンブルＰｒｅａｍｂｌｅ）の長さ及び電力を十分に確保することである。当然ながら、技術の進歩に伴い、ＰＲＡＣＨの送信遅延はより短くなり得るが、ＰＲＡＣＨの送信遅延がサブフレームの長さより大きい限り、ＰＲＡＣＨは複数のアップリンクサブフレームを占有する必要がある。
【０２１３】
モード２において、サブフレームの長さがＴＴＩの長さに等しく、０．５ｍｓである場合、ＰＲＡＣＨチャネルは、２つのサブフレームを占有する必要がある。サブフレームの長さがより短いシナリオでは、ＰＲＡＣＨの長さに対する現在の規定に従って、ＰＲＡＣＨチャネルは、２つより多くのサブフレームを占有してよい。１つの場合は、ＰＲＡＣＨの長さを確保すべく、ＰＲＡＣＨチャネルは、ＤＬサブフレーム及びＳサブフレームを結ぶ必要がある。例えば、図１４に示されるチャネル構成では、ＰＲＡＣＨは、ＵＬサブフレーム１５及びＵＬサブフレーム１８を占有し、ＤＬサブフレーム１６及びＳサブフレーム１７を結んでよい。任意に、ＰＲＡＣＨは、Ｓサブフレーム１７において、最後の２つのシンボルをさらに占有してよい。
【０２１４】
従って、本発明の実施形態に係るデータ送信のための第１の装置において、処理モジュール３０１はＰＲＡＣＨの長さを決定し、ＰＲＡＣＨの決定された長さがサブフレームの長さより大きい場合に、ＰＲＡＣＨがＣ個の連続するアップリンクサブフレームを占有することを決定するようにさらに構成される。ここで、Ｃは正の整数である。
【０２１５】
ＴＤＤ構成のモード１及びモード３では、処理モジュールが、ＰＲＡＣＨの決定された長さがサブフレームの長さより大きい場合に、ＰＲＡＣＨがＣ個の連続するアップリンクサブフレームを占有することを決定する場合も存在し得る。
【０２１６】
ＴＤＤ構成のモード１と同じく、モード２では、本発明の実施形態に係るデータ送信のための第１の装置において、処理モジュール３０１は、送信モジュール３０２によるＵＥとのデータ送信を実行するＨＡＲＱ処理の時系列を決定するようにさらに構成され、送信モジュール３０２は、処理モジュール３０１によって決定されたＨＡＲＱ処理の時系列を用いることによって、ＵＥとのデータ送信を実行するように具体的に構成される。
【０２１７】
モード２において、図１５のＴＤＤ構成では、利用可能なＨＡＲＱ時系列が表９に示される。
【０２１８】
「ＤＣＩが受信された後のＵＬデータ送信オフセット」は、ＴＴＩの数を示し、その後で、ＵＥがＤＬ  ＤＣＩを受信した後にＵＬデータが送信される。「ＤＬフィードバック」は、ＴＴＩの数を示し、その後で、ＵＥがＤＬデータを受信した後にフィードバックＡＣＫ／ＮＣＫが送信される。「ＵＬフィードバック」は、ＴＴＩの数を示し、その後で、ネットワーク（例えば基地局）がＵＬデータを受信した後にフィードバックＡＣＫ／ＮＣＫが送信される。「ＵＥがＰＨＩＣＨを受信した後のＵＬ再送信」は、ＴＴＩの数を示し、その後で、ＵＥがＰＨＩＣＨを受信した後にＵＬデータ再送信が実行され、ＰＨＩＣＨはＮＣＫを含む。
【表９】
0006362118.tif 000010
【０２１９】
表９に示されるＨＡＲＱ時系列の原理では、モード１における各ＨＡＲＱ時系列が参照されてよい。表９に示されるように、モード２におけるＨＡＲＱ時系列のみが示されるが、当業者であれば、ＨＡＲＱ時系列及びモード１におけるＨＡＲＱ時系列に関する詳細な説明を参照することにより、他のＴＤＤ構成におけるＨＡＲＱ時系列を得ることができよう。複数のＨＡＲＱ時系列の原理は、本発明の実施形態において提供されるＨＡＲＱ時系列の原理と同じである。この原理に基づく全ての変形及びバリエーションは、本発明の特許請求の範囲によって定義される保護範囲に属する。
【０２２０】
前述の内容は、本発明の実施形態に係るデータ送信のための第１の装置におけるＴＤＤ構成のモード１（ダウンリンクからアップリンクへのスイッチポイントの周期が変化しない）及びモード２（フレキシブルサブフレームタイプ構成）を説明した。以下、ＴＤＤ構成のモード３（既存のＴＤＤシステムにおけるサブフレームの長さが元の長さの１／Ｋに減少する）を説明する。
【０２２１】
モード３
【０２２２】
モード３において、既存のＴＤＤシステムにおけるサブフレームの長さは、元の長さの１／Ｋに直接減少する。ここで、Ｋは正の整数である。このモードは、容易に実装される。
【０２２３】
Ｋ＝２の場合、表１に示されるＴＤＤ構成と比較して、モード３におけるＴＤＤ構成は、表１０に示される。
【表１０】
0006362118.tif 000011
【０２２４】
表１０の構成７を例として用いて、無線フレーム構造が図１６に示され、物理チャネル構成が図１７に示される。
【０２２５】
図１７に示されるように、ブロードキャストチャネルＰＢＣＨは、サブフレーム０を占有する。従って、本発明の実施形態に係るデータ送信のための第１の装置において、処理モジュール３０１は、ブロードキャストチャネルがサブフレーム０を占有することを決定するようにさらに構成される。構成モードは、ＴＤＤ構成のモード１及びモード２にも適用可能である。
【０２２６】
同様に、モード３では、モード３におけるＴＤＤ構成が既存のＴＤＤシステムにおけるものと比較して適宜変化するので、ＵＥとのデータ送信が実行される前に、まずデータ送信のＨＡＲＱ時系列も決定されなければならない。モード３においてＨＡＲＱ時系列を決定する原理は、ＴＤＤ構成のモード１及びモード２のものと同様である。これらの実装は、本明細書においてさらには説明されない。モード１及びモード２が参照されてよい。
【０２２７】
本発明の実施形態に係るデータ送信のための第１の装置では、ネットワーク及びＵＥは、ネットワーク及びＵＥが整合するＴＴＩ、ＴＤＤ構成、Ｓサブフレーム構成、及びチャネル構成を用いる場合にのみ、標準的に通信を行ってよい。
【０２２８】
ＵＥとネットワークとの間で整合する構成を実装する方法は、
ＵＥ及びネットワークが、規定された複数の整合する構成に従って通信を実行すること、又は、
ネットワークが、ブロードキャストメッセージ又は無線リソース制御（ＲＲＣ）メッセージを用いることによって、ＵＥに複数の構成を通知すること、
を含む。
【０２２９】
後者の方法では、本発明の実施形態に係るデータ送信のための第１の装置において、送信モジュール３０２は、第２のブロードキャストメッセージを用いることによって、処理モジュール３０１によって決定されたＴＴＩをＵＥに送信するようにさらに構成され、
送信モジュール３０２は、第１のブロードキャストメッセージ又はＲＲＣメッセージを用いることによって、処理モジュール３０１によって決定されたＴＤＤ構成及びＳサブフレーム構成をＵＥに送信するようにさらに構成される。
【０２３０】
第１のブロードキャストメッセージ及び第２のブロードキャストメッセージは、同じブロードキャストメッセージ（例えば、システム情報ブロックタイプ１（ＳＩＢ１））又は異なるブロードキャストメッセージであってよい。
【０２３１】
第１のブロードキャストメッセージ及び第２のブロードキャストメッセージが両方ともＳＩＢ１である場合、任意のＳＩＢ１メッセージ構造は以下のとおりである。
【数１】
0006362118.tif 000012
【０２３２】
前述の内容は、抽象構文記法１（ＡＳＮ．１）における定義である。下線部分は、本発明の実施形態に追加された定義である。
【０２３３】
ＴＤＤ−Ｃｏｎｆｉｇ−ｖＸＸＸＸにおいて、ｖＸＸＸＸは、対応する標準バージョンがペンディングであることを示す。ＳＥＱＵＥＮＣＥは、連続を示すデータタイプであり、対応するＩＥが連続する要素のセットであることを示す。ＴＤＤ−Ｃｏｎｆｉｇ−ｖＸＸＸＸは、ｓｕｂｆｒａｍｅＡｓｓｉｇｎｍｅｎｔ及びｓｐｅｃｉａｌＳｕｂｆｒａｍｅＰａｔｔｅｒｎを含む。
【０２３４】
ｓｕｂｆｒａｍｅＡｓｓｉｇｎｍｅｎｔは、ＴＤＤ構成を表す。ＡＳＮ．１における定義では、ＴＤＤ構成のデータタイプは列挙型ＥＮＵＭＥＲＡＴＥＤであり、ＴＤＤ構成の値は、本発明の実施形態に追加された複数のＴＤＤ構成のうち任意の１つ又は複数であってよい。ｓｐｅｃｉａｌＳｕｂｆｒａｍｅＰａｔｔｅｒｎは、Ｓサブフレーム構成を表す。Ｓサブフレーム構成のデータタイプも列挙型ＥＮＵＭＥＲＡＴＥＤであり、Ｓサブフレーム構成の値は、本発明の実施形態に追加された複数のＳサブフレーム構成のうち任意の１つ又は複数であってよい。
【０２３５】
前述の内容は、本発明の実施形態に係るデータ送信のための第１の装置を説明し、ここで、装置は、ＴＤＤシステムにおけるネットワークデバイスであってよい。同じ発明の概念に基づいて、本発明の実施形態は、データ送信のための第２の装置をさらに提供する。この装置によって技術的問題を解決する原理は、本発明の実施形態に係るデータ送信のための第１の装置と同様であることから、本明細書において繰り返し説明されない。
【０２３６】
図１８は、本発明の実施形態に係るデータ送信のための第２の装置の模式的構造図である。図１８に示されるように、装置は、
ＵＥとのデータ送信を実行する送信時間間隔ＴＴＩを決定するように構成されるプロセッサ１８０１と、
プロセッサ１８０１によって決定されたＴＴＩを用いることによって、ＵＥとのデータ送信を実行するように構成されるＩ／Ｏインタフェース１８０２と、
を含み、
ＴＴＩは、１ｍｓより短い。
【０２３７】
任意に、プロセッサ１８０１は、無線フレームのＴＤＤ構成及びスペシャルサブフレームＳサブフレーム構成を決定するようにさらに構成され、
Ｉ／Ｏインタフェース１８０２は、プロセッサ１８０１によって決定されたＴＴＩならびに無線フレームのＴＤＤ構成及びＳサブフレーム構成を用いることによって、ＵＥとのデータ送信を実行するように具体的に構成される。
【０２３８】
任意に、Ｓサブフレーム構成は、
セルカバレッジ半径が事前設定されたカバレッジ半径閾値より大きい場合に、無線フレームにおけるＳサブフレームがＭ個の連続するサブフレームを含むことと、Ｓサブフレームにおけるガード期間ＧＰの長さが、セルカバレッジ半径に従って決定されることと、を含む。  Ｍは、１より大きい整数である。
【０２３９】
任意に、ＴＤＤ構成は、無線フレームにおいて、ダウンリンクからアップリンクへのスイッチポイントの周期が、無線フレームの長さの２分の１以下であることを含む。
【０２４０】
任意に、Ｓサブフレーム構成は、
１つの無線フレームが複数のＳサブフレームを含む場合に、いくつかのＳサブフレームはサウンディング参照信号ＳＲＳ信号を含み、他のＳサブフレームはＳＲＳ信号を含まない
ことを含む。
【０２４１】
任意に、プロセッサ１８０１は、ブロードキャストチャネルが無線フレームの第２のサブフレームにおいて最初の２つのシンボルを占有する場合に、無線フレームの第２のサブフレームにおける最初の２つのシンボルにおいて、物理ダウンリンク制御チャネルＰＤＣＣＨの送信をスキップすることを決定するようにさらに構成され、
Ｉ／Ｏインタフェース１８０２は、無線フレームの第２のサブフレームにおける最初の２つのシンボルにおいて、ＰＤＣＣＨのＵＥへの送信をスキップするように具体的に構成される。
【０２４２】
任意に、プロセッサ１８０１は、ブロードキャストチャネルが無線フレームの第１のサブフレームを占有することを決定するようにさらに構成され、
Ｉ／Ｏインタフェース１８０２は、無線フレームの第１のサブフレームにおいてブロードキャストチャネルをＵＥに送信するように具体的に構成される。
【０２４３】
任意に、プロセッサ１８０１は、物理ランダムアクセスチャネルＰＲＡＣＨの長さを決定し、ＰＲＡＣＨの決定された長さがサブフレームの長さより大きい場合に、ＰＲＡＣＨがＣ個の連続するアップリンクサブフレームを占有することを決定するようにさらに構成され、Ｃは正の整数であり、
Ｉ／Ｏインタフェース１８０２は、プロセッサ１８０１によって決定されたＰＲＡＣＨを用いることによって、ＵＥによって送信されたアップリンクランダムアクセスプリアンブルを受信するように具体的に構成される。
【０２４４】
任意に、プロセッサ１８０１は、Ｓサブフレーム及び／又はＰ個のダウンリンクサブフレームが、ＰＲＡＣＨによって占有されたＣ個の連続するアップリンクサブフレームの間に含まれることを決定するように具体的に構成され、Ｐは正の整数である。
【０２４５】
任意に、Ｉ／Ｏインタフェース１８０２は、第１のブロードキャストメッセージ又は無線リソース制御ＲＲＣメッセージを用いることによって、プロセッサ１８０１によって決定されたＴＤＤ構成及びＳサブフレーム構成をＵＥに送信するようにさらに構成される。
【０２４６】
任意に、無線フレームのＴＤＤ構成及びＳサブフレーム構成は、プロセッサ１８０１によってＵＥとの間で規定される。
【０２４７】
任意に、Ｉ／Ｏインタフェース１８０２は、第２のブロードキャストメッセージ又はＲＲＣメッセージを用いることによって、プロセッサ１８０１によって決定されたＴＴＩをＵＥに送信するようにさらに構成される。
【０２４８】
任意に、ＴＴＩは、ＵＥとの間で規定される。
【０２４９】
任意に、プロセッサ１８０１は、Ｉ／Ｏインタフェース１８０２によってＵＥとのデータ送信を実行するハイブリッド自動再送要求ＨＡＲＱ処理の時系列を決定するようにさらに構成され、
Ｉ／Ｏインタフェース１８０２は、プロセッサ１８０１によって決定されたＨＡＲＱ処理の時系列を用いることによって、ＵＥとのデータ送信を実行するように具体的に構成され、
ＨＡＲＱ処理の時系列は、以下の時系列の少なくとも１つを含む。  アップリンクスケジューリングに用いられるダウンリンク制御情報ＤＣＩを送信する各ダウンリンクサブフレームと、アップリンクデータを送信し、かつ、ダウンリンクサブフレームに対応するアップリンクサブフレームとの間の第１の時間間隔。第１の時間間隔は、ｎ１によって乗算されたＴＴＩであり、ｎ１がＮ以上であることと、１つのアップリンクＨＡＲＱ処理が１つのダウンリンクサブフレームによってスケジューリングされた場合に、アップリンクデータを送信し、かつ、アップリンクスケジューリングに用いられるＤＣＩを送信する各ダウンリンクサブフレームからの時間間隔が最も長いアップリンクサブフレームに対応する第１の時間間隔が最も短いこととを満たす。ｎ１及びＮは正の整数であり、Ｎによって乗算されたＴＴＩは、アップリンクスケジューリングに用いられるＤＣＩの送信における遅延と、アップリンクスケジューリングに用いられるＤＣＩの受信処理における遅延と、アップリンクデータパケットアセンブリにおける遅延との合計である。  物理ハイブリッド自動再送インジケータチャネルＰＨＩＣＨを送信する各ダウンリンクサブフレームと、再送信されたアップリンクデータを送信し、かつ、ダウンリンクサブフレームに対応するアップリンクサブフレームとの間の第２の時間間隔。第２の時間間隔は、ｎ２によって乗算されたＴＴＩであり、ｎ２がＱ以上であることと、再送信されたアップリンクデータを送信し、かつ、ＰＨＩＣＨを送信する各ダウンリンクサブフレームからの時間間隔が最も長いアップリンクサブフレームに対応する第２の時間間隔が最も短いこととを満たす。ｎ２及びＱは正の整数であり、Ｑによって乗算されたＴＴＩは、ＰＨＩＣＨの送信における遅延と、ＰＨＩＣＨの受信処理における遅延と、再送信されたアップリンクデータパケットアセンブリにおける遅延との合計である。  アップリンクデータを送信する各アップリンクサブフレームと、ＰＨＩＣＨを送信し、かつ、アップリンクサブフレームに対応する各ダウンリンクサブフレームとの間の第３の時間間隔。第３の時間間隔は、ｎ３によって乗算されたＴＴＩであり、アップリンクデータを送信する対応アップリンクサブフレームと、アップリンクスケジューリングに用いられるＤＣＩを送信し、かつ、アップリンクサブフレームに対応するダウンリンクサブフレームとの間の第１の時間間隔に従って設定され、ｎ３は正の整数であり、第３の時間間隔は、アップリンクデータの送信における遅延と、アップリンクデータの受信処理における遅延と、ＰＨＩＣＨデータパケットアセンブリにおける遅延との合計以上である。又は、
ダウンリンクデータを送信する各ダウンリンクサブフレームと、アップリンクフィードバックを送信し、かつ、ダウンリンクサブフレームに対応する各アップリンクサブフレームとの間の第４の時間間隔。第４の時間間隔は、ｎ４によって乗算されたＴＴＩであり、ｎ４がＷ以上であることと、アップリンクフィードバックを送信し、かつ、ダウンリンクデータを送信する各ダウンリンクサブフレームからの時間間隔が最も長いアップリンクサブフレームに対応する第４の時間間隔が最も短いこととを満たす。ｎ４及びＷは正の整数であり、Ｗによって乗算されたＴＴＩは、ダウンリンクデータの送信における遅延と、ダウンリンクデータの受信処理における遅延と、アップリンクフィードバックパケットアセンブリにおける遅延との合計である。
【０２５０】
前述の内容は、本発明の複数の実施形態に係るデータ送信のための第１の装置と、データ送信のための第２の装置とを説明した。前述されたデータ送信のための２つの装置は、ネットワークデバイスであってよく、又は、ネットワークデバイスにおいて用いられてよい。以下説明される本発明の複数の実施形態に係るデータ送信ののための第３の装置及びデータ送信のための第４の装置は、ユーザ機器であってよく、又はユーザ機器において用いられてよい。当業者であれば全て、ユーザ機器は、ユーザ機器及びネットワークデバイスの構成が整合する場合にのみ、ネットワークデバイスとのデータ送信が実行可能であることを認識している。データ送信のための第３の装置及びデータ送信のための第４の装置のチャネル構成、ＴＤＤ構成、Ｓサブフレーム構成、ＴＴＩ構成等は、データ送信のための第１の装置及びデータ送信のための第２の装置のものと整合する。データ送信の技術的原理は、この２つの装置のものと同じである。従って、これらの実装のために、この２つの装置の実装が参照されてもよく、本明細書において繰り返し説明されない。
【０２５１】
図１９は、本発明の実施形態に係るデータ送信のための第３の装置の模式的構造図である。図１９に示されるように、装置は、
ネットワークとのデータ送信を実行する送信時間間隔ＴＴＩを決定するように構成される処理モジュール１９０１と、
処理モジュール１９０１によって決定されたＴＴＩを用いることによって、ネットワークとのデータ送信を実行するように構成される送信モジュール１９０２と、
を含み、
ＴＴＩは、１ｍｓより短い。
【０２５２】
任意に、処理モジュール１９０１は、無線フレームのＴＤＤ構成及びスペシャルサブフレームＳサブフレーム構成を決定するようにさらに構成され、
送信モジュール１９０２は、処理モジュール１９０１によって決定されたＴＴＩならびに無線フレームのＴＤＤ構成及びＳサブフレーム構成を用いることによって、ネットワークとのデータ送信を実行するように具体的に構成される。
【０２５３】
任意に、Ｓサブフレーム構成は、
セルカバレッジ半径が事前設定されたカバレッジ半径閾値より大きい場合に、無線フレームにおけるＳサブフレームがＭ個の連続するサブフレームを含むことと、Ｓサブフレームにおけるガード期間ＧＰの長さが、セルカバレッジ半径に従って決定されることと、を含む。  Ｍは、１より大きい整数である。
【０２５４】
任意に、ＴＤＤ構成は、無線フレームにおいて、ダウンリンクからアップリンクへのスイッチポイントの周期が、無線フレームの長さの２分の１以下であることを含む。
【０２５５】
任意に、Ｓサブフレーム構成は、
１つの無線フレームが複数のＳサブフレームを含む場合に、いくつかのＳサブフレームはサウンディング参照信号ＳＲＳ信号を含み、他のＳサブフレームはＳＲＳ信号を含まない
ことを含む。
【０２５６】
任意に、処理モジュール１９０１は、ブロードキャストチャネルが無線フレームの第２のサブフレームにおいて最初の２つのシンボルを占有する場合に、物理ダウンリンク制御チャネルＰＤＣＣＨが無線フレームの第２のサブフレームにおける最初の２つのシンボルにおいて送信されないことを決定するようにさらに構成され、
送信モジュール１９０２は、無線フレームの第２のサブフレームにおける最初の２つのシンボルにおいて、ネットワークによって送信されたＰＤＣＣＨの受信をスキップするように具体的に構成される。
【０２５７】
任意に、処理モジュール１９０１は、ブロードキャストチャネルが無線フレームの第１のサブフレームを占有することを決定するようにさらに構成され、
送信モジュール１９０２は、無線フレームの第１のサブフレームにおいて、ネットワークによって送信されたブロードキャストチャネルを受信するように具体的に構成される。
【０２５８】
任意に、処理モジュール１９０１は、物理ランダムアクセスチャネルＰＲＡＣＨの長さを決定し、ＰＲＡＣＨの決定された長さがサブフレームの長さより大きい場合に、ＰＲＡＣＨがＣ個の連続するアップリンクサブフレームを占有することを決定するようにさらに構成され、Ｃは正の整数であり、
送信モジュール１９０２は、処理モジュール１９０１によって決定されたＰＲＡＣＨを用いることによって、アップリンクランダムアクセスプリアンブルをネットワークに送信するように具体的に構成される。
【０２５９】
任意に、処理モジュール１９０１は、Ｓサブフレーム及び／又はＰ個のダウンリンクサブフレームが、ＰＲＡＣＨによって占有されたＣ個の連続するアップリンクサブフレームの間に含まれることを決定するように具体的に構成され、Ｐは正の整数である。
【０２６０】
任意に、送信モジュール１９０２は、第１のブロードキャストメッセージ又は無線リソース制御ＲＲＣメッセージを用いることによって、ネットワークによって送信された無線フレームのＴＤＤ構成及びＳサブフレーム構成を受信するようにさらに構成され、
処理モジュール１９０１は、送信モジュール１９０２によって受信された無線フレームのＴＤＤ構成及びＳサブフレーム構成を、決定された無線フレームのＴＤＤ構成及びＳサブフレーム構成として用いるように具体的に構成される。
【０２６１】
任意に、無線フレームのＴＤＤ構成及びＳサブフレーム構成は、処理モジュール１９０１によってネットワークとの間で規定される。
【０２６２】
任意に、送信モジュール１９０２は、第２のブロードキャストメッセージ又は無線リソース制御ＲＲＣメッセージを用いることによって、ネットワークによって送信されたＴＴＩを受信するようにさらに構成され、
処理モジュール１９０１は、送信モジュール１９０２によって受信されたＴＴＩを、決定されたＴＴＩとして用いるように具体的に構成される。
【０２６３】
任意に、ＴＴＩは、処理モジュール１９０１によってネットワークとの間で規定される。
【０２６４】
任意に、処理モジュール１９０１は、送信モジュール１９０２によってネットワークとのデータ送信を実行するハイブリッド自動再送要求ＨＡＲＱ処理の時系列を決定するようにさらに構成され、
送信モジュール１９０２は、処理モジュール１９０１によって決定されたＨＡＲＱ処理の時系列を用いることによって、ネットワークとのデータ送信を実行するように具体的に構成され、
ＨＡＲＱ処理の時系列は、以下の時系列の少なくとも１つを含む。  アップリンクスケジューリングに用いられるダウンリンク制御情報ＤＣＩを送信する各ダウンリンクサブフレームと、アップリンクデータを送信し、かつ、ダウンリンクサブフレームに対応するアップリンクサブフレームとの間の第１の時間間隔。第１の時間間隔は、ｎ１によって乗算されたＴＴＩであり、ｎ１がＮ以上であることと、１つのアップリンクＨＡＲＱ処理が１つのダウンリンクサブフレームによってスケジューリングされた場合に、アップリンクデータを送信し、かつ、アップリンクスケジューリングに用いられるＤＣＩを送信する各ダウンリンクサブフレームからの時間間隔が最も長いアップリンクサブフレームに対応する第１の時間間隔が最も短いこととを満たす。ｎ１及びＮは正の整数であり、Ｎによって乗算されたＴＴＩは、アップリンクスケジューリングに用いられるＤＣＩの送信における遅延と、アップリンクスケジューリングに用いられるＤＣＩの受信処理における遅延と、アップリンクデータパケットアセンブリにおける遅延との合計である。  物理ハイブリッド自動再送インジケータチャネルＰＨＩＣＨを送信する各ダウンリンクサブフレームと、再送信されたアップリンクデータを送信し、かつ、ダウンリンクサブフレームに対応するアップリンクサブフレームとの間の第２の時間間隔。第２の時間間隔は、ｎ２によって乗算されたＴＴＩであり、ｎ２がＱ以上であることと、再送信されたアップリンクデータを送信し、かつ、ＰＨＩＣＨを送信する各ダウンリンクサブフレームからの時間間隔が最も長いアップリンクサブフレームに対応する第２の時間間隔が最も短いこととを満たす。ｎ２及びＱは正の整数であり、Ｑによって乗算されたＴＴＩは、ＰＨＩＣＨの送信における遅延と、ＰＨＩＣＨの受信処理における遅延と、再送信されたアップリンクデータパケットアセンブリの実行における遅延との合計である。  アップリンクデータを送信する各アップリンクサブフレームと、ＰＨＩＣＨを送信し、かつ、アップリンクサブフレームに対応する各ダウンリンクサブフレームとの間の第３の時間間隔。第３の時間間隔は、ｎ３によって乗算されたＴＴＩであり、アップリンクデータを送信する対応アップリンクサブフレームと、アップリンクスケジューリングに用いられるＤＣＩを送信し、かつ、アップリンクサブフレームに対応するダウンリンクサブフレームとの間の第１の時間間隔に従って設定され、ｎ３は正の整数であり、第３の時間間隔は、アップリンクデータの送信における遅延と、アップリンクデータの受信処理における遅延と、ＰＨＩＣＨデータパケットアセンブリにおける遅延との合計以上である。又は、
ダウンリンクデータを送信する各ダウンリンクサブフレームと、アップリンクフィードバックを送信し、かつ、ダウンリンクサブフレームに対応する各アップリンクサブフレームとの間の第４の時間間隔。第４の時間間隔は、ｎ４によって乗算されたＴＴＩであり、ｎ４がＷ以上であることと、アップリンクフィードバックを送信し、かつ、ダウンリンクデータを送信する各ダウンリンクサブフレームからの時間間隔が最も長いアップリンクサブフレームに対応する第４の時間間隔が最も短いこととを満たす。ｎ４及びＷは正の整数であり、Ｗによって乗算されたＴＴＩは、ダウンリンクデータの送信における遅延と、ダウンリンクデータの受信処理における遅延と、アップリンクフィードバックパケットアセンブリの実行における遅延との合計である。
【０２６５】
図２０は、本発明の実施形態に係るデータ送信のための第４の装置の模式的構造図である。図２０に示されるように、装置は、
ネットワークとのデータ送信を実行する送信時間間隔ＴＴＩを決定するように構成されるプロセッサ２００１と、
プロセッサ２００１によって決定されたＴＴＩを用いることによって、ネットワークとのデータ送信を実行するように構成されるＩ／Ｏインタフェース２００２と、
を含み、
ＴＴＩは、１ｍｓより短い。
【０２６６】
任意に、プロセッサ２００１は、無線フレームのＴＤＤ構成及びスペシャルサブフレームＳサブフレーム構成を決定するようにさらに構成され、
Ｉ／Ｏインタフェース２００２は、プロセッサ２００１によって決定されたＴＴＩならびに無線フレームのＴＤＤ構成及びＳサブフレーム構成を用いることによって、ネットワークとのデータ送信を実行するように具体的に構成される。
【０２６７】
任意に、Ｓサブフレーム構成は、
セルカバレッジ半径が事前設定されたカバレッジ半径閾値より大きい場合に、無線フレームにおけるＳサブフレームがＭ個の連続するサブフレームを含むことと、Ｓサブフレームにおけるガード期間ＧＰの長さが、セルカバレッジ半径に従って決定されることと、を含む。  Ｍは、１より大きい整数である。
【０２６８】
任意に、ＴＤＤ構成は、無線フレームにおいて、ダウンリンクからアップリンクへのスイッチポイントの周期が、無線フレームの長さの２分の１以下であることを含む。
【０２６９】
任意に、Ｓサブフレーム構成は、
１つの無線フレームが複数のＳサブフレームを含む場合に、いくつかのＳサブフレームはサウンディング参照信号ＳＲＳ信号を含み、他のＳサブフレームはＳＲＳ信号を含まない
ことを含む。
【０２７０】
任意に、プロセッサ２００１は、ブロードキャストチャネルが無線フレームの第２のサブフレームにおいて最初の２つのシンボルを占有する場合に、物理ダウンリンク制御チャネルＰＤＣＣＨが無線フレームの第２のサブフレームにおける最初の２つのシンボルにおいて送信されないことを決定するようにさらに構成され、
Ｉ／Ｏインタフェース２００２は、無線フレームの第２のサブフレームにおける最初の２つのシンボルにおいて、ネットワークによって送信されたＰＤＣＣＨの受信をスキップするように具体的に構成される。
【０２７１】
任意に、プロセッサ２００１は、ブロードキャストチャネルが無線フレームの第１のサブフレームを占有することを決定するようにさらに構成され、
Ｉ／Ｏインタフェース２００２は、無線フレームの第１のサブフレームにおいて、ネットワークによって送信されたブロードキャストチャネルを受信するように具体的に構成される。
【０２７２】
任意に、プロセッサ２００１は、物理ランダムアクセスチャネルＰＲＡＣＨの長さを決定し、ＰＲＡＣＨの決定された長さがサブフレームの長さより大きい場合に、ＰＲＡＣＨがＣ個の連続するアップリンクサブフレームを占有することを決定するようにさらに構成され、Ｃは正の整数であり、
Ｉ／Ｏインタフェース２００２は、プロセッサ２００１によって決定されたＰＲＡＣＨを用いることによって、アップリンクランダムアクセスプリアンブルをネットワークに送信するように具体的に構成される。
【０２７３】
任意に、プロセッサ２００１は、Ｓサブフレーム及び／又はＰ個のダウンリンクサブフレームが、ＰＲＡＣＨによって占有されたＣ個の連続するアップリンクサブフレームの間に含まれることを決定するように具体的に構成され、Ｐは正の整数である。
【０２７４】
任意に、Ｉ／Ｏインタフェース２００２は、第１のブロードキャストメッセージ又は無線リソース制御ＲＲＣメッセージを用いることによって、ネットワークによって送信された無線フレームのＴＤＤ構成及びＳサブフレーム構成を受信するようにさらに構成され、
プロセッサ２００１は、Ｉ／Ｏインタフェース２００２によって受信された無線フレームのＴＤＤ構成及びＳサブフレーム構成を、決定された無線フレームのＴＤＤ構成及びＳサブフレーム構成として用いるように具体的に構成される。
【０２７５】
任意に、無線フレームのＴＤＤ構成及びＳサブフレーム構成はプロセッサ２００１によってネットワークとの間で規定される。
【０２７６】
任意に、Ｉ／Ｏインタフェース２００２は、第２のブロードキャストメッセージ又は無線リソース制御ＲＲＣメッセージを用いることによって、ネットワークによって送信されたＴＴＩを受信するようにさらに構成され、
プロセッサ２００１は、Ｉ／Ｏインタフェース２００２によって受信されたＴＴＩを、決定されたＴＴＩとして用いるように具体的に構成される。
【０２７７】
任意に、ＴＴＩは、プロセッサ２００１によってネットワークとの間で規定される。
【０２７８】
任意に、プロセッサ２００１は、Ｉ／Ｏインタフェース２００２によってネットワークとのデータ送信を実行するハイブリッド自動再送要求ＨＡＲＱ処理の時系列を決定するようにさらに構成され、
Ｉ／Ｏインタフェース２００２は、プロセッサ２００１によって決定されたＨＡＲＱ処理の時系列を用いることによって、ネットワークとのデータ送信を実行するように具体的に構成され、
ＨＡＲＱ処理の時系列は、以下の時系列の少なくとも１つを含む。  アップリンクスケジューリングに用いられるダウンリンク制御情報ＤＣＩを送信する各ダウンリンクサブフレームと、アップリンクデータを送信し、かつ、ダウンリンクサブフレームに対応するアップリンクサブフレームとの間の第１の時間間隔。第１の時間間隔は、ｎ１によって乗算されたＴＴＩであり、ｎ１がＮ以上であることと、１つのアップリンクＨＡＲＱ処理が１つのダウンリンクサブフレームによってスケジューリングされた場合に、アップリンクデータを送信し、かつ、アップリンクスケジューリングに用いられるＤＣＩを送信する各ダウンリンクサブフレームからの時間間隔が最も長いアップリンクサブフレームに対応する第１の時間間隔が最も短いこととを満たす。ｎ１及びＮは正の整数であり、Ｎによって乗算されたＴＴＩは、アップリンクスケジューリングに用いられるＤＣＩの送信における遅延と、アップリンクスケジューリングに用いられるＤＣＩの受信処理における遅延と、アップリンクデータパケットアセンブリにおける遅延との合計である。  物理ハイブリッド自動再送インジケータチャネルＰＨＩＣＨを送信する各ダウンリンクサブフレームと、再送信されたアップリンクデータを送信し、かつ、ダウンリンクサブフレームに対応するアップリンクサブフレームとの間の第２の時間間隔。第２の時間間隔は、ｎ２によって乗算されたＴＴＩであり、ｎ２がＱ以上であることと、再送信されたアップリンクデータを送信し、かつ、ＰＨＩＣＨを送信する各ダウンリンクサブフレームからの時間間隔が最も長いアップリンクサブフレームに対応する第２の時間間隔が最も短いこととを満たす。ｎ２及びＱは正の整数であり、Ｑによって乗算されたＴＴＩは、ＰＨＩＣＨの送信における遅延と、ＰＨＩＣＨの受信処理における遅延と、再送信されたアップリンクデータパケットアセンブリの実行における遅延との合計である。  アップリンクデータを送信する各アップリンクサブフレームと、ＰＨＩＣＨを送信し、かつ、アップリンクサブフレームに対応する各ダウンリンクサブフレームとの間の第３の時間間隔。第３の時間間隔は、ｎ３によって乗算されたＴＴＩであり、アップリンクデータを送信する対応アップリンクサブフレームと、アップリンクスケジューリングに用いられるＤＣＩを送信し、かつ、アップリンクサブフレームに対応するダウンリンクサブフレームとの間の第１の時間間隔に従って設定され、ｎ３は正の整数であり、第３の時間間隔は、アップリンクデータの送信における遅延と、アップリンクデータの受信処理における遅延と、ＰＨＩＣＨデータパケットアセンブリにおける遅延との合計以上である。又は、
ダウンリンクデータを送信する各ダウンリンクサブフレームと、アップリンクフィードバックを送信し、かつ、ダウンリンクサブフレームに対応する各アップリンクサブフレームとの間の第４の時間間隔。第４の時間間隔は、ｎ４によって乗算されたＴＴＩであり、ｎ４がＷ以上であることと、アップリンクフィードバックを送信し、かつ、ダウンリンクデータを送信する各ダウンリンクサブフレームからの時間間隔が最も長いアップリンクサブフレームに対応する第４の時間間隔が最も短いこととを満たす。ｎ４及びＷは正の整数であり、Ｗによって乗算されたＴＴＩは、ダウンリンクデータの送信における遅延と、ダウンリンクデータの受信処理における遅延と、アップリンクフィードバックパケットアセンブリの実行における遅延との合計である。
【０２７９】
前述の内容は、本発明の実施形態に係るデータ送信のための第４の装置を説明した。以下、本発明の複数の実施形態に係るデータ送信のための第１の方法及びデータ送信のための第２の方法を説明する。データ送信のための第１の方法の発明の概念は、本発明の複数の実施形態に係るデータ送信のための第１の装置及びデータ送信のための第２の装置のものと同じであり、これらの実装に関しては、データ送信のための２つの装置の実装が参照されてよい。データ送信のための第２の方法の発明の概念は、本発明の複数の実施形態に係るデータ送信のための第３の装置及びデータ送信のための第４の装置のものと同じであり、これらの実装に関しては、データ送信のための２つの装置の実装が参照されてよい。本明細書において繰り返し説明されない。
【０２８０】
図２１は、本発明の実施形態に係るデータ送信のための第１の方法のフローチャートである。図２１に示されるように、方法は、以下の段階を含む。
【０２８１】
Ｓ２１０１において、ＵＥとのデータ送信を実行するＴＴＩを決定する。
【０２８２】
Ｓ２１０２において、決定されたＴＴＩを用いることによって、ＵＥとのデータ送信を実行する。ここで、ＴＴＩは、１ｍｓより短い。
【０２８３】
任意に、ＵＥとのデータ送信を実行するＴＴＩを決定する段階Ｓ２１０１の後であって、ＵＥとのデータ送信を実行する段階Ｓ２１０２の前に、方法は、無線フレームのＴＤＤ構成及びスペシャルサブフレームＳサブフレーム構成を決定する段階をさらに含み、
決定されたＴＴＩを用いることによってＵＥとのデータ送信を実行する段階Ｓ２１０２は、決定されたＴＴＩならびに無線フレームのＴＤＤ構成及びＳサブフレーム構成を用いることによって、ＵＥとのデータ送信を実行する段階を含む。
【０２８４】
任意に、Ｓサブフレーム構成は、
セルカバレッジ半径が事前設定されたカバレッジ半径閾値より大きい場合に、無線フレームにおけるＳサブフレームがＭ個の連続するサブフレームを含むことと、Ｓサブフレームにおけるガード期間ＧＰの長さが、セルカバレッジ半径に従って決定されることと、を含む。  Ｍは、１より大きい整数である。
【０２８５】
任意に、ＴＤＤ構成は、
無線フレームにおいて、ダウンリンクからアップリンクへのスイッチポイントの周期が、無線フレームの長さの２分の１以下である
ことを含む。
【０２８６】
任意に、Ｓサブフレーム構成は、
１つの無線フレームが複数のＳサブフレームを含む場合に、いくつかのＳサブフレームはサウンディング参照信号ＳＲＳ信号を含み、他のＳサブフレームはＳＲＳ信号を含まない
ことを含む。
【０２８７】
任意に、ＵＥとのデータ送信を実行するＴＴＩを決定する段階Ｓ２１０１の後であって、ＵＥとのデータ送信を実行する段階Ｓ２１０２の前に、方法は、
ブロードキャストチャネルが無線フレームの第２のサブフレームにおいて最初の２つのシンボルを占有する場合に、無線フレームの第２のサブフレームにおける最初の２つのシンボルにおいて、物理ダウンリンク制御チャネルＰＤＣＣＨの送信をスキップすることを決定する段階をさらに含み、
ＵＥとのデータ送信を実行する段階Ｓ２１０２は、無線フレームの第２のサブフレームにおける最初の２つのシンボルにおいて、ＰＤＣＣＨのＵＥへの送信をスキップする段階を含む。
【０２８８】
任意に、ＵＥとのデータ送信を実行するＴＴＩを決定する段階Ｓ２１０１の後であって、ＵＥとのデータ送信を実行する段階Ｓ２１０２の前に、方法は、ブロードキャストチャネルが無線フレームの第１のサブフレームを占有することを決定する段階をさらに含み、
ＵＥとのデータ送信を実行する段階Ｓ２１０２は、無線フレームの第１のサブフレームにおいて、ブロードキャストチャネルをＵＥに送信する段階を含む。
【０２８９】
任意に、ＵＥとのデータ送信を実行するＴＴＩを決定する段階Ｓ２１０１の後であって、ＵＥとのデータ送信を実行する段階Ｓ２１０２の前に、方法は、ＰＲＡＣＨの長さを決定する段階と、
ＰＲＡＣＨの決定された長さがサブフレームの長さより大きい場合に、ＰＲＡＣＨが、Ｃ個の連続するアップリンクサブフレームを占有することを決定する段階と、
をさらに含み、
Ｃは正の整数であり、
ＵＥとのデータ送信を実行する段階Ｓ２１０２は、決定されたＰＲＡＣＨを用いることによって、ＵＥによって送信されたアップリンクランダムアクセスプリアンブルを受信する段階を含む。
【０２９０】
任意に、ＰＲＡＣＨがＣ個の連続するアップリンクサブフレームを占有することを決定する段階の後であって、ＵＥとのデータ送信を実行する段階Ｓ２１０２の前に、方法は、Ｓサブフレーム及び／又はＰ個のダウンリンクサブフレームが、ＰＲＡＣＨによって占有されたＣ個の連続するアップリンクサブフレームの間に含まれることを決定する段階をさらに含み、Ｐは正の整数である。
【０２９１】
任意に、ＴＤＤ構成及びＳサブフレーム構成を決定する段階の後であって、ＵＥとのデータ送信を実行する段階Ｓ２１０２の前に、方法は、
第１のブロードキャストメッセージ又は無線リソース制御ＲＲＣメッセージを用いることによって、決定されたＴＤＤ構成及びＳサブフレーム構成をＵＥに送信する段階をさらに含む。
【０２９２】
任意に、無線フレームのＴＤＤ構成及びＳサブフレーム構成は、ＵＥとの間で規定される。
【０２９３】
任意に、ＵＥとのデータ送信を実行するＴＴＩを決定する段階Ｓ２１０１の後であって、ＵＥとのデータ送信を実行する段階Ｓ２１０２の前に、方法は、
第２のブロードキャストメッセージ又はＲＲＣメッセージを用いることによって、決定されたＴＴＩをＵＥに送信する段階をさらに含む。
【０２９４】
任意に、ＴＴＩは、ＵＥとの間で規定される。
【０２９５】
任意に、ＵＥとのデータ送信を実行するＴＴＩを決定する段階Ｓ２１０１の後であって、ＵＥとのデータ送信を実行する段階Ｓ２１０２の前に、方法は、ＵＥとのデータ送信を実行するハイブリッド自動再送要求ＨＡＲＱ処理の時系列を決定する段階をさらに含み、
ＵＥとのデータ送信を実行する段階Ｓ２１０２は、ＨＡＲＱ処理の決定された時系列を用いることによって、ＵＥとのデータ送信を実行する段階を含み、
ＨＡＲＱ処理の時系列は、以下の時系列の少なくとも１つを含む。  アップリンクスケジューリングに用いられるダウンリンク制御情報ＤＣＩを送信する各ダウンリンクサブフレームと、アップリンクデータを送信し、かつ、ダウンリンクサブフレームに対応するアップリンクサブフレームとの間の第１の時間間隔。第１の時間間隔は、ｎ１によって乗算されたＴＴＩであり、ｎ１がＮ以上であることと、１つのアップリンクＨＡＲＱ処理が１つのダウンリンクサブフレームによってスケジューリングされた場合に、アップリンクデータを送信し、かつ、アップリンクスケジューリングに用いられるＤＣＩを送信する各ダウンリンクサブフレームからの時間間隔が最も長いアップリンクサブフレームに対応する第１の時間間隔が最も短いこととを満たす。ｎ１及びＮは正の整数であり、Ｎによって乗算されたＴＴＩは、アップリンクスケジューリングに用いられるＤＣＩの送信における遅延と、アップリンクスケジューリングに用いられるＤＣＩの受信処理における遅延と、アップリンクデータパケットアセンブリにおける遅延との合計である。  物理ハイブリッド自動再送インジケータチャネルＰＨＩＣＨを送信する各ダウンリンクサブフレームと、再送信されたアップリンクデータを送信し、かつ、ダウンリンクサブフレームに対応するアップリンクサブフレームとの間の第２の時間間隔。第２の時間間隔は、ｎ２によって乗算されたＴＴＩであり、ｎ２がＱ以上であることと、再送信されたアップリンクデータを送信し、かつ、ＰＨＩＣＨを送信する各ダウンリンクサブフレームからの時間間隔が最も長いアップリンクサブフレームに対応する第２の時間間隔が最も短いこととを満たす。ｎ２及びＱは正の整数であり、Ｑによって乗算されたＴＴＩは、ＰＨＩＣＨの送信における遅延と、ＰＨＩＣＨの受信処理における遅延と、再送信されたアップリンクデータパケットアセンブリにおける遅延との合計である。  アップリンクデータを送信する各アップリンクサブフレームと、ＰＨＩＣＨを送信し、かつ、アップリンクサブフレームに対応する各ダウンリンクサブフレームとの間の第３の時間間隔。第３の時間間隔は、ｎ３によって乗算されたＴＴＩであり、アップリンクデータを送信する対応アップリンクサブフレームと、アップリンクスケジューリングに用いられるＤＣＩを送信し、かつ、アップリンクサブフレームに対応するダウンリンクサブフレームとの間の第１の時間間隔に従って設定され、ｎ３は正の整数であり、第３の時間間隔は、アップリンクデータの送信における遅延と、アップリンクデータの受信処理における遅延と、ＰＨＩＣＨデータパケットアセンブリにおける遅延との合計以上である。又は、
ダウンリンクデータを送信する各ダウンリンクサブフレームと、アップリンクフィードバックを送信し、かつ、ダウンリンクサブフレームに対応する各アップリンクサブフレームとの間の第４の時間間隔。第４の時間間隔は、ｎ４によって乗算されたＴＴＩであり、ｎ４がＷ以上であることと、アップリンクフィードバックを送信し、かつ、ダウンリンクデータを送信する各ダウンリンクサブフレームからの時間間隔が最も長いアップリンクサブフレームに対応する第４の時間間隔が最も短いこととを満たす。ｎ４及びＷは正の整数であり、Ｗによって乗算されたＴＴＩは、ダウンリンクデータの送信における遅延と、ダウンリンクデータの受信処理における遅延と、アップリンクフィードバックパケットアセンブリにおける遅延との合計である。
【０２９６】
図２２は、本発明の実施形態に係るデータ送信のための第２の方法のフローチャートである。図２２に示されるように、方法は、以下の段階を含む。
【０２９７】
Ｓ２２０１において、ネットワークとのデータ送信を実行するＴＴＩを決定する。
【０２９８】
Ｓ２２０２において、決定されたＴＴＩを用いることによって、ネットワークとのデータ送信を実行する。ここで、ＴＴＩは、１ｍｓより短い。
【０２９９】
任意に、ネットワークとのデータ送信を実行するＴＴＩを決定する段階Ｓ２２０１の後であって、ネットワークとのデータ送信を実行する段階Ｓ２２０２の前に、方法は、無線フレームのＴＤＤ構成及びスペシャルサブフレームＳサブフレーム構成を決定する段階をさらに含み、
決定されたＴＴＩを用いることによってネットワークとのデータ送信を実行する段階Ｓ２２０２は、決定されたＴＴＩならびに無線フレームのＴＤＤ構成及びＳサブフレーム構成を用いることによって、ネットワークとのデータ送信を実行する段階を含む。
【０３００】
任意に、Ｓサブフレーム構成は、
セルカバレッジ半径が事前設定されたカバレッジ半径閾値より大きい場合に、無線フレームにおけるＳサブフレームがＭ個の連続するサブフレームを含むことと、Ｓサブフレームにおけるガード期間ＧＰの長さが、セルカバレッジ半径に従って決定されることと、を含む。  Ｍは、１より大きい整数である。
【０３０１】
任意に、ＴＤＤ構成は、無線フレームにおいて、ダウンリンクからアップリンクへのスイッチポイントの周期が、無線フレームの長さの２分の１以下であることを含む。
【０３０２】
任意に、Ｓサブフレーム構成は、
１つの無線フレームが複数のＳサブフレームを含む場合に、いくつかのＳサブフレームはサウンディング参照信号ＳＲＳ信号を含み、他のＳサブフレームはＳＲＳ信号を含まない
ことを含む。
【０３０３】
任意に、ネットワークとのデータ送信を実行するＴＴＩを決定する段階Ｓ２２０１の後であって、ネットワークとのデータ送信を実行する段階Ｓ２２０２の前に、方法は、ブロードキャストチャネルが無線フレームの第２のサブフレームにおいて最初の２つのシンボルを占有する場合に、物理ダウンリンク制御チャネルＰＤＣＣＨが、無線フレームの第２のサブフレームにおける最初の２つのシンボルにおいて送信されないことを決定する段階をさらに含み、
ネットワークとのデータ送信を実行する段階Ｓ２２０２は、無線フレームの第２のサブフレームにおける最初の２つのシンボルにおいて、ネットワークによって送信されたＰＤＣＣＨの受信をスキップする段階を含む。
【０３０４】
任意に、ネットワークとのデータ送信を実行するＴＴＩを決定する段階Ｓ２２０１の後であって、ネットワークとのデータ送信を実行する段階Ｓ２２０２の前に、方法は、ブロードキャストチャネルが無線フレームの第１のサブフレームを占有することを決定する段階をさらに含み、
ネットワークとのデータ送信を実行する段階Ｓ２２０２は、無線フレームの第１のサブフレームにおいて、ネットワークによって送信されたブロードキャストチャネルを受信する段階を含む。
【０３０５】
任意に、ネットワークとのデータ送信を実行するＴＴＩを決定する段階Ｓ２２０１の後であって、ネットワークとのデータ送信を実行する段階Ｓ２２０２の前に、方法は、物理ランダムアクセスチャネルＰＲＡＣＨの長さを決定する段階と、
ＰＲＡＣＨの決定された長さがサブフレームの長さより大きい場合に、ＰＲＡＣＨが、Ｃ個の連続するアップリンクサブフレームを占有することを決定する段階と、
をさらに含み、
Ｃは正の整数であり、
ネットワークとのデータ送信を実行する段階Ｓ２２０２は、決定されたＰＲＡＣＨを用いることによって、アップリンクランダムアクセスプリアンブルをネットワークに送信する段階を含む。
【０３０６】
任意に、ＰＲＡＣＨがＣ個の連続するアップリンクサブフレームを占有することを決定する段階の後であって、ネットワークとのデータ送信を実行する段階Ｓ２２０２の前に、方法は、Ｓサブフレーム及び／又はＰ個のダウンリンクサブフレームが、ＰＲＡＣＨによって占有されたＣ個の連続するアップリンクサブフレームの間に含まれることを決定する段階をさらに含み、Ｐは正の整数である。
【０３０７】
任意に、無線フレームのＴＤＤ構成及びスペシャルサブフレームＳサブフレーム構成を決定する段階は、
第１のブロードキャストメッセージ又は無線リソース制御ＲＲＣを用いることによって、ネットワークによって送信された無線フレームのＴＤＤ構成及びスペシャルサブフレームＳサブフレーム構成を受信する段階と、
受信されたＴＤＤ構成及びＳサブフレーム構成を、決定されたＴＤＤ構成又はＳサブフレーム構成として用いる段階と、
を含む。
【０３０８】
任意に、ＴＤＤ構成及びＳサブフレーム構成は、ネットワークとの間で規定される。
【０３０９】
任意に、ネットワークとのデータ送信を実行するＴＴＩを決定する段階Ｓ２２０１は、
第２のブロードキャストメッセージ又はＲＲＣメッセージを用いることによって、ネットワークによって送信されたＴＴＩを受信する段階と、
受信されたＴＴＩを、データ送信のために決定されたＴＴＩとして用いる段階と、
を含む。
【０３１０】
任意に、ＴＴＩは、ネットワークとの間で規定される。
【０３１１】
任意に、ネットワークとのデータ送信を実行するＴＴＩを決定する段階Ｓ２２０１の後であって、ネットワークとのデータ送信を実行する段階Ｓ２２０２の前に、方法は、ネットワークとのデータ送信を実行するハイブリッド自動再送要求ＨＡＲＱ処理の時系列を決定する段階をさらに含み、
ネットワークとのデータ送信を実行する段階Ｓ２２０２は、ＨＡＲＱ処理の決定された時系列を用いることによって、ネットワークとのデータ送信を実行する段階を含み、
ＨＡＲＱ処理の時系列は、以下の時系列の少なくとも１つを含む。  アップリンクスケジューリングに用いられるダウンリンク制御情報ＤＣＩを送信する各ダウンリンクサブフレームと、アップリンクデータを送信し、かつ、ダウンリンクサブフレームに対応するアップリンクサブフレームとの間の第１の時間間隔。第１の時間間隔は、ｎ１によって乗算されたＴＴＩであり、ｎ１がＮ以上であることと、１つのアップリンクＨＡＲＱ処理が１つのダウンリンクサブフレームによってスケジューリングされた場合に、アップリンクデータを送信し、かつ、アップリンクスケジューリングに用いられるＤＣＩを送信する各ダウンリンクサブフレームからの時間間隔が最も長いアップリンクサブフレームに対応する第１の時間間隔が最も短いこととを満たす。ｎ１及びＮは正の整数であり、Ｎによって乗算されたＴＴＩは、アップリンクスケジューリングに用いられるＤＣＩの送信における遅延と、アップリンクスケジューリングに用いられるＤＣＩの受信処理における遅延と、アップリンクデータパケットアセンブリにおける遅延との合計である。  物理ハイブリッド自動再送インジケータチャネルＰＨＩＣＨを送信する各ダウンリンクサブフレームと、再送信されたアップリンクデータを送信し、かつ、ダウンリンクサブフレームに対応するアップリンクサブフレームとの間の第２の時間間隔。第２の時間間隔は、ｎ２によって乗算されたＴＴＩであり、ｎ２がＱ以上であることと、再送信されたアップリンクデータを送信し、かつ、ＰＨＩＣＨを送信する各ダウンリンクサブフレームからの時間間隔が最も長いアップリンクサブフレームに対応する第２の時間間隔が最も短いこととを満たす。ｎ２及びＱは正の整数であり、Ｑによって乗算されたＴＴＩは、ＰＨＩＣＨの送信における遅延と、ＰＨＩＣＨの受信処理における遅延と、再送信されたアップリンクデータパケットアセンブリにおける遅延との合計である。  アップリンクデータを送信する各アップリンクサブフレームと、ＰＨＩＣＨを送信し、かつ、アップリンクサブフレームに対応する各ダウンリンクサブフレームとの間の第３の時間間隔。第３の時間間隔は、ｎ３によって乗算されたＴＴＩであり、アップリンクデータを送信する対応アップリンクサブフレームと、アップリンクスケジューリングに用いられるＤＣＩを送信し、かつ、アップリンクサブフレームに対応するダウンリンクサブフレームとの間の第１の時間間隔に従って設定され、ｎ３は正の整数であり、第３の時間間隔は、アップリンクデータの送信における遅延と、アップリンクデータの受信処理における遅延と、ＰＨＩＣＨデータパケットアセンブリにおける遅延との合計以上である。又は、
ダウンリンクデータを送信する各ダウンリンクサブフレームと、アップリンクフィードバックを送信し、かつ、ダウンリンクサブフレームに対応する各アップリンクサブフレームとの間の第４の時間間隔。第４の時間間隔は、ｎ４によって乗算されたＴＴＩであり、ｎ４がＷ以上であることと、アップリンクフィードバックを送信し、かつ、ダウンリンクデータを送信する各ダウンリンクサブフレームからの時間間隔が最も長いアップリンクサブフレームに対応する第４の時間間隔が最も短いこととを満たす。ｎ４及びＷは正の整数であり、Ｗによって乗算されたＴＴＩは、ダウンリンクデータの送信における遅延と、ダウンリンクデータの受信処理における遅延と、アップリンクフィードバックパケットアセンブリの実行におけるＵＥの遅延との合計である。
【０３１２】
前述の内容は、データ送信のための４つの第１の装置及び本発明の複数の実施形態に係るデータ送信のための２つの第１の方法を説明した。ＴＴＩを短縮することによって、装置及び方法は、ＲＴＴの減少を実装し、データ送信効率を向上させる。
【０３１３】
以下、本発明の複数の実施形態に係るデータ送信のための第５の装置、データ送信のための第６の装置、データ送信のための第７の装置、データ送信のための第８の装置、データ送信のための第３の方法、データ送信のための第４の方法を説明する。データ送信のための４つの装置及びデータ送信のための２つの方法の全てにおいて、データ送信のためのＨＡＲＱ処理の時系列は、デバイスの処理遅延に従って決定され、これにより、ＨＡＲＱ処理全体は時間的に圧縮され、ＲＴＴは効果的に短縮される。本発明の原理は同様であることから、以下、強調的に、本発明の複数の実施形態に係るデータ送信のための第５の装置及びデータ送信のための第７の装置を説明する。データ送信のための第６の装置及びデータ送信のための第３の方法の実装のために、データ送信のための第５の装置の実装が参照されてよい。データ送信のための第８の装置及びデータ送信のための第４の方法の実装のために、データ送信のための第７の装置の実装が参照されてよい。本明細書において繰り返し説明されない。
【０３１４】
図２３は、本発明の実施形態に係るデータ送信のための第５の装置の模式的構造図である。図２３に示されるように、装置は、
ＵＥの処理遅延に従って、ＵＥとのデータ送信を実行するＨＡＲＱ処理の時系列を決定するように構成される処理モジュール２３０１と、
処理モジュール２３０１によって決定されたＨＡＲＱ処理の時系列に従って、ＵＥとのデータ送信を実行するように構成される送信モジュール２３０２と、
を含む。
【０３１５】
任意に、ＵＥの処理遅延は、ダウンリンクデータ又はダウンリンクシグナリングの受信処理におけるＵＥの遅延と、アップリンクデータパケットアセンブリ、再送信されたアップリンクデータパケットアセンブリ、又はアップリンクシグナリングパケットアセンブリの実行におけるＵＥの遅延とを含む。
【０３１６】
ＨＡＲＱ処理の時系列は、
アップリンクスケジューリングに用いられるＤＣＩを送信する各ダウンリンクサブフレームと、アップリンクデータを送信し、かつ、ダウンリンクサブフレームに対応するアップリンクサブフレームとの間の第１の時間間隔、
ＰＨＩＣＨを送信する各ダウンリンクサブフレームと、再送信されたアップリンクデータを送信し、かつ、ダウンリンクサブフレームに対応するアップリンクサブフレームとの間の第２の時間間隔、又は、ダウンリンクデータを送信する各ダウンリンクサブフレームと、アップリンクフィードバックを送信し、かつ、ダウンリンクサブフレームに対応する各アップリンクサブフレームとの間の第４の時間間隔
の時系列の少なくとも１つを含む。
【０３１７】
装置は、ＴＤＤシステムに適用されてよく、ＴＤＤシステムにおけるＲＴＴを短縮する。
【０３１８】
図１は、既存のＴＤＤシステムにおけるＨＡＲＱ処理の時系列を示す。ＵＥが基地局によって送信されたダウンリンクデータ又はダウンリンク信号を受信した後で、３つのサブフレームの処理遅延が必要とされる。技術の進歩に伴い、ＵＥの処理能力が向上し、ＵＥの処理遅延が３つのサブフレームより小さくなる場合に、例えば、２つのサブフレームは、処理がなおも既存のシステムにおけるＨＡＲＱに従って実行される場合、ダウンリンクデータ又はダウンリンクシンボルの処理完了後に、ＵＥは、１つのサブフレームをさらに待ち、アップリンク送信を実行する必要があり、これは、ＵＥの処理能力を実際に浪費する。
【０３１９】
本発明の実施形態に係るデータ送信のための第３の装置において、ＨＡＲＱ処理の時系列は、ＵＥの処理遅延に従って決定される。従って、ＵＥの処理遅延が減少する場合に、ＨＡＲＱ処理の圧縮された時系列が決定されてよい。
【０３２０】
例えば、図２４に示されるように、基地局によって送信されたダウンリンクデータ又はダウンリンク信号を受信した後で、ＵＥは、２つのサブフレームにおける処理を完了させ（すなわち、デコード及びアップリンクデータパケットアセンブリのような処理を完了させ）てよい。すなわち、アップリンク送信は、サブフレーム３において実装されてよく、ダウンリンクＨＡＲＱ  ＲＴＴは、１つのサブフレームだけ図１におけるものより短い。基地局の処理遅延が１つのサブフレームだけ短縮可能な場合、ダウンリンクＨＡＲＱ  ＲＴＴ全体は、６つのサブフレームに短縮され、２つのサブフレームだけ図１におけるものより短い。
【０３２１】
任意に、第１の時間間隔は、ｎ１によって乗算されたＴＴＩであり、ｎ１がＮ以上であることと、１つのアップリンクＨＡＲＱ処理が１つのダウンリンクサブフレームによってスケジューリングされた場合に、アップリンクデータを送信し、かつ、アップリンクスケジューリングに用いられるＤＣＩを送信する各ダウンリンクサブフレームからの時間間隔が最も長いアップリンクサブフレームに対応する第１の時間間隔が最も短いこととを満たす。ｎ１及びＮは正の整数であり、Ｎによって乗算されたＴＴＩは、アップリンクスケジューリングに用いられるＤＣＩの送信における遅延と、アップリンクスケジューリングに用いられるＤＣＩの受信処理におけるＵＥの遅延と、アップリンクデータパケットアセンブリの実行におけるＵＥの遅延との合計である。
第２の時間間隔は、ｎ２によって乗算されたＴＴＩであり、ｎ２がＱ以上であることと、再送信されたアップリンクデータを送信し、かつ、ＰＨＩＣＨを送信する各ダウンリンクサブフレームからの時間間隔が最も長いアップリンクサブフレームに対応する第２の時間間隔が最も短いこととを満たす。ｎ２及びＱは正の整数であり、Ｑによって乗算されたＴＴＩは、ＰＨＩＣＨの送信における遅延と、ＰＨＩＣＨの受信処理におけるＵＥの遅延と、再送信されたアップリンクデータパケットアセンブリの実行におけるＵＥの遅延との合計である。
第４の時間間隔は、ｎ４によって乗算されたＴＴＩであり、ｎ４がＷ以上であることと、アップリンクフィードバックを送信し、かつ、ダウンリンクデータを送信する各ダウンリンクサブフレームからの時間間隔が最も長いアップリンクサブフレームに対応する第４の時間間隔が最も短いこととを満たす。ｎ４及びＷは正の整数であり、Ｗによって乗算されたＴＴＩは、ダウンリンクデータの送信における遅延と、ダウンリンクデータの受信処理におけるＵＥの遅延と、アップリンクフィードバックパケットアセンブリの実行におけるＵＥの遅延との合計である。
【０３２２】
任意に、無線フレームにおいて、ダウンリンクからアップリンクへのスイッチポイントの周期は、無線フレームの長さの２分の１以下であり、これにより、ダウンリンクからアップリンクへの複数のスイッチポイントが、無線フレームに追加される。
【０３２３】
本発明の実施形態に係るデータ送信のための第１の装置に対応する任意の解決手段と同様に、この任意の解決手段は、ＴＴＩ構成との組み合わせで用いられてよく、ＨＡＲＱ処理の時系列を決定する。
【０３２４】
任意に、処理モジュール２３０１は、送信モジュール２３０２がＵＥとのデータ送信を実行する前に、ＵＥとのデータ送信を実行する送信時間間隔ＴＴＩを決定するようにさらに構成され、
送信モジュール２３０２は、処理モジュール２３０１によって決定されたＴＴＩを用いることによって、ＵＥとのデータ送信を実行するように具体的に構成され、
ＴＴＩは、１ｍｓより短い。
【０３２５】
この任意の解決手段において、既存のＴＤＤシステムにおける１ｍｓのＴＴＩと比較して、ＴＴＩはさらに減少し、従って、ＲＴＴはさらに短縮される。
【０３２６】
表１に示される既存のＴＤＤシステムにおけるＴＤＤ構成では、現在、表１１、表１３、及び表１５に示されるＨＡＲＱ処理の時系列が用いられてよい。本発明の実施形態に係るデータ送信のための第５の装置が用いられる場合、ＨＡＲＱ処理における遅延は大幅に短縮されてよい。詳細には、表１２、表１４及び表１６が参照されてよい。
【０３２７】
表１１は、ＵＥがサブフレームの数を決定し、その後で、ＵＥが既存のＴＤＤシステムにおけるＰＨＩＣＨを受信した後にアップリンクデータが送信されることを示す。
【表１１】
0006362118.tif 000013
【０３２８】
本発明の実施形態に係るデータ送信のための第５の装置が用いられた後で、時系列は、表１２に示されてよい。理解され得るように、ＵＥがＰＨＩＣＨを受信した後で、ＵＥは、少数のサブフレームの後でアップリンクデータを送信してよく、これによりＲＴＴを短縮する。
【表１２】
0006362118.tif 000014
【０３２９】
表１３は、既存のＴＤＤシステムにおいて、ＵＥがサブフレームの数を決定し、その後で、ＵＥがアップリンクデータを送信した後に基地局によって送信されたＰＨＩＣＨフィードバックが受信されることを示す。
【表１３】
0006362118.tif 000015
【０３３０】
本発明の実施形態に係るデータ送信のための第５の装置が用いられた後で、時系列が表１４に示されてよい。理解され得るように、ＵＥがアップリンクデータを送信した後で、ＵＥは、少数のサブフレームの後にダウンリンクＰＨＩＣＨを受信してよく、これにより、ＲＴＴを短縮する。
【表１４】
0006362118.tif 000016
【０３３１】
表１５は、サブフレームの数を示し、その後で、ＵＥは、基地局が既存のＴＤＤシステムにおいてアップリンクスケジューリングに用いられるＤＣＩを送信した後にデータをアップリンク送信する。
【表１５】
0006362118.tif 000017
【０３３２】
本発明の実施形態に係るデータ送信のための第５の装置が用いられた後で、時系列は、表１６に示されてよい。理解され得るように、ＵＥがアップリンクスケジューリングに用いられるＤＣＩを受信した後で、ＵＥは、少数のサブフレームの後にアップリンクデータ送信を実行してよく、これにより、ＲＴＴを短縮する。
【表１６】
0006362118.tif 000018
【０３３３】
図２５は、本発明の実施形態に係るデータ送信のための第６の装置の模式的構造図である。図２５に示されるように、装置は、
ユーザ機器ＵＥの処理遅延に従って、ＵＥとのデータ送信を実行するハイブリッド自動再送要求ＨＡＲＱ処理の時系列を決定するように構成されるプロセッサ２５０１と、
プロセッサ２５０１によって決定されたＨＡＲＱ処理の時系列に従って、ＵＥとのデータ送信を実行するように構成されるＩ／Ｏインタフェース２５０２と、
を含む。
【０３３４】
任意に、ＵＥの処理遅延は、ダウンリンクデータ又はダウンリンクシグナリングの受信処理におけるＵＥの遅延と、アップリンクデータパケットアセンブリ、再送信されたアップリンクデータパケットアセンブリ、又はアップリンクシグナリングパケットアセンブリの実行におけるＵＥの遅延とを含む。
【０３３５】
任意に、ＨＡＲＱ処理の時系列は、
の時系列の１つ又は複数を含む。  アップリンクスケジューリングに用いられるダウンリンク制御情報ＤＣＩを送信する各ダウンリンクサブフレームと、アップリンクデータを送信し、かつ、ダウンリンクサブフレームに対応するアップリンクサブフレームとの間の第１の時間間隔、
物理ハイブリッド自動再送インジケータチャネルＰＨＩＣＨを送信する各ダウンリンクサブフレームと、再送信されたアップリンクデータを送信し、かつ、ダウンリンクサブフレームに対応するアップリンクサブフレームとの間の第２の時間間隔、又は、
ダウンリンクデータを送信する各ダウンリンクサブフレームと、アップリンクフィードバックを送信し、かつ、ダウンリンクサブフレームに対応する各アップリンクサブフレームとの間の第４の時間間隔
の時系列の１つ又は複数を含む。
第１の時間間隔は、ｎ１によって乗算されたＴＴＩであり、ｎ１がＮ以上であることと、１つのアップリンクＨＡＲＱ処理が１つのダウンリンクサブフレームによってスケジューリングされた場合に、アップリンクデータを送信し、かつ、アップリンクスケジューリングに用いられるＤＣＩを送信する各ダウンリンクサブフレームからの時間間隔が最も長いアップリンクサブフレームに対応する第１の時間間隔が最も短いこととを満たす。ｎ１及びＮは正の整数であり、Ｎによって乗算されたＴＴＩは、アップリンクスケジューリングに用いられるＤＣＩの送信における遅延と、アップリンクスケジューリングに用いられるＤＣＩの受信処理におけるＵＥの遅延と、アップリンクデータパケットアセンブリの実行におけるＵＥの遅延との合計である。
第２の時間間隔は、ｎ２によって乗算されたＴＴＩであり、ｎ２がＱ以上であることと、再送信されたアップリンクデータを送信し、かつ、ＰＨＩＣＨを送信する各ダウンリンクサブフレームからの時間間隔が最も長いアップリンクサブフレームに対応する第２の時間間隔が最も短いこととを満たす。ｎ２及びＱは正の整数であり、Ｑによって乗算されたＴＴＩは、ＰＨＩＣＨの送信における遅延と、ＰＨＩＣＨの受信処理におけるＵＥの遅延と、再送信されたアップリンクデータパケットアセンブリの実行におけるＵＥの遅延との合計である。
第４の時間間隔は、ｎ４によって乗算されたＴＴＩであり、ｎ４がＷ以上であることと、アップリンクフィードバックを送信し、かつ、ダウンリンクデータを送信する各ダウンリンクサブフレームからの時間間隔が最も長いアップリンクサブフレームに対応する第４の時間間隔が最も短いこととを満たす。ｎ４及びＷは正の整数であり、Ｗによって乗算されたＴＴＩは、ダウンリンクデータの送信における遅延と、ダウンリンクデータの受信処理におけるＵＥの遅延と、アップリンクフィードバックパケットアセンブリの実行におけるＵＥの遅延との合計である。
【０３３６】
任意に、無線フレームにおいて、ダウンリンクからアップリンクへのスイッチポイントの周期は、無線フレームの長さの２分の１以下であり、これにより、ダウンリンクからアップリンクへの複数のスイッチポイントが、無線フレームに追加される。
【０３３７】
任意に、プロセッサ２５０１は、Ｉ／Ｏインタフェース２５０２がＵＥとのデータ送信を実行する前に、ＵＥとのデータ送信を実行する送信時間間隔ＴＴＩを決定するようにさらに構成され、
Ｉ／Ｏインタフェース２５０２は、プロセッサ２５０１によって決定されたＴＴＩ及びＨＡＲＱ処理の時系列を用いることによって、ＵＥとのデータ送信を実行するように具体的に構成され、
ＴＴＩは、１ｍｓより短い。
【０３３８】
本発明の実施形態に係るデータ送信のための第５の装置の原理と同様に、本発明の実施形態に係るデータ送信のための第７の装置において、ＲＴＴは、ネットワークの処理遅延に従ってＨＡＲＱ処理の時系列を決定することによっても短縮可能である。
【０３３９】
図２６は、本発明の実施形態に係るデータ送信のための第７の装置の模式的構造図である。図２６に示されるように、装置は、
ネットワークの処理能力に従って、ネットワークとのデータ送信を実行するハイブリッド自動再送要求ＨＡＲＱ処理の時系列を決定するように構成される処理モジュール２６０１と、
処理モジュール２６０１によって決定されたＨＡＲＱ処理の時系列に従って、ネットワークとのデータ送信を実行するように構成される送信モジュール２６０２と、
を含む。
【０３４０】
ネットワークの処理遅延は、
アップリンクデータ又はアップリンクシグナリングの受信処理におけるネットワークの遅延は、ダウンリンクデータパケットアセンブリ、再送信されたダウンリンクデータパケットアセンブリ、又はアップリンクシグナリングパケットアセンブリの実行におけるネットワークの遅延
を含んでよい。
【０３４１】
ＨＡＲＱ処理の時系列は、アップリンクデータを送信する各アップリンクサブフレームと、ＰＨＩＣＨを送信し、かつ、アップリンクサブフレームに対応する各ダウンリンクサブフレームとの間の第３の時間間隔を含み、
各第３の時間間隔は、アップリンクデータを送信する対応アップリンクサブフレームと、ＤＣＩを送信し、かつ、アップリンクサブフレームに対応するダウンリンクサブフレームとの間の第１の時間間隔に従って設定され、第３の時間間隔が、アップリンクデータの送信における遅延と、受信されたアップリンクデータの受信処理におけるネットワークの遅延と、ＰＨＩＣＨデータパケットアセンブリの実行におけるネットワークの遅延との合計以上であることを満たし、
第１の時間間隔は、ｎ１によって乗算されたＴＴＩであり、ｎ１がＮ以上であることと、１つのアップリンクＨＡＲＱ処理が１つのダウンリンクサブフレームによってスケジューリングされた場合に、アップリンクデータを送信し、かつ、アップリンクスケジューリングに用いられるＤＣＩを送信する各ダウンリンクサブフレームからの時間間隔が最も長いアップリンクサブフレームに対応する第１の時間間隔が最も短いこととを満たし、ｎ１及びＮは正の整数であり、Ｎによって乗算されたＴＴＩは、アップリンクスケジューリングに用いられるＤＣＩの送信における遅延と、アップリンクスケジューリングに用いられるＤＣＩの受信処理における遅延と、アップリンクデータパケットアセンブリにおける遅延との合計である。
【０３４２】
装置は、ＴＤＤシステムに適用されてよく、ＴＤＤシステムにおけるＲＴＴを短縮する。
【０３４３】
図２は、既存のＴＤＤシステムにおける他のＨＡＲＱ処理の時系列を示す。基地局がＵＥによって送信されたアップリンクデータ又はアップリンク信号を受信した後で、３つのサブフレームの処理及びスケジューリング遅延が必要とされる。技術の進歩に伴い、ネットワークにおける各基地局の処理能力が向上し、基地局の処理及びスケジューリング遅延が３つのサブフレームより小さくなる場合に、例えば、２つのサブフレームは、処理がなおも既存のシステムにおけるＨＡＲＱに従って実行される場合、アップリンクデータ又はアップリンクシンボルの処理完了後に、基地局は、１つのサブフレームをさらに待ち、ダウンリンク送信を実行する必要があり、これは、基地局の処理能力を実際に浪費する。
【０３４４】
本発明の実施形態に係るデータ送信のための第７の装置において、ＨＡＲＱ処理の時系列は、ネットワークの処理遅延に従って決定される。従って、ネットワークの処理遅延が減少する場合に、ＨＡＲＱ処理の圧縮された時系列が決定されてよい。
【０３４５】
例えば、図２７に示されるように、ＵＥによって送信されたアップリンクデータ又はアップリンク信号を受信した後で、ネットワーク（図２７の基地局）は、２つのサブフレームの処理を完了（すなわち、デコード、スケジューリング、及びダウンリンクデータパケットアセンブリのような処理を完了）してよい。ダウンリンク送信は、サブフレーム５において実装されてよく、アップリンクＨＡＲＱ  ＲＴＴは、１つのサブフレームだけ図２におけるものより短い。ＵＥの処理遅延が１つのサブフレームだけ短縮可能な場合、アップリンクＨＡＲＱ  ＲＴＴ全体は、６つのサブフレームに短縮され、２つのサブフレームだけ図２におけるものより短い。
【０３４６】
任意に、無線フレームにおいて、ダウンリンクからアップリンクへのスイッチポイントの周期は、無線フレームの長さの２分の１以下であり、これにより、ダウンリンクからアップリンクへの複数のスイッチポイントが、無線フレームに追加される。
【０３４７】
本発明の実施形態に係るデータ送信のための第３の装置に対応する任意の解決手段と同様に、この任意の解決手段は、ＴＴＩ構成との組み合わせで用いられてよく、ＨＡＲＱ処理の時系列を決定する。
【０３４８】
任意に、処理モジュール２６０１は、送信モジュール２６０２がネットワークとのデータ送信を実行する前に、ネットワークとのデータ送信を実行する送信時間間隔ＴＴＩを決定するようにさらに構成され、
送信モジュール２６０２は、処理モジュール２６０１によって決定されたＴＴＩを用いることによって、ネットワークとのデータ送信を実行するように具体的に構成され、
ＴＴＩは、１ｍｓより短い。
【０３４９】
この任意の解決手段において、既存のＴＤＤシステムにおける１ｍｓのＴＴＩと比較して、ＴＴＩはさらに減少し、従って、ＲＴＴはさらに短縮される。
【０３５０】
本発明の実施形態に係るデータ送信のための第５の装置の原理と同様に、本発明の実施形態に係るデータ送信のための第７の装置において、ＲＴＴは、ネットワークの処理遅延に従ってＨＡＲＱ処理の時系列を決定することによっても短縮可能である。
【０３５１】
同様に、本発明の実施形態に係るデータ送信のための第７の装置において、表１２、表１４、及び表１６に示されるＨＡＲＱ時系列も利用可能であり、ＲＴＴを減少させる。
【０３５２】
図２８は、本発明の実施形態に係るデータ送信のための第８の装置の模式的構造図である。図２８に示されるように、装置は、
ネットワークの処理遅延に従って、ネットワークとのデータ送信を実行するＨＡＲＱ処理の時系列を決定するように構成されるプロセッサ２８０１と、
プロセッサ２８０１によって決定されたＨＡＲＱ処理の時系列に従って、ネットワークとのデータ送信を実行するように構成されるＩ／Ｏインタフェース２８０２と、
を含む。
【０３５３】
任意に、ネットワークの処理遅延は、
アップリンクデータ又はアップリンクシグナリングの受信処理におけるネットワークの遅延は、ダウンリンクデータパケットアセンブリ、再送信されたダウンリンクデータパケットアセンブリ、又はアップリンクシグナリングパケットアセンブリの実行におけるネットワークの遅延
を含む。
【０３５４】
任意に、ＨＡＲＱ処理の時系列は、アップリンクデータを送信する各アップリンクサブフレームと、ＰＨＩＣＨを送信し、かつ、アップリンクサブフレームに対応する各ダウンリンクサブフレームとの間の第３の時間間隔を含む。各第３の時間間隔は、アップリンクデータを送信する対応アップリンクサブフレームと、ＤＣＩを送信し、かつ、アップリンクサブフレームに対応するダウンリンクサブフレームとの間の第１の時間間隔に従って設定され、第３の時間間隔が、アップリンクデータの送信における遅延と、受信されたアップリンクデータの受信処理におけるネットワークの遅延と、ＰＨＩＣＨデータパケットアセンブリの実行におけるネットワークの遅延との合計以上であることを満たす。
第１の時間間隔は、ｎ１によって乗算されたＴＴＩであり、ｎ１がＮ以上であることと、１つのアップリンクＨＡＲＱ処理が１つのダウンリンクサブフレームによってスケジューリングされた場合に、アップリンクデータを送信し、かつ、アップリンクスケジューリングに用いられるＤＣＩを送信する各ダウンリンクサブフレームからの時間間隔が最も長いアップリンクサブフレームに対応する第１の時間間隔が最も短いこととを満たす。ｎ１及びＮは正の整数であり、Ｎによって乗算されたＴＴＩは、アップリンクスケジューリングに用いられるＤＣＩの送信における遅延と、アップリンクスケジューリングに用いられるＤＣＩの受信処理における遅延と、アップリンクデータパケットアセンブリにおける遅延との合計である。
【０３５５】
任意に、無線フレームにおいて、ダウンリンクからアップリンクへのスイッチポイントの周期は、無線フレームの長さの２分の１以下であり、これにより、ダウンリンクからアップリンクへの複数のスイッチポイントが、無線フレームに追加される。
【０３５６】
任意に、プロセッサ２８０１は、Ｉ／Ｏインタフェース２８０２がネットワークとのデータ送信を実行する前に、ネットワークとのデータ送信を実行する送信時間間隔ＴＴＩを決定するようにさらに構成され、
Ｉ／Ｏインタフェース２８０２は、プロセッサ２８０１によって決定されたＴＴＩを用いることによって、ネットワークとのデータ送信を実行するように具体的に構成され、
ＴＴＩは、１ｍｓより短い。
【０３５７】
図２９は、本発明の実施形態に係るデータ送信のための第３の方法のフローチャートである。図２９に示されるように、方法は、以下の段階を含む。
【０３５８】
Ｓ２９０１において、ＵＥの処理遅延に従って、ＵＥとのデータ送信を実行するＨＡＲＱ処理の時系列を決定する。
【０３５９】
Ｓ２９０２において、ＨＡＲＱ処理の決定された時系列に従って、ＵＥとのデータ送信を実行する。
【０３６０】
任意に、ＵＥの処理遅延は、ダウンリンクデータ又はダウンリンクシグナリングの受信処理におけるＵＥの遅延と、アップリンクデータパケットアセンブリ、再送信されたアップリンクデータパケットアセンブリ、又はアップリンクシグナリングパケットアセンブリの実行におけるＵＥの遅延とを含む。
【０３６１】
任意に、ＨＡＲＱ処理の時系列は、
アップリンクスケジューリングに用いられるダウンリンク制御情報ＤＣＩを送信する各ダウンリンクサブフレームと、アップリンクデータを送信し、かつ、ダウンリンクサブフレームに対応するアップリンクサブフレームとの間の第１の時間間隔、
物理ハイブリッド自動再送インジケータチャネルＰＨＩＣＨを送信する各ダウンリンクサブフレームと、再送信されたアップリンクデータを送信し、かつ、ダウンリンクサブフレームに対応するアップリンクサブフレームとの間の第２の時間間隔、又は、
ダウンリンクデータを送信する各ダウンリンクサブフレームと、アップリンクフィードバックを送信し、かつ、ダウンリンクサブフレームに対応する各アップリンクサブフレームとの間の第４の時間間隔
の時系列の１つ又は複数を含む。
第１の時間間隔は、ｎ１によって乗算されたＴＴＩであり、ｎ１がＮ以上であることと、１つのアップリンクＨＡＲＱ処理が１つのダウンリンクサブフレームによってスケジューリングされた場合に、アップリンクデータを送信し、かつ、アップリンクスケジューリングに用いられるＤＣＩを送信する各ダウンリンクサブフレームからの時間間隔が最も長いアップリンクサブフレームに対応する第１の時間間隔が最も短いこととを満たす。ｎ１及びＮは正の整数であり、Ｎによって乗算されたＴＴＩは、アップリンクスケジューリングに用いられるＤＣＩの送信における遅延と、アップリンクスケジューリングに用いられるＤＣＩの受信処理におけるＵＥの遅延と、アップリンクデータパケットアセンブリの実行におけるＵＥの遅延との合計である。
第２の時間間隔は、ｎ２によって乗算されたＴＴＩであり、ｎ２がＱ以上であることと、再送信されたアップリンクデータを送信し、かつ、ＰＨＩＣＨを送信する各ダウンリンクサブフレームからの時間間隔が最も長いアップリンクサブフレームに対応する第２の時間間隔が最も短いこととを満たす。ｎ２及びＱは正の整数であり、Ｑによって乗算されたＴＴＩは、ＰＨＩＣＨの送信における遅延と、ＰＨＩＣＨの受信処理におけるＵＥの遅延と、再送信されたアップリンクデータパケットアセンブリの実行におけるＵＥの遅延との合計である。
第４の時間間隔は、ｎ４によって乗算されたＴＴＩであり、ｎ４がＷ以上であることと、アップリンクフィードバックを送信し、かつ、ダウンリンクデータを送信する各ダウンリンクサブフレームからの時間間隔が最も長いアップリンクサブフレームに対応する第４の時間間隔が最も短いこととを満たす。ｎ４及びＷは正の整数であり、Ｗによって乗算されたＴＴＩは、ダウンリンクデータの送信における遅延と、ダウンリンクデータの受信処理におけるＵＥの遅延と、アップリンクフィードバックパケットアセンブリの実行におけるＵＥの遅延との合計である。
【０３６２】
任意に、無線フレームにおいて、ダウンリンクからアップリンクへのスイッチポイントの周期は、無線フレームの長さの２分の１以下であり、これにより、ダウンリンクからアップリンクへの複数のスイッチポイントが、無線フレームに追加される。
【０３６３】
任意に、ＵＥとのデータ送信を実行する段階の前に、方法は、ＵＥとのデータ送信を実行する送信時間間隔ＴＴＩを決定する段階をさらに含み、
ＵＥとのデータ送信を実行する段階は、決定されたＴＴＩを用いることによって、ＵＥとのデータ送信を実行する段階を含み、
ＴＴＩは、１ｍｓより短い。
【０３６４】
図３０は、本発明の実施形態に係るデータ送信のための第４の方法のフローチャートである。図３０に示されるように、方法は、以下の段階を含む。
【０３６５】
Ｓ３００１において、ネットワークの処理遅延に従って、ネットワークとのデータ送信を実行するＨＡＲＱ処理の時系列を決定する。
【０３６６】
Ｓ３００２において、ＨＡＲＱ処理の決定された時系列に従って、ネットワークとのデータ送信を実行する。
【０３６７】
任意に、ネットワークの処理遅延は、
アップリンクデータ又はアップリンクシグナリングの受信処理におけるネットワークの遅延と、ダウンリンクデータパケットアセンブリ、再送信されたダウンリンクデータパケットアセンブリ、又はアップリンクシグナリングパケットアセンブリの実行におけるネットワークの遅延と、
を含む。
【０３６８】
任意に、ＨＡＲＱ処理の時系列は、アップリンクデータを送信する各アップリンクサブフレームと、ＰＨＩＣＨを送信し、かつ、アップリンクサブフレームに対応する各ダウンリンクサブフレームとの間の第３の時間間隔を含む。各第３の時間間隔は、アップリンクデータを送信する対応アップリンクサブフレームと、ＤＣＩを送信し、かつ、アップリンクサブフレームに対応するダウンリンクサブフレームとの間の第１の時間間隔に従って設定され、第３の時間間隔が、アップリンクデータの送信における遅延と、受信されたアップリンクデータの受信処理におけるネットワークの遅延と、ＰＨＩＣＨデータパケットアセンブリの実行におけるネットワークの遅延との合計以上であることを満たす。
第１の時間間隔は、ｎ１によって乗算されたＴＴＩであり、ｎ１がＮ以上であることと、１つのアップリンクＨＡＲＱ処理が１つのダウンリンクサブフレームによってスケジューリングされた場合に、アップリンクデータを送信し、かつ、アップリンクスケジューリングに用いられるＤＣＩを送信する各ダウンリンクサブフレームからの時間間隔が最も長いアップリンクサブフレームに対応する第１の時間間隔が最も短いこととを満たす。ｎ１及びＮは正の整数であり、Ｎによって乗算されたＴＴＩは、アップリンクスケジューリングに用いられるＤＣＩの送信における遅延と、アップリンクスケジューリングに用いられるＤＣＩの受信処理におけるＵＥの遅延と、アップリンクデータパケットアセンブリの実行におけるＵＥの遅延との合計である。
【０３６９】
任意に、無線フレームにおいて、ダウンリンクからアップリンクへのスイッチポイントの周期は、無線フレームの長さの２分の１以下であり、これにより、ダウンリンクからアップリンクへの複数のスイッチポイントが、無線フレームに追加される。
【０３７０】
任意に、ネットワークとのデータ送信を実行する段階の前に、方法は、ネットワークとのデータ送信を実行する送信時間間隔ＴＴＩを決定する段階をさらに含み、
ネットワークとのデータ送信を実行する段階は、決定されたＴＴＩを用いることによって、ネットワークとのデータ送信を実行する段階を含み、
ＴＴＩは、１ｍｓより短い。
【０３７１】
当業者であれば、本発明の複数の実施形態は、方法、システム、又はコンピュータプログラム製品として提供されてよいことを理解しよう。従って、本発明は、ハードウェアのみの実施形態、ソフトウェアのみの実施形態、又はソフトウェア及びハードウェアの組み合わせの実施形態の形を用いてよい。さらに、本発明は、コンピュータ利用可能プログラムコードを含む１つ又は複数のコンピュータ利用可能ストレージメディア（限定されるものではないが、ディスクメモリ、ＣＤ−ＲＯＭ、光メモリ等を含む）において実装されるコンピュータプログラム製品の形を用いてよい。
【０３７２】
本発明は、本発明の複数の実施形態に従って、方法、デバイス（システム）、及びコンピュータプログラム製品のフローチャート及び／又はブロック図を参照して説明される。複数のコンピュータプログラム命令は、複数のフローチャート及び／又は複数のブロック図における各処理及び／又は各ブロックと、複数のフローチャート及び／又は複数のブロック図における処理及び／又はブロックの組み合わせを実装するために利用可能であることを理解されたい。これらのコンピュータプログラム命令は、汎用コンピュータ、専用コンピュータ、組み込みプロセッサ、又は機械を生成する任意の他のプログラム可能データ処理デバイスのプロセッサに提供されてよく、これにより、コンピュータ又は任意の他のプログラム可能データ処理デバイスのプロセッサによって実行される複数の命令は、複数のフローチャートにおける１つ又は複数の処理の特定の機能及び／又は複数のブロック図における１つ又は複数のブロックを実装する装置を生成する。
【０３７３】
これらのコンピュータプログラム命令は、コンピュータ可読メモリに格納されてよく、これらは、コンピュータ又は任意の他のプログラム可能データ処理デバイスに、具体的な態様で動作するよう命令可能であり、これにより、コンピュータ可読メモリに格納された複数の命令は、命令装置を含む中間物を生成する。命令装置は、複数のフローチャートにおける１つ又は複数の処理及び／又は複数のブロック図における１つ又は複数のブロックの特定の機能を実装する。
【０３７４】
これらのコンピュータプログラム命令は、コンピュータ又は他のプログラム可能データ処理デバイスにロードされてよく、これによって一連のオペレーション又は段階がコンピュータ又は他のプログラム可能デバイス上で実行され、これにより、コンピュータ実装処理を生成する。従って、コンピュータ又は他のプログラム可能デバイスにおいて実行される複数の命令は、複数のフローチャートにおける１つ又は複数の処理及び／又は複数のブロック図における１つ又は複数のブロックの特定の機能を実装する複数の段階を提供する。
【０３７５】
いくつかの好ましい本発明の複数の実施形態が説明されたが、当業者であれば、基本的な発明の概念を一度認識すれば、これらの実施形態に変更及び変形を加えることが可能である。従って、以下の特許請求の範囲は、複数の好ましい実施形態及び本発明の範囲内に属する全ての変更及び変形を包含するものとして解釈されるべきであることを意図するものである。
【０３７６】
当業者であれば、本発明の範囲から逸脱することなく、本発明に様々な変形及びバリエーションを加えることができることは明らかである。本発明は、これらの変形及びバリエーションが以下の特許請求の範囲及びこれらの均等技術によって定義される保護範囲に属するならば、これらを包含することが意図される。
【図１】
0006362118.tif 000019
【図２】
0006362118.tif 000020
【図３】
0006362118.tif 000021
【図４】
0006362118.tif 000022
【図５】
0006362118.tif 000023
【図６】
0006362118.tif 000024
【図７】
0006362118.tif 000025
【図８】
0006362118.tif 000026
【図９】
0006362118.tif 000027
【図１０】
0006362118.tif 000028
【図１１】
0006362118.tif 000029
【図１２】
0006362118.tif 000030
【図１３】
0006362118.tif 000031
【図１４】
0006362118.tif 000032
【図１５】
0006362118.tif 000033
【図１６】
0006362118.tif 000034
【図１７】
0006362118.tif 000035
【図１８】
0006362118.tif 000036
【図１９】
0006362118.tif 000037
【図２０】
0006362118.tif 000038
【図２１】
0006362118.tif 000039
【図２２】
0006362118.tif 000040
【図２３】
0006362118.tif 000041
【図２４】
0006362118.tif 000042
【図２５】
0006362118.tif 000043
【図２６】
0006362118.tif 000044
【図２７】
0006362118.tif 000045
【図２８】
0006362118.tif 000046
【図２９】
0006362118.tif 000047
【図３０】
0006362118.tif 000048